(57)【要約】  本発明は、制御情報送信方法、ユーザ機器、および基地局に関し、制御情報送信方法は、第1のサービングセルに対応するダウンリンク制御チャネルのダウンリンク制御情報DCIフォーマットをユーザ機器によって決定するステップであって、第1のサービングセルが、ユーザ機器に対応するサービングセルであり、DCIフォーマットが、第1のサービングセルの複信モードおよび第1のサービングセルに対応するハイブリッド自動再送要求-肯定応答HARQ-ACKのフィードバックの方法を使用することによって決定される、決定するステップと、決定されたDCIフォーマットに応じてダウンリンク制御チャネルをユーザ機器によって検出するステップとを含む。異なるキャリアアグリゲーションの方法が使用されるとき、制御チャネルに対応するDCIフォーマットは、複信モードおよびHARQ-ACKのフィードバックの方法に応じて決定される可能性があり、したがって、本発明は、様々な筋書きに柔軟に適用され得る。
2016532350.tif 000002
【特許請求の範囲】
【請求項１】
第1のサービングセルに対応するダウンリンク制御チャネルのダウンリンク制御情報DCIフォーマットを獲得することをユーザ機器によって決定するステップであって、前記第1のサービングセルが、前記ユーザ機器に対応するサービングセルであり、前記DCIフォーマットが、前記第1のサービングセルの複信モードおよび前記第1のサービングセルに対応するハイブリッド自動再送要求-肯定応答HARQ-ACKのフィードバックの方法を使用することによって決定される、ステップと、
決定されたDCIフォーマットに応じて前記ダウンリンク制御チャネルを前記ユーザ機器によって検出するステップとを含む、制御情報送信方法。
【請求項２】
第1のサービングセルに対応するダウンリンク制御チャネルのDCIフォーマットを獲得することをユーザ機器によって決定する前記ステップが、
前記第1のサービングセルの前記複信モードおよび前記第1のサービングセルに対応する前記HARQ-ACKの前記フィードバックの方法に応じて前記ユーザ機器によって前記第1のサービングセルに対応する前記ダウンリンク制御チャネルのDCIフォーマットを決定するステップを含む、請求項1に記載の方法。
【請求項３】
前記第1のサービングセルの前記複信モードおよび前記第1のサービングセルに対応する前記HARQ-ACKの前記フィードバックの方法に応じて前記ユーザ機器によって前記第1のサービングセルに対応する前記ダウンリンク制御チャネルのDCIフォーマットを決定する前記ステップが、
前記第1のサービングセルの前記複信モードが周波数分割複信FDDであり、前記ユーザ機器の第2のサービングセルの複信モードが時分割復信TDDであり、前記第1のサービングセルに対応する前記HARQ-ACKが前記第2のサービングセルによって運ばれる物理アップリンク制御チャネルPUCCH上で送信される場合、前記ユーザ機器によって、前記第1のサービングセルに対応する前記ダウンリンク制御チャネルのDCIフォーマットを前記TDDに対応するDCIフォーマットとして決定するステップ、または
前記第1のサービングセルの前記複信モードがFDDであり、前記第1のサービングセルに対応する前記HARQ-ACKが無線フレームの一部のアップリンクのサブフレームにおいてフィードバックされる場合、前記ユーザ機器によって、前記第1のサービングセルに対応する前記ダウンリンク制御チャネルのDCIフォーマットをTDDに対応するDCIフォーマットとして決定するステップ、または
前記第1のサービングセルの前記複信モードがFDDである場合は、前記ユーザ機器が1つのサブフレームにおいて複数のアップリンク送信能力を有する場合、前記ユーザ機器によって、前記第1のサービングセルに対応する前記ダウンリンク制御チャネルのDCIフォーマットを前記FDDに対応するDCIフォーマットとして決定し、前記ユーザ機器が1つのサブフレームにおいて単一のアップリンク送信能力を有する場合、前記ユーザ機器によって、前記第1のサービングセルに対応する前記ダウンリンク制御チャネルのDCIフォーマットをTDDに対応するDCIフォーマットとして決定するステップ、または
前記第1のサービングセルの前記複信モードがTDDであり、前記ユーザ機器の第2のサービングセルの複信モードがFDDであり、前記第1のサービングセルに対応する前記HARQ-ACKが前記第2のサービングセルによって運ばれるPUCCH上で送信される場合、前記ユーザ機器によって、前記第1のサービングセルに対応する前記ダウンリンク制御チャネルのDCIフォーマットを前記FDDに対応するDCIフォーマットとして決定するステップを含む、請求項2に記載の方法。
【請求項４】
前記決定されたDCIフォーマットに応じて前記ダウンリンク制御チャネルを前記ユーザ機器によって検出する前記ステップが、
前記第1のサービングセルの前記複信モードがFDDであり、前記決定されたDCIフォーマットがTDDに対応するDCIフォーマットであるとき、前記ユーザ機器によって、前記TDDに対応する前記DCIフォーマットに応じて前記ダウンリンク制御チャネルを検出するステップを含み、
前記ユーザ機器が、前記第1のサービングセルに対応する共通探索空間CSSにおいて検出される前記ダウンリンク制御チャネルのDCIフォーマットがDCIフォーマット1Aであること、または検出されたダウンリンク制御チャネルの巡回冗長検査CRCがセル無線ネットワーク一時識別子C-RNTIを使用することによってスクランブルされることを期待しない、請求項1から3のいずれか一項に記載の方法。
【請求項５】
ユーザ機器の第1のサービングセルの複信モードおよび前記第1のサービングセルに対応するHARQ-ACKのフィードバックの方法に応じて基地局によって、前記第1のサービングセルに対応するダウンリンク制御チャネルのDCIフォーマットを決定するステップであって、前記第1のサービングセルが、前記ユーザ機器に対応するサービングセルである、ステップと、
決定されたDCIフォーマットに応じて前記ダウンリンク制御チャネルを前記基地局によって送信するステップとを含む、制御情報送信方法。
【請求項６】
前記基地局が前記ユーザ機器の前記第1のサービングセルに対応する前記ダウンリンク制御チャネルのDCIフォーマットを決定した後、および前記基地局が前記決定されたDCIフォーマットに応じて前記ダウンリンク制御チャネルを送信する前に、
前記基地局によって前記ユーザ機器により上位のレイヤのシグナリングを送信するステップであって、前記より上位のレイヤのシグナリングが前記決定されたDCIフォーマットを示すインジケーション情報を含む、ステップを含む、請求項5に記載の方法。
【請求項７】
前記ユーザ機器の第1のサービングセルの複信モードおよび前記第1のサービングセルに対応するHARQ-ACKのフィードバックの方法に応じて基地局によって、前記第1のサービングセルに対応するダウンリンク制御チャネルのDCIフォーマットを決定する前記ステップが、
前記第1のサービングセルの前記複信モードがFDDであり、前記ユーザ機器の第2のサービングセルの複信モードがTDDであり、前記第1のサービングセルに対応する前記HARQ-ACKが前記第2のサービングセルによって運ばれる物理アップリンク制御チャネルPUCCH上で送信される場合、前記基地局によって、前記第1のサービングセルに対応する前記ダウンリンク制御チャネルのDCIフォーマットを前記TDDに対応するDCIフォーマットとして決定するステップ、または
前記第1のサービングセルの前記複信モードがFDDであり、前記第1のサービングセルに対応する前記HARQ-ACKが無線フレームの一部のアップリンクのサブフレームにおいてフィードバックされる場合、前記基地局によって、前記第1のサービングセルに対応する前記ダウンリンク制御チャネルのDCIフォーマットをTDDに対応するDCIフォーマットとして決定するステップ、または
前記第1のサービングセルの前記複信モードがFDDである場合は、前記ユーザ機器が1つのサブフレームにおいて複数のアップリンク送信能力を有する場合、前記基地局によって、前記第1のサービングセルに対応する前記ダウンリンク制御チャネルのDCIフォーマットを前記FDDに対応するDCIフォーマットとして決定し、前記ユーザ機器が1つのサブフレームにおいて単一のアップリンク送信能力を有する場合、前記基地局によって、前記第1のサービングセルに対応する前記ダウンリンク制御チャネルのDCIフォーマットをTDDに対応するDCIフォーマットとして決定するステップ、または
前記第1のサービングセルの前記複信モードがTDDであり、前記ユーザ機器の第2のサービングセルの複信モードがFDDであり、前記第1のサービングセルに対応する前記HARQ-ACKが前記第2のサービングセルによって運ばれるPUCCH上で送信される場合、前記基地局によって、前記第1のサービングセルに対応する前記ダウンリンク制御チャネルのDCIフォーマットを前記FDDに対応するDCIフォーマットとして決定するステップを含む、請求項5または6に記載の方法。
【請求項８】
前記決定されたDCIフォーマットに応じて前記ダウンリンク制御チャネルを前記基地局によって送信する前記ステップが、
前記第1のサービングセルの前記複信モードがFDDであり、前記決定されたDCIフォーマットがTDDに対応するDCIフォーマットである場合、前記基地局によって、前記TDDに対応する前記DCIフォーマットに応じて前記ダウンリンク制御チャネルを送信するステップを含み、
前記ダウンリンク制御チャネルのDCIフォーマットがDCIフォーマット1Aであり、前記ダウンリンク制御チャネルのCRCがC-RNTIを使用することによってスクランブルされるとき、前記ダウンリンク制御チャネルが、前記第1のサービングセルに対応するUE固有探索空間USSによって運ばれる、請求項5から7のいずれか一項に記載の方法。
【請求項９】
ユーザ機器によって基地局からより上位のレイヤのシグナリングを受信するステップであって、前記より上位のレイヤのシグナリングが、前記ユーザ機器の第1のサービングセルに対応するダウンリンク制御チャネルのDCIフォーマットを示すインジケーション情報を含み、前記DCIフォーマットが、前記第1のサービングセルの複信モードおよび前記第1のサービングセルに対応するHARQ-ACKのフィードバックの方法に応じて前記基地局によって決定される、ステップと、
決定されたDCIフォーマットに応じて前記ダウンリンク制御チャネルを前記ユーザ機器によって検出するステップとを含む、制御情報送信方法。
【請求項１０】
前記決定されたDCIフォーマットに応じて前記ダウンリンク制御チャネルを前記ユーザ機器によって検出する前記ステップが、
前記第1のサービングセルの前記複信モードがFDDであり、前記決定されたDCIフォーマットがTDDに対応するDCIフォーマットであるとき、前記ユーザ機器によって、前記TDDに対応する前記DCIフォーマットに応じて前記ダウンリンク制御チャネルを検出するステップを含み、
前記ユーザ機器が、前記第1のサービングセルに対応するCSSにおいて検出される前記ダウンリンク制御チャネルのDCIフォーマットがDCIフォーマット1Aであること、または検出されたダウンリンク制御チャネルのCRCがC-RNTIを使用することによってスクランブルされることを期待しない、請求項9に記載の方法。
【請求項１１】
第1のサービングセルに対応するダウンリンク制御チャネルのダウンリンク制御情報DCIフォーマットを獲得することを決定するように構成された決定モジュールであって、前記第1のサービングセルが、ユーザ機器に対応するサービングセルであり、前記DCIフォーマットが、前記第1のサービングセルの複信モードおよび前記第1のサービングセルに対応するハイブリッド自動再送要求-肯定応答HARQ-ACKのフィードバックの方法を使用することによって決定される、決定モジュールと、
決定されたDCIフォーマットに応じて前記ダウンリンク制御チャネルを検出するように構成された検出モジュールとを含む、ユーザ機器。
【請求項１２】
前記決定モジュールが、前記第1のサービングセルの前記複信モードおよび前記第1のサービングセルに対応する前記HARQ-ACKの前記フィードバックの方法に応じて前記第1のサービングセルに対応する前記ダウンリンク制御チャネルのDCIフォーマットを決定するように特に構成される、請求項11に記載のユーザ機器。
【請求項１３】
前記決定モジュールが、以下のユニット、すなわち、
前記第1のサービングセルの前記複信モードが周波数分割複信FDDであり、前記ユーザ機器の第2のサービングセルの複信モードが時分割復信TDDであり、前記第1のサービングセルに対応する前記HARQ-ACKが前記第2のサービングセルによって運ばれる物理アップリンク制御チャネルPUCCH上で送信される場合、前記第1のサービングセルに対応する前記ダウンリンク制御チャネルのDCIフォーマットを前記TDDに対応するDCIフォーマットとして決定するように構成された第1の決定ユニットと、
前記第1のサービングセルの前記複信モードがFDDであり、前記第1のサービングセルに対応する前記HARQ-ACKが無線フレームの一部のアップリンクのサブフレームにおいてフィードバックされる場合、前記第1のサービングセルに対応する前記ダウンリンク制御チャネルのDCIフォーマットをTDDに対応するDCIフォーマットとして決定するように構成された第2の決定ユニットと、
前記第1のサービングセルの前記複信モードがFDDである場合は、前記ユーザ機器が1つのサブフレームにおいて複数のアップリンク送信能力を有する場合、前記第1のサービングセルに対応する前記ダウンリンク制御チャネルのDCIフォーマットを前記FDDに対応するDCIフォーマットとして決定し、前記ユーザ機器が1つのサブフレームにおいて単一のアップリンク送信能力を有する場合、前記第1のサービングセルに対応する前記ダウンリンク制御チャネルのDCIフォーマットをTDDに対応するDCIフォーマットとして決定するように構成された第3の決定ユニットと、
前記第1のサービングセルの前記複信モードがTDDであり、前記ユーザ機器の第2のサービングセルの複信モードがFDDであり、前記第1のサービングセルに対応する前記HARQ-ACKが前記第2のサービングセルによって運ばれるPUCCH上で送信される場合、前記第1のサービングセルに対応する前記ダウンリンク制御チャネルのDCIフォーマットを前記FDDに対応するDCIフォーマットとして決定するように構成された第4の決定ユニットとのうちのいずれか1つまたは複数を含む、請求項12に記載のユーザ機器。
【請求項１４】
前記検出モジュールが、前記第1のサービングセルの前記複信モードがFDDであり、前記決定されたDCIフォーマットがTDDに対応するDCIフォーマットであるとき、前記TDDに対応する前記DCIフォーマットに応じて前記ダウンリンク制御チャネルを検出するように特に構成され、前記第1のサービングセルに対応する共通探索空間CSSにおいて検出される前記ダウンリンク制御チャネルのDCIフォーマットがDCIフォーマット1Aであること、または検出されたダウンリンク制御チャネルの巡回冗長検査CRCがセル無線ネットワーク一時識別子C-RNTIを使用することによってスクランブルされることが期待されない、請求項11から13のいずれか一項に記載のユーザ機器。
【請求項１５】
ユーザ機器の第1のサービングセルの複信モードおよび前記第1のサービングセルに対応するHARQ-ACKのフィードバックの方法に応じて、前記第1のサービングセルに対応するダウンリンク制御チャネルのDCIフォーマットを決定するように構成された決定モジュールであって、前記第1のサービングセルが、前記ユーザ機器に対応するサービングセルである、決定モジュールと、
決定されたDCIフォーマットに応じて前記ダウンリンク制御チャネルを送信するように構成された送信モジュールとを含む、基地局。
【請求項１６】
前記送信モジュールが、前記決定モジュールが前記ユーザ機器の前記第1のサービングセルに対応する前記ダウンリンク制御チャネルのDCIフォーマットを決定した後、および前記送信モジュールが決定されたDCIフォーマットに応じて前記ダウンリンク制御チャネルを送信する前に、より上位のレイヤのシグナリングを前記ユーザ機器に送信するようにさらに構成され、前記より上位のレイヤのシグナリングが前記決定されたDCIフォーマットを示すインジケーション情報を含む、請求項15に記載の基地局。
【請求項１７】
前記決定モジュールが、
前記第1のサービングセルの前記複信モードがFDDであり、前記ユーザ機器の第2のサービングセルの複信モードがTDDであり、前記第1のサービングセルに対応する前記HARQ-ACKが前記第2のサービングセルによって運ばれる物理アップリンク制御チャネルPUCCH上で送信される場合、前記第1のサービングセルに対応する前記ダウンリンク制御チャネルのDCIフォーマットを前記TDDに対応するDCIフォーマットとして決定するように構成された第1の決定ユニット、または
前記第1のサービングセルの前記複信モードがFDDであり、前記第1のサービングセルに対応する前記HARQ-ACKが無線フレームの一部のアップリンクのサブフレームにおいてフィードバックされる場合、前記第1のサービングセルに対応する前記ダウンリンク制御チャネルのDCIフォーマットをTDDに対応するDCIフォーマットとして決定するように構成された第2の決定ユニット、または
前記第1のサービングセルの前記複信モードがFDDである場合は、前記ユーザ機器が1つのサブフレームにおいて複数のアップリンク送信能力を有する場合、前記第1のサービングセルに対応する前記ダウンリンク制御チャネルのDCIフォーマットを前記FDDに対応するDCIフォーマットとして決定し、前記ユーザ機器が1つのサブフレームにおいて単一のアップリンク送信能力を有する場合、前記基地局によって、前記第1のサービングセルに対応する前記ダウンリンク制御チャネルのDCIフォーマットをTDDに対応するDCIフォーマットとして決定するように構成された第3の決定ユニット、または
前記第1のサービングセルの前記複信モードがTDDであり、前記ユーザ機器の第2のサービングセルの複信モードがFDDであり、前記第1のサービングセルに対応する前記HARQ-ACKが前記第2のサービングセルによって運ばれるPUCCH上で送信される場合、前記第1のサービングセルに対応する前記ダウンリンク制御チャネルのDCIフォーマットを前記FDDに対応するDCIフォーマットとして決定するように構成された第4の決定ユニットを含む、請求項15または16に記載の基地局。
【請求項１８】
前記送信モジュールが、前記第1のサービングセルの前記複信モードがFDDであり、前記決定されたDCIフォーマットがTDDに対応するDCIフォーマットである場合、前記TDDに対応する前記DCIフォーマットに応じて前記ダウンリンク制御チャネルを送信するように特に構成され、前記ダウンリンク制御チャネルのDCIフォーマットがDCIフォーマット1Aであり、前記ダウンリンク制御チャネルのCRCがC-RNTIを使用することによってスクランブルされるとき、前記ダウンリンク制御チャネルが、前記第1のサービングセルに対応するUE固有探索空間USSによって運ばれる、請求項15から17のいずれか一項に記載の基地局。
【請求項１９】
基地局からより上位のレイヤのシグナリングを受信するように構成された受信モジュールであって、前記より上位のレイヤのシグナリングが、ユーザ機器の第1のサービングセルに対応するダウンリンク制御チャネルのDCIフォーマットを示すインジケーション情報を含み、前記DCIフォーマットが、前記第1のサービングセルの複信モードおよび前記第1のサービングセルに対応するHARQ-ACKのフィードバックの方法に応じて前記基地局によって決定される、受信モジュールと、
決定されたDCIフォーマットに応じて前記ダウンリンク制御チャネルを検出するように構成された検出モジュールとを含む、ユーザ機器。
【請求項２０】
前記検出モジュールが、前記第1のサービングセルの前記複信モードがFDDであり、前記決定されたDCIフォーマットがTDDに対応するDCIフォーマットであるとき、前記TDDに対応する前記DCIフォーマットに応じて前記ダウンリンク制御チャネルを検出するように特に構成され、前記第1のサービングセルに対応するCSSにおいて検出される前記ダウンリンク制御チャネルのDCIフォーマットがDCIフォーマット1Aであること、または検出されたダウンリンク制御チャネルのCRCがC-RNTIを使用することによってスクランブルされることが期待されない、請求項19に記載のユーザ機器。
【請求項２１】
物理アップリンク制御チャネル構成情報をユーザ機器によって受信するステップと、
前記物理アップリンク制御チャネル構成情報に従って前記ユーザ機器によって、第1の物理アップリンク制御チャネルを運ぶサービングセルを決定するステップと、
前記第1の物理アップリンク制御チャネルを運ぶ前記サービングセルにおいて前記第1の物理アップリンク制御チャネルを使用することによってアップリンク制御情報を前記ユーザ機器によって送信するステップとを含む、制御情報送信方法。
【請求項２２】
前記アップリンク制御チャネル構成情報が、前記第1の物理アップリンク制御チャネルを運ぶ前記サービングセルのセルインデックスを含み、前記物理アップリンク制御チャネル構成情報に従って前記ユーザ機器によって、第1の物理アップリンク制御チャネルを運ぶサービングセルを決定する前記ステップが、
前記物理アップリンク制御チャネル構成情報内にあり、前記第1の物理アップリンク制御チャネルを運ぶ前記サービングセルのものである前記セルインデックスに従って前記ユーザ機器によって、前記第1の物理アップリンク制御チャネルを運ぶ前記サービングセルを決定するステップを含む、請求項21に記載の方法。
【請求項２３】
前記第1の物理アップリンク制御チャネルを運ぶ前記サービングセルが、前記ユーザ機器のセカンダリサービングセルである、請求項21または22に記載の方法。
【請求項２４】
前記第1の物理アップリンク制御チャネルを運ぶ前記サービングセルにおいて前記第1の物理アップリンク制御チャネルを使用することによってアップリンク制御情報を前記ユーザ機器によって送信する前記ステップが、
前記第1の物理アップリンク制御チャネルを運ぶ前記サービングセルにおいて前記第1の物理アップリンク制御チャネルを使用することによって第1のアップリンク制御情報を前記ユーザ機器によって送信し、前記ユーザ機器のプライマリサービングセルにおいて第2の物理アップリンク制御チャネルを使用することによって第2のアップリンク制御情報を前記ユーザ機器によって送信するステップを含む、請求項23に記載の方法。
【請求項２５】
前記物理アップリンク制御チャネル構成情報に従って前記ユーザ機器によって、第1の物理アップリンク制御チャネルを運ぶサービングセルを決定する前記ステップが、
前記物理アップリンク制御チャネル構成情報に従って前記ユーザ機器によって、前記第1の物理アップリンク制御チャネルを運ぶ前記サービングセルおよび第2の物理アップリンク制御チャネルを運ぶサービングセルを決定するステップを含み、
前記第1の物理アップリンク制御チャネルを運ぶ前記サービングセルにおいて前記第1の物理アップリンク制御チャネルを使用することによってアップリンク制御情報を前記ユーザ機器によって送信する前記ステップが、
前記第1の物理アップリンク制御チャネルを運ぶ前記サービングセルにおいて前記第1の物理アップリンク制御チャネルを使用することによって第1のアップリンク制御情報を前記ユーザ機器によって送信し、前記第2の物理アップリンク制御チャネルを運ぶ前記サービングセルにおいて第2のアップリンク制御情報を送信するステップを含む、請求項21に記載の方法。
【請求項２６】
前記アップリンク制御チャネル構成情報が、前記第1の物理アップリンク制御チャネルを運ぶ前記サービングセルのセルインデックスおよび前記第2の物理アップリンク制御チャネルを運ぶ前記サービングセルのセルインデックスを含み、前記物理アップリンク制御チャネル構成情報に従って前記ユーザ機器によって、前記第1の物理アップリンク制御チャネルを運ぶ前記サービングセルおよび第2の物理アップリンク制御チャネルを運ぶサービングセルを決定する前記ステップが、
前記物理アップリンク制御チャネル構成情報内にあり、前記第1の物理アップリンク制御チャネルを運ぶ前記サービングセルのものである前記セルインデックスに従って前記ユーザ機器によって、前記第1の物理アップリンク制御チャネルを運ぶ前記サービングセルを決定し、前記物理アップリンク制御チャネル構成情報内にあり、前記第2の物理アップリンク制御チャネルを運ぶ前記サービングセルのものである前記セルインデックスに従って、前記第2の物理アップリンク制御チャネルを運ぶ前記サービングセルを決定するステップを含む、請求項25に記載の方法。
【請求項２７】
前記第1のアップリンク制御情報が、第1のサービングセルの組に対応し、前記第2のアップリンク制御情報が、第2のサービングセルの組に対応し、前記第1のサービングセルの組が、前記第2のサービングセルの組に属さない少なくとも1つのサービングセルを含む、請求項24から26のいずれか一項に記載の方法。
【請求項２８】
前記第1のサービングセルの組内のサービングセルの複信モードが周波数分割複信FDDであり、前記第2のサービングセルの組内のサービングセルの複信モードが時分割復信TDDであるか、または
前記第1のサービングセルの組内のサービングセル間のバックホールリンクが理想的なバックホールリンクであり、前記第2のサービングセルの組内のサービングセル間のバックホールリンクが理想的なバックホールリンクであり、前記第1のサービングセルの組内のサービングセルと前記第2のサービングセルの組内のサービングセルとの間のバックホールリンクが理想的でないバックホールリンクである、請求項27に記載の方法。
【請求項２９】
前記第1のサービングセルの組に含まれるサービングセルおよび前記第2の物理セルの組に含まれるサービングセルが、前記物理アップリンク制御チャネル構成情報に従って決定される、請求項27または28に記載の方法。
【請求項３０】
前記物理アップリンク制御チャネル構成情報が、前記第1のサービングセルの組内にあり、前記第1の物理アップリンク制御チャネルに対応するサービングセルのセルインデックスおよび前記第2のサービングセルの組内にあり、前記第2の物理アップリンク制御チャネルに対応するサービングセルのセルインデックスを含み、前記第1のサービングセルの組に含まれるサービングセルおよび前記第2の物理セルの組に含まれるサービングセルが、前記物理アップリンク制御チャネル構成情報に従って決定され、
前記第1のサービングセルの組に含まれる前記サービングセルが、物理アップリンク制御チャネル構成情報内の、前記第1のサービングセルの組内にあり、前記第1の物理アップリンク制御チャネルに対応する前記サービングセルの前記セルインデックスに従って決定され、前記第2のサービングセルの組に含まれる前記サービングセルが、前記物理アップリンク制御チャネル構成情報内の、前記第2のサービングセルの組内にあり、前記第2の物理アップリンク制御チャネルに対応する前記サービングセルの前記セルインデックスに従って決定される、請求項29に記載の方法。
【請求項３１】
基地局によってユーザ機器に物理アップリンク制御チャネル構成情報を送信するステップであって、前記物理アップリンク制御チャネル構成情報が、第1の物理アップリンク制御チャネルを運ぶサービングセルを示すインジケーション情報を含み、前記サービングセルが、前記ユーザ機器に対応するサービングセルである、ステップと、
前記第1の物理アップリンク制御チャネルを運ぶ前記サービングセルにおいて前記第1の物理アップリンク制御チャネルを使用することによって前記基地局によって、前記ユーザ機器によって送信されたアップリンク制御情報を受信するステップとを含む、制御情報送信方法。
【請求項３２】
前記第1の物理アップリンク制御チャネルを運ぶ前記サービングセルを示す前記インジケーション情報が、前記第1の物理アップリンク制御チャネルを運ぶ前記サービングセルのセルインデックスである、請求項31に記載の方法。
【請求項３３】
前記第1の物理アップリンク制御チャネルを運ぶ前記サービングセルが、前記ユーザ機器のセカンダリサービングセルである、請求項31または32に記載の方法。
【請求項３４】
前記第1の物理アップリンク制御チャネルを運ぶ前記サービングセルにおいて前記第1の物理アップリンク制御チャネルを使用することによって前記基地局によって、前記ユーザ機器によって送信されたアップリンク制御情報を受信する前記ステップが、
前記第1の物理アップリンク制御チャネルを運ぶ前記サービングセルにおいて前記第1の物理アップリンク制御チャネルを使用することによって前記基地局によって、前記ユーザ機器によって送信された第1のアップリンク制御情報を受信し、前記ユーザ機器のプライマリサービングセルにおいて第2の物理アップリンク制御チャネルを使用することによって、前記ユーザ機器によって送信された第2のアップリンク制御情報を受信するステップを含む、請求項33に記載の方法。
【請求項３５】
前記物理アップリンク制御チャネル構成情報が、第1の物理アップリンク制御チャネルを運ぶサービングセルを示すインジケーション情報を含み、前記第1の物理アップリンク制御チャネルを運ぶ前記サービングセルが、前記ユーザ機器に対応するサービングセルであることは、
前記物理アップリンク制御チャネル構成情報が、前記第1の物理アップリンク制御チャネルを運ぶ前記サービングセルを示す前記インジケーション情報および第2の物理アップリンク制御チャネルを運ぶサービングセルを示すインジケーション情報を含み、前記第1の物理アップリンク制御チャネルを運ぶ前記サービングセルと前記第2の物理アップリンク制御チャネルを運ぶ前記サービングセルとの両方が、前記ユーザ機器に対応するサービングセルであることを含み、
前記第1の物理アップリンク制御チャネルを運ぶ前記サービングセルにおいて前記第1の物理アップリンク制御チャネルを使用することによって前記基地局によって、前記ユーザ機器によって送信されたアップリンク制御情報を受信する前記ステップが、
前記第1の物理アップリンク制御チャネルを運ぶ前記サービングセルにおいて前記第1の物理アップリンク制御チャネルを使用することによって前記基地局によって、前記ユーザ機器によって送信された第1のアップリンク制御情報を受信し、前記第2の物理アップリンク制御チャネルを運ぶ前記サービングセルにおいて前記第2の物理アップリンク制御チャネルを使用することによって、前記ユーザ機器によって送信された第2のアップリンク制御情報を受信するステップを含む、請求項31に記載の方法。
【請求項３６】
前記第1の物理アップリンク制御チャネルを運ぶ前記サービングセルを示す前記インジケーション情報が、前記第1の物理アップリンク制御チャネルを運ぶ前記サービングセルのセルインデックスであり、前記第2の物理アップリンク制御チャネルを運ぶ前記サービングセルを示す前記インジケーション情報が、前記第2の物理アップリンク制御チャネルを運ぶ前記サービングセルのセルインデックスである、請求項35に記載の方法。
【請求項３７】
前記第1のアップリンク制御情報が、前記ユーザ機器の第1のサービングセルの組に対応し、前記第2のアップリンク制御情報が、前記ユーザ機器の第2のサービングセルの組に対応し、前記第1のサービングセルの組が、前記第2のサービングセルの組に属さない少なくとも1つのサービングセルを含む、請求項34から36のいずれか一項に記載の方法。
【請求項３８】
前記第1のサービングセルの組内のサービングセルの複信モードが周波数分割複信FDDであり、前記第2のサービングセルの組内のサービングセルの複信モードが時分割復信TDDであるか、または
前記第1のサービングセルの組内のサービングセル間のバックホールリンクが理想的なバックホールリンクであり、前記第2のサービングセルの組内のサービングセル間のバックホールリンクが理想的なバックホールリンクであり、前記第1のサービングセルの組内のサービングセルと前記第2のサービングセルの組内のサービングセルとの間のバックホールリンクが理想的でないバックホールリンクである、請求項37に記載の方法。
【請求項３９】
前記物理アップリンク制御チャネル構成情報が、前記第1のサービングセルの組内にあり、前記第1の物理アップリンク制御チャネルに対応するサービングセルのセルインデックスおよび前記第2のサービングセルの組内にあり、前記第2の物理アップリンク制御チャネルに対応するサービングセルのセルインデックスを含む、請求項37または38に記載の方法。
【請求項４０】
物理アップリンク制御チャネル構成情報を受信するように構成された受信モジュールと、
前記物理アップリンク制御チャネル構成情報に従って、第1の物理アップリンク制御チャネルを運ぶサービングセルを決定するように構成された決定モジュールと、
前記第1の物理アップリンク制御チャネルを運ぶ前記サービングセルにおいて前記第1の物理アップリンク制御チャネルを使用することによってアップリンク制御情報を送信するように構成された送信モジュールとを含む、ユーザ機器。
【請求項４１】
前記アップリンク制御チャネル構成情報が、前記第1の物理アップリンク制御チャネルを運ぶ前記サービングセルのセルインデックスを含み、
前記決定モジュールが、前記物理アップリンク制御チャネル構成情報内にあり、前記第1のアップリンク制御チャネルを運ぶ前記サービングセルのものである前記セルインデックスに従って、前記第1の物理アップリンク制御チャネルを運ぶ前記サービングセルを決定するように特に構成される、請求項40に記載のユーザ機器。
【請求項４２】
前記第1の物理アップリンク制御チャネルを運ぶ前記サービングセルが、前記ユーザ機器のセカンダリサービングセルである、請求項40または41に記載のユーザ機器。
【請求項４３】
前記送信モジュールが、
前記第1の物理アップリンク制御チャネルを運ぶ前記サービングセルにおいて前記第1の物理アップリンク制御チャネルを使用することによって第1のアップリンク制御情報を送信し、前記ユーザ機器のプライマリサービングセルにおいて第2の物理アップリンク制御チャネルを使用することによって第2のアップリンク制御情報を送信するように特に構成される、請求項42に記載のユーザ機器。
【請求項４４】
前記決定モジュールが、
前記物理アップリンク制御チャネル構成情報に従って、前記第1の物理アップリンク制御チャネルを運ぶ前記サービングセルおよび第2の物理アップリンク制御チャネルを運ぶサービングセルを決定するように特に構成され、
前記送信モジュールが、
前記第1の物理アップリンク制御チャネルを運ぶ前記サービングセルにおいて前記第1の物理アップリンク制御チャネルを使用することによって第1のアップリンク制御情報を送信し、前記第2の物理アップリンク制御チャネルを運ぶ前記サービングセルにおいて第2のアップリンク制御情報を送信するように特に構成される、請求項40に記載のユーザ機器。
【請求項４５】
前記物理アップリンク制御チャネル構成情報が、前記第1の物理アップリンク制御チャネルを運ぶ前記サービングセルのセルインデックスおよび前記第2の物理アップリンク制御チャネルを運ぶ前記サービングセルのセルインデックスを含み、前記決定モジュールが、
前記物理アップリンク制御チャネル構成情報内にあり、前記第1の物理アップリンク制御チャネルを運ぶ前記サービングセルのものである前記セルインデックスに従って、前記第1の物理アップリンク制御チャネルを運ぶ前記サービングセルを決定するように構成された第1の決定ユニットと、
前記物理アップリンク制御チャネル構成情報内にあり、前記第2の物理アップリンク制御チャネルを運ぶ前記サービングセルのものである前記セルインデックスに従って、前記第2の物理アップリンク制御チャネルを運ぶ前記サービングセルを決定するように構成された第2の決定ユニットとを特に含む、請求項44に記載のユーザ機器。
【請求項４６】
前記第1のアップリンク制御情報が、第1のサービングセルの組に対応し、前記第2のアップリンク制御情報が、第2のサービングセルの組に対応し、前記第1のサービングセルの組が、前記第2のサービングセルの組に属さない少なくとも1つのサービングセルを含む、請求項43から45のいずれか一項に記載のユーザ機器。
【請求項４７】
前記第1のサービングセルの組内のサービングセルの複信モードが周波数分割複信FDDであり、前記第2のサービングセルの組内のサービングセルの複信モードが時分割復信TDDであるか、または
前記第1のサービングセルの組内のサービングセル間のバックホールリンクが理想的なバックホールリンクであり、前記第2のサービングセルの組内のサービングセル間のバックホールリンクが理想的なバックホールリンクであり、前記第1のサービングセルの組内のサービングセルと前記第2のサービングセルの組内のサービングセルとの間のバックホールリンクが理想的でないバックホールリンクである、請求項46に記載のユーザ機器。
【請求項４８】
前記決定モジュールが、前記物理アップリンク制御チャネル構成情報に従って、前記第1のサービングセルの組に含まれるサービングセルおよび前記第2の物理セルの組に含まれるサービングセルを決定するようにさらに構成される、請求項46または47に記載のユーザ機器。
【請求項４９】
前記物理アップリンク制御チャネル構成情報が、前記第1のサービングセルの組内にあり、前記第1の物理アップリンク制御チャネルに対応するサービングセルのセルインデックスおよび前記第2のサービングセルの組内にあり、前記第2の物理アップリンク制御チャネルに対応するサービングセルのセルインデックスを含み、前記決定モジュールが、
前記物理アップリンク制御チャネル構成情報内の、前記第1のサービングセルの組内にあり、前記第1の物理アップリンク制御チャネルに対応する前記サービングセルの前記セルインデックスに従って前記第1のサービングセルの組に含まれる前記サービングセルを決定するように構成された第3の決定ユニットと、
前記物理アップリンク制御チャネル構成情報内の、前記第2のサービングセルの組内にあり、前記第2の物理アップリンク制御チャネルに対応する前記サービングセルの前記セルインデックスに従って前記第2のサービングセルの組に含まれる前記サービングセルを決定するように構成された第4の決定ユニットとをさらに含む、請求項48に記載のユーザ機器。
【請求項５０】
ユーザ機器に物理アップリンク制御チャネル構成情報を送信するように構成された送信モジュールであって、前記物理アップリンク制御チャネル構成情報が、第1の物理アップリンク制御チャネルを運ぶサービングセルを示すインジケーション情報を含み、前記サービングセルが、前記ユーザ機器に対応するサービングセルである、送信モジュールと、
前記第1の物理アップリンク制御チャネルを運ぶ前記サービングセルにおいて前記第1の物理アップリンク制御チャネルを使用することによって、前記ユーザ機器によって送信されたアップリンク制御情報を受信するように構成された受信モジュールとを含む、基地局。
【請求項５１】
前記第1の物理アップリンク制御チャネルを運ぶ前記サービングセルを示す前記インジケーション情報が、前記第1の物理アップリンク制御チャネルを運ぶ前記サービングセルのセルインデックスである、請求項50に記載の基地局。
【請求項５２】
前記第1の物理アップリンク制御チャネルを運ぶ前記サービングセルが、前記ユーザ機器のセカンダリサービングセルである、請求項50または51に記載の基地局。
【請求項５３】
前記受信モジュールが、
前記第1の物理アップリンク制御チャネルを運ぶ前記サービングセルにおいて前記第1の物理アップリンク制御チャネルを使用することによって、前記ユーザ機器によって送信された第1のアップリンク制御情報を受信し、前記ユーザ機器のプライマリサービングセルにおいて第2の物理アップリンク制御チャネルを使用することによって、前記ユーザ機器によって送信された第2のアップリンク制御情報を受信するように特に構成される、請求項52に記載の基地局。
【請求項５４】
前記物理アップリンク制御チャネル構成情報が、第1の物理アップリンク制御チャネルを運ぶサービングセルを示すインジケーション情報を含み、前記第1の物理アップリンク制御チャネルを運ぶ前記サービングセルが、前記ユーザ機器に対応するサービングセルであることは、
前記物理アップリンク制御チャネル構成情報が、前記第1の物理アップリンク制御チャネルを運ぶ前記サービングセルを示す前記インジケーション情報および第2の物理アップリンク制御チャネルを運ぶサービングセルを示すインジケーション情報を含み、前記第1の物理アップリンク制御チャネルを運ぶ前記サービングセルと前記第2の物理アップリンク制御チャネルを運ぶ前記サービングセルとの両方が、前記ユーザ機器に対応するサービングセルであることを含み、
前記受信モジュールが、
前記第1の物理アップリンク制御チャネルを運ぶ前記サービングセルにおいて前記第1の物理アップリンク制御チャネルを使用することによって、前記ユーザ機器によって送信された第1のアップリンク制御情報を受信し、前記第2の物理アップリンク制御チャネルを運ぶ前記サービングセルにおいて前記第2の物理アップリンク制御チャネルを使用することによって、前記ユーザ機器によって送信された第2のアップリンク制御情報を受信するように特に構成される、請求項50に記載の基地局。
【請求項５５】
前記第1の物理アップリンク制御チャネルを運ぶ前記サービングセルを示す前記インジケーション情報が、前記第1の物理アップリンク制御チャネルを運ぶ前記サービングセルのセルインデックスであり、前記第2の物理アップリンク制御チャネルを運ぶ前記サービングセルを示す前記インジケーション情報が、前記第2の物理アップリンク制御チャネルを運ぶ前記サービングセルのセルインデックスである、請求項54に記載の基地局。
【請求項５６】
前記第1のアップリンク制御情報が、前記ユーザ機器の第1のサービングセルの組に対応し、前記第2のアップリンク制御情報が、前記ユーザ機器の第2のサービングセルの組に対応し、前記第1のサービングセルの組が、前記第2のサービングセルの組に属さない少なくとも1つのサービングセルを含む、請求項53から55のいずれか一項に記載の基地局。
【請求項５７】
前記第1のサービングセルの組内のサービングセルの複信モードが周波数分割複信FDDであり、前記第2のサービングセルの組内のサービングセルの複信モードが時分割復信TDDであるか、または
前記第1のサービングセルの組内のサービングセル間のバックホールリンクが理想的なバックホールリンクであり、前記第2のサービングセルの組内のサービングセル間のバックホールリンクが理想的なバックホールリンクであり、前記第1のサービングセルの組内のサービングセルと前記第2のサービングセルの組内のサービングセルとの間のバックホールリンクが理想的でないバックホールリンクである、請求項56に記載の基地局。
【請求項５８】
前記物理アップリンク制御チャネル構成情報が、前記第1のサービングセルの組内にあり、前記第1の物理アップリンク制御チャネルに対応するサービングセルのセルインデックスおよび前記第2のサービングセルの組内にあり、前記第2の物理アップリンク制御チャネルに対応するサービングセルのセルインデックスを含む、請求項56または57に記載の基地局。
【発明の詳細な説明】
【技術分野】
【０００１】
本発明は、通信技術の分野に関し、特に、制御情報送信方法、ユーザ機器、および基地局に関する。
【背景技術】
【０００２】
第3世代パートナーシッププロジェクト(英語、3rd Generation Partnership Project、略して3GPP)ロングタームエボリューション(英語、Long Term Evolution、略してLTE)システムは、2つのモード、すなわち、周波数分割複信(英語、Frequency Division Duplexing、略してFDD)および時分割復信(英語、Time Division Duplexing、略してTDD)を含む。FDDシステムにおいて、送信および受信は、2つの別々の周波数チャネル上で実行される。TDDシステムにおいて、送信および受信は1つの周波数チャネル上で実行されるが、送信および受信は時間的に分けられ、つまり、同じ周波数キャリアの異なるタイムスロットが送信および受信のために使用される。TDDシステムは、異なるアップリンク-ダウンリンク時間構成をサポートする。アップリンク-ダウンリンク時間構成は、アップリンク-ダウンリンク非対称サービス(uplink-downlink asymmetric service)の要件を満たすために異なるサービスの種類に応じて調整され得る。
【０００３】
リリース3GPP LTE Rel10/11においては、スペクトルアグリゲーション(英語、Spectrum Aggregation)技術または帯域幅拡張(英語、Bandwidth Extension)技術とも呼ばれるキャリアアグリゲーション(英語、Carrier Aggregation、略してCA)技術が、第4世代通信技術に対する国際電気通信連合のピークデータレートの要件を満たすために導入された。キャリアアグリゲーション中、2つ以上のコンポーネントキャリア(英語、Component Carrier)のスペクトルが、より広い送信帯域を得るためにアグリゲーションされる。コンポーネントキャリアのスペクトルは、隣接する連続したスペクトルである可能性があり、または同じ周波数帯域内の隣接していないスペクトルであるか、もしくは異なる周波数帯域内の不連続なスペクトルである可能性さえある。LTE Rel-8/9のユーザ機器(英語、User Equipment、略してUE)は、データを送信および受信するためにただ1つのコンポーネントキャリアにアクセスすることができ、一方、LTE-Aのユーザ機器は、そのユーザ機器の能力およびサービスの要件に応じて、データを送信および受信するために複数のコンポーネントキャリアに同時にアクセスすることができる。
【０００４】
既存のキャリアアグリゲーションシステムにおいて、アグリゲーションは、同じ進化型NodeB(英語、Evolved NodeB、略してeNB)に対応するキャリア上で実行され、またはアグリゲーションは、理想的なバックホールリンク(英語、Backhaul)が間に存在するマクロセルとマイクロセルとのキャリア上で実行され、たとえば、マクロセルとマイクロセルとは、光ファイバを使用することによって接続される(この場合、マイクロセルは、無線周波数ヘッド(radio-frequency head)である可能性もある)。既存のCAシステムにおいては、ハイブリッド自動再送要求(hybrid automatic repeat request)-肯定応答情報が、プライマリコンポーネントキャリア上でのみ送信される。既存のCAシステムにおいて、アグリゲーションされるキャリアの複信モードは同じであり、たとえば、FDDである可能性があり、またはTDDである可能性がある。既存のCAシステムにおいては、キャリアの複信モードがFDDである場合、キャリアに対応するダウンリンク制御チャネルのDCIフォーマットの内容がFDDモードで決定され、キャリアの複信モードがTDDである場合、キャリアに対応するダウンリンク制御チャネルのDCIフォーマットの内容がTDDモードで決定される。
【０００５】
それに続くLTEシステムにおいて、キャリアアグリゲーションは、異なる複信モードでのアグリゲーションおよび/または基地局間のアグリゲーションへと反転する可能性がある。異なる複信モードでのアグリゲーションおよび/または基地局間のアグリゲーションの方法に関して、ダウンリンク制御情報およびアップリンク制御情報などの制御情報の送信の問題が解決される必要がある。
【発明の概要】
【発明が解決しようとする課題】
【０００６】
これに鑑みて、本発明において解決される技術的な問題は、異なるアグリゲーションの方法でどのようにして制御情報を送信すべきかということである。
【課題を解決するための手段】
【０００７】
上述の技術的な問題を解決するために、本発明の実施形態によれば、
第1のサービングセルに対応するダウンリンク制御チャネルのダウンリンク制御情報DCIフォーマットを獲得することをユーザ機器によって決定するステップであって、第1のサービングセルが、ユーザ機器に対応するサービングセルであり、DCIフォーマットが、第1のサービングセルの複信モードおよび第1のサービングセルに対応するハイブリッド自動再送要求-肯定応答HARQ-ACKのフィードバックの方法を使用することによって決定される、決定するステップと、
決定されたDCIフォーマットに応じてダウンリンク制御チャネルをユーザ機器によって検出するステップとを含む制御情報送信方法が、提供される。
【０００８】
上述の制御情報送信方法に関して、あり得る実装の方法において、第1のサービングセルに対応するダウンリンク制御チャネルのDCIフォーマットを獲得することをユーザ機器によって決定するステップは、
第1のサービングセルの複信モードおよび第1のサービングセルに対応するHARQ-ACKのフィードバックの方法に応じてユーザ機器によって第1のサービングセルに対応するダウンリンク制御チャネルのDCIフォーマットを決定するステップを含む。
【０００９】
上述の制御情報送信方法に関して、あり得る実装の方法において、第1のサービングセルの複信モードおよび第1のサービングセルに対応するHARQ-ACKのフィードバックの方法に応じてユーザ機器によって第1のサービングセルに対応するダウンリンク制御チャネルのDCIフォーマットを決定するステップは、
第1のサービングセルの複信モードが周波数分割複信FDDであり、ユーザ機器の第2のサービングセルの複信モードが時分割復信TDDであり、第1のサービングセルに対応するHARQ-ACKが第2のサービングセルによって運ばれる物理アップリンク制御チャネルPUCCH上で送信される場合、ユーザ機器によって、第1のサービングセルに対応するダウンリンク制御チャネルのDCIフォーマットをTDDに対応するDCIフォーマットとして決定するステップ、または
第1のサービングセルの複信モードがFDDであり、第1のサービングセルに対応するHARQ-ACKが無線フレームの一部のアップリンクのサブフレームにおいてフィードバックされる場合、ユーザ機器によって、第1のサービングセルに対応するダウンリンク制御チャネルのDCIフォーマットをTDDに対応するDCIフォーマットとして決定するステップ、または
第1のサービングセルの複信モードがFDDである場合は、ユーザ機器が1つのサブフレームにおいて複数のアップリンク送信能力を有する場合、ユーザ機器によって、第1のサービングセルに対応するダウンリンク制御チャネルのDCIフォーマットをFDDに対応するDCIフォーマットとして決定し、ユーザ機器が1つのサブフレームにおいて単一のアップリンク送信能力を有する場合、ユーザ機器によって、第1のサービングセルに対応するダウンリンク制御チャネルのDCIフォーマットをTDDに対応するDCIフォーマットとして決定するステップ、または
第1のサービングセルの複信モードがTDDであり、ユーザ機器の第2のサービングセルの複信モードがFDDであり、第1のサービングセルに対応するHARQ-ACKが第2のサービングセルによって運ばれるPUCCH上で送信される場合、ユーザ機器によって、第1のサービングセルに対応するダウンリンク制御チャネルのDCIフォーマットをFDDに対応するDCIフォーマットとして決定するステップを含む。
【００１０】
上述の制御情報送信方法に関して、あり得る実装の方法において、決定されたDCIフォーマットに応じてダウンリンク制御チャネルをユーザ機器によって検出するステップは、
第1のサービングセルの複信モードがFDDであり、決定されたDCIフォーマットがTDDに対応するDCIフォーマットであるとき、ユーザ機器によって、TDDに対応するDCIフォーマットに応じてダウンリンク制御チャネルを検出するステップを含み、
ユーザ機器は、第1のサービングセルに対応する共通探索空間(common search space)CSSにおいて検出されるダウンリンク制御チャネルのDCIフォーマットがDCIフォーマット1Aであること、または検出されたダウンリンク制御チャネルの巡回冗長検査CRCがセル無線ネットワーク一時識別子(cell radio network temporary identifier)C-RNTIを使用することによってスクランブルされることを期待しない。
【００１１】
上述の技術的な問題を解決するために、本発明の実施形態によれば、
ユーザ機器の第1のサービングセルの複信モードおよび第1のサービングセルに対応するHARQ-ACKのフィードバックの方法に応じて基地局によって、第1のサービングセルに対応するダウンリンク制御チャネルのDCIフォーマットを決定するステップであって、第1のサービングセルが、ユーザ機器に対応するサービングセルである、ステップと、
決定されたDCIフォーマットに応じてダウンリンク制御チャネルを基地局によって送信するステップとを含む制御情報送信方法が、提供される。
【００１２】
上述の制御情報送信方法に関して、あり得る実装の方法において、基地局がユーザ機器の第1のサービングセルに対応するダウンリンク制御チャネルのDCIフォーマットを決定した後、および基地局が決定されたDCIフォーマットに応じてダウンリンク制御チャネルを送信する前に、方法は、
基地局によってユーザ機器により上位のレイヤのシグナリングを送信するステップであって、より上位のレイヤのシグナリングが決定されたDCIフォーマットを示すインジケーション情報を含む、ステップを含む。
【００１３】
上述の制御情報送信方法に関して、あり得る実装の方法において、ユーザ機器の第1のサービングセルの複信モードおよび第1のサービングセルに対応するHARQ-ACKのフィードバックの方法に応じて基地局によって、第1のサービングセルに対応するダウンリンク制御チャネルのDCIフォーマットを決定するステップは、
第1のサービングセルの複信モードがFDDであり、ユーザ機器の第2のサービングセルの複信モードがTDDであり、第1のサービングセルに対応するHARQ-ACKが第2のサービングセルによって運ばれる物理アップリンク制御チャネルPUCCH上で送信される場合、基地局によって、第1のサービングセルに対応するダウンリンク制御チャネルのDCIフォーマットをTDDに対応するDCIフォーマットとして決定するステップ、または
第1のサービングセルの複信モードがFDDであり、第1のサービングセルに対応するHARQ-ACKが無線フレームの一部のアップリンクのサブフレームにおいてフィードバックされる場合、基地局によって、第1のサービングセルに対応するダウンリンク制御チャネルのDCIフォーマットをTDDに対応するDCIフォーマットとして決定するステップ、または
第1のサービングセルの複信モードがFDDである場合は、ユーザ機器が1つのサブフレームにおいて複数のアップリンク送信能力を有する場合、基地局によって、第1のサービングセルに対応するダウンリンク制御チャネルのDCIフォーマットをFDDに対応するDCIフォーマットとして決定し、ユーザ機器が1つのサブフレームにおいて単一のアップリンク送信能力を有する場合、基地局によって、第1のサービングセルに対応するダウンリンク制御チャネルのDCIフォーマットをTDDに対応するDCIフォーマットとして決定するステップ、または
第1のサービングセルの複信モードがTDDであり、ユーザ機器の第2のサービングセルの複信モードがFDDであり、第1のサービングセルに対応するHARQ-ACKが第2のサービングセルによって運ばれるPUCCH上で送信される場合、基地局によって、第1のサービングセルに対応するダウンリンク制御チャネルのDCIフォーマットをFDDに対応するDCIフォーマットとして決定するステップを含む。
【００１４】
上述の制御情報送信方法に関して、あり得る実装の方法において、決定されたDCIフォーマットに応じてダウンリンク制御チャネルを基地局によって送信するステップは、
第1のサービングセルの複信モードがFDDであり、決定されたDCIフォーマットがTDDに対応するDCIフォーマットである場合、基地局によって、TDDに対応するDCIフォーマットに応じてダウンリンク制御チャネルを送信するステップを含み、
ダウンリンク制御チャネルのDCIフォーマットがDCIフォーマット1Aであり、ダウンリンク制御チャネルのCRCがC-RNTIを使用することによってスクランブルされるとき、ダウンリンク制御チャネルは、第1のサービングセルに対応するUE固有探索空間USSによって運ばれる。
【００１５】
上述の技術的な問題を解決するために、本発明の実施形態によれば、
ユーザ機器によって基地局からより上位のレイヤのシグナリングを受信するステップであって、より上位のレイヤのシグナリングが、ユーザ機器の第1のサービングセルに対応するダウンリンク制御チャネルのDCIフォーマットを示すインジケーション情報を含み、DCIフォーマットが、第1のサービングセルの複信モードおよび第1のサービングセルに対応するHARQ-ACKのフィードバックの方法に応じて基地局によって決定される、ステップと、
決定されたDCIフォーマットに応じてダウンリンク制御チャネルをユーザ機器によって検出するステップとを含む制御情報送信方法が、提供される。
【００１６】
上述の制御情報送信方法に関して、あり得る実装の方法において、決定されたDCIフォーマットに応じてダウンリンク制御チャネルをユーザ機器によって検出するステップは、
第1のサービングセルの複信モードがFDDであり、決定されたDCIフォーマットがTDDに対応するDCIフォーマットであるとき、ユーザ機器によって、TDDに対応するDCIフォーマットに応じてダウンリンク制御チャネルを検出するステップを含み、
ユーザ機器は、第1のサービングセルに対応するCSSにおいて検出されるダウンリンク制御チャネルのDCIフォーマットがDCIフォーマット1Aであること、または検出されたダウンリンク制御チャネルのCRCがC-RNTIを使用することによってスクランブルされることを期待しない。
【００１７】
上述の技術的な問題を解決するために、本発明の実施形態によれば、
第1のサービングセルに対応するダウンリンク制御チャネルのダウンリンク制御情報DCIフォーマットを獲得することを決定するように構成された決定モジュールであって、第1のサービングセルが、ユーザ機器に対応するサービングセルであり、DCIフォーマットが、第1のサービングセルの複信モードおよび第1のサービングセルに対応するハイブリッド自動再送要求-肯定応答HARQ-ACKのフィードバックの方法を使用することによって決定される、決定モジュールと、
決定されたDCIフォーマットに応じてダウンリンク制御チャネルを検出するように構成された検出モジュールとを含むユーザ機器が、提供される。
【００１８】
上述のユーザ機器に関して、あり得る実装の方法において、決定モジュールは、第1のサービングセルの複信モードおよび第1のサービングセルに対応するHARQ-ACKのフィードバックの方法に応じて第1のサービングセルに対応するダウンリンク制御チャネルのDCIフォーマットを決定するように特に構成される。
【００１９】
上述のユーザ機器に関して、あり得る実装の方法において、決定モジュールは、以下のユニット、すなわち、
第1のサービングセルの複信モードが周波数分割複信FDDであり、ユーザ機器の第2のサービングセルの複信モードが時分割復信TDDであり、第1のサービングセルに対応するHARQ-ACKが第2のサービングセルによって運ばれる物理アップリンク制御チャネルPUCCH上で送信される場合、第1のサービングセルに対応するダウンリンク制御チャネルのDCIフォーマットをTDDに対応するDCIフォーマットとして決定するように構成された第1の決定ユニットと、
第1のサービングセルの複信モードがFDDであり、第1のサービングセルに対応するHARQ-ACKが無線フレームの一部のアップリンクのサブフレームにおいてフィードバックされる場合、第1のサービングセルに対応するダウンリンク制御チャネルのDCIフォーマットをTDDに対応するDCIフォーマットとして決定するように構成された第2の決定ユニットと、
第1のサービングセルの複信モードがFDDである場合は、ユーザ機器が1つのサブフレームにおいて複数のアップリンク送信能力を有する場合、第1のサービングセルに対応するダウンリンク制御チャネルのDCIフォーマットをFDDに対応するDCIフォーマットとして決定し、ユーザ機器が1つのサブフレームにおいて単一のアップリンク送信能力を有する場合、第1のサービングセルに対応するダウンリンク制御チャネルのDCIフォーマットをTDDに対応するDCIフォーマットとして決定するように構成された第3の決定ユニットと、
第1のサービングセルの複信モードがTDDであり、ユーザ機器の第2のサービングセルの複信モードがFDDであり、第1のサービングセルに対応するHARQ-ACKが第2のサービングセルによって運ばれるPUCCH上で送信される場合、第1のサービングセルに対応するダウンリンク制御チャネルのDCIフォーマットをFDDに対応するDCIフォーマットとして決定するように構成された第4の決定ユニットとのうちのいずれか1つまたは複数を含む。
【００２０】
上述のユーザ機器に関して、あり得る実装の方法において、検出モジュールは、第1のサービングセルの複信モードがFDDであり、決定されたDCIフォーマットがTDDに対応するDCIフォーマットであるとき、TDDに対応するDCIフォーマットに応じてダウンリンク制御チャネルを検出するように特に構成され、第1のサービングセルに対応する共通探索空間CSSにおいて検出されるダウンリンク制御チャネルのDCIフォーマットがDCIフォーマット1Aであること、または検出されたダウンリンク制御チャネルの巡回冗長検査CRCがセル無線ネットワーク一時識別子C-RNTIを使用することによってスクランブルされることは期待されない。
【００２１】
上述の技術的な問題を解決するために、本発明の実施形態によれば、
ユーザ機器の第1のサービングセルの複信モードおよび第1のサービングセルに対応するHARQ-ACKのフィードバックの方法に応じて、第1のサービングセルに対応するダウンリンク制御チャネルのDCIフォーマットを決定するように構成された決定モジュールであって、第1のサービングセルが、ユーザ機器に対応するサービングセルである、決定モジュールと、
決定されたDCIフォーマットに応じてダウンリンク制御チャネルを送信するように構成された送信モジュールとを含む基地局が、提供される。
【００２２】
上述の基地局に関して、あり得る実装の方法において、送信モジュールは、決定モジュールがユーザ機器の第1のサービングセルに対応するダウンリンク制御チャネルのDCIフォーマットを決定した後、および送信モジュールが決定されたDCIフォーマットに応じてダウンリンク制御チャネルを送信する前にユーザ機器により上位のレイヤのシグナリングを送信するようにさらに構成され、より上位のレイヤのシグナリングは、決定されたDCIフォーマットを示すインジケーション情報を含む。
【００２３】
上述の基地局に関して、あり得る実装の方法において、決定モジュールは、
第1のサービングセルの複信モードがFDDであり、ユーザ機器の第2のサービングセルの複信モードがTDDであり、第1のサービングセルに対応するHARQ-ACKが第2のサービングセルによって運ばれる物理アップリンク制御チャネルPUCCH上で送信される場合、第1のサービングセルに対応するダウンリンク制御チャネルのDCIフォーマットをTDDに対応するDCIフォーマットとして決定するように構成された第1の決定ユニット、または
第1のサービングセルの複信モードがFDDであり、第1のサービングセルに対応するHARQ-ACKが無線フレームの一部のアップリンクのサブフレームにおいてフィードバックされる場合、第1のサービングセルに対応するダウンリンク制御チャネルのDCIフォーマットをTDDに対応するDCIフォーマットとして決定するように構成された第2の決定ユニット、または
第1のサービングセルの複信モードがFDDである場合は、ユーザ機器が1つのサブフレームにおいて複数のアップリンク送信能力を有する場合、第1のサービングセルに対応するダウンリンク制御チャネルのDCIフォーマットをFDDに対応するDCIフォーマットとして決定し、ユーザ機器が1つのサブフレームにおいて単一のアップリンク送信能力を有する場合、基地局によって、第1のサービングセルに対応するダウンリンク制御チャネルのDCIフォーマットをTDDに対応するDCIフォーマットとして決定するように構成された第3の決定ユニット、または
第1のサービングセルの複信モードがTDDであり、ユーザ機器の第2のサービングセルの複信モードがFDDであり、第1のサービングセルに対応するHARQ-ACKが第2のサービングセルによって運ばれるPUCCH上で送信される場合、第1のサービングセルに対応するダウンリンク制御チャネルのDCIフォーマットをFDDに対応するDCIフォーマットとして決定するように構成された第4の決定ユニットを含む。
【００２４】
上述の基地局に関して、あり得る実装の方法において、送信モジュールは、第1のサービングセルの複信モードがFDDであり、決定されたDCIフォーマットがTDDに対応するDCIフォーマットである場合、TDDに対応するDCIフォーマットに応じてダウンリンク制御チャネルを送信するように特に構成され、ダウンリンク制御チャネルのDCIフォーマットがDCIフォーマット1Aであり、ダウンリンク制御チャネルのCRCがC-RNTIを使用することによってスクランブルされるとき、ダウンリンク制御チャネルは、第1のサービングセルに対応するUE固有探索空間USSによって運ばれる。
【００２５】
上述の技術的な問題を解決するために、本発明の実施形態によれば、
基地局からより上位のレイヤのシグナリングを受信するように構成された受信モジュールであって、より上位のレイヤのシグナリングが、ユーザ機器の第1のサービングセルに対応するダウンリンク制御チャネルのDCIフォーマットを示すインジケーション情報を含み、DCIフォーマットが、第1のサービングセルの複信モードおよび第1のサービングセルに対応するHARQ-ACKのフィードバックの方法に応じて基地局によって決定される、受信モジュールと、
決定されたDCIフォーマットに応じてダウンリンク制御チャネルを検出するように構成された検出モジュールとを含むユーザ機器が、提供される。
【００２６】
上述のユーザ機器に関して、あり得る実装の方法において、検出モジュールは、第1のサービングセルの複信モードがFDDであり、決定されたDCIフォーマットがTDDに対応するDCIフォーマットであるとき、TDDに対応するDCIフォーマットに応じてダウンリンク制御チャネルを検出するように特に構成され、第1のサービングセルに対応するCSSにおいて検出されるダウンリンク制御チャネルのDCIフォーマットがDCIフォーマット1Aであること、または検出されたダウンリンク制御チャネルのCRCがC-RNTIを使用することによってスクランブルされることは期待されない。
【００２７】
上述の技術的な問題を解決するために、本発明の実施形態によれば、
物理アップリンク制御チャネル構成情報をユーザ機器によって受信するステップと、
物理アップリンク制御チャネル構成情報に従ってユーザ機器によって、第1の物理アップリンク制御チャネルを運ぶサービングセルを決定するステップと、
第1の物理アップリンク制御チャネルを運ぶサービングセルにおいて第1の物理アップリンク制御チャネルを使用することによってアップリンク制御情報をユーザ機器によって送信するステップとを含む制御情報送信方法が、提供される。
【００２８】
上述の制御情報送信方法に関して、あり得る実装の方法において、アップリンク制御チャネル構成情報は、第1の物理アップリンク制御チャネルを運ぶサービングセルのセルインデックスを含み、物理アップリンク制御チャネル構成情報に従ってユーザ機器によって、第1の物理アップリンク制御チャネルを運ぶサービングセルを決定するステップは、
物理アップリンク制御チャネル構成情報内にあり、第1の物理アップリンク制御チャネルを運ぶサービングセルのものであるセルインデックスに従ってユーザ機器によって、第1の物理アップリンク制御チャネルを運ぶサービングセルを決定するステップを含む。
【００２９】
上述の制御情報送信方法に関して、あり得る実装の方法において、第1の物理アップリンク制御チャネルを運ぶサービングセルは、ユーザ機器のセカンダリサービングセルである。
【００３０】
上述の制御情報送信方法に関して、あり得る実装の方法において、第1の物理アップリンク制御チャネルを運ぶサービングセルにおいて第1の物理アップリンク制御チャネルを使用することによってアップリンク制御情報をユーザ機器によって送信するステップは、
第1の物理アップリンク制御チャネルを運ぶサービングセルにおいて第1の物理アップリンク制御チャネルを使用することによって第1のアップリンク制御情報をユーザ機器によって送信し、ユーザ機器のプライマリサービングセルにおいて第2の物理アップリンク制御チャネルを使用することによって第2のアップリンク制御情報をユーザ機器によって送信するステップを含む。
【００３１】
上述の制御情報送信方法に関して、あり得る実装の方法において、物理アップリンク制御チャネル構成情報に従ってユーザ機器によって、第1の物理アップリンク制御チャネルを運ぶサービングセルを決定するステップは、
物理アップリンク制御チャネル構成情報に従ってユーザ機器によって、第1の物理アップリンク制御チャネルを運ぶサービングセルおよび第2の物理アップリンク制御チャネルを運ぶサービングセルを決定するステップを含み、
第1の物理アップリンク制御チャネルを運ぶサービングセルにおいて第1の物理アップリンク制御チャネルを使用することによってアップリンク制御情報をユーザ機器によって送信するステップは、
第1の物理アップリンク制御チャネルを運ぶサービングセルにおいて第1の物理アップリンク制御チャネルを使用することによって第1のアップリンク制御情報をユーザ機器によって送信し、第2の物理アップリンク制御チャネルを運ぶサービングセルにおいて第2のアップリンク制御情報を送信するステップを含む。
【００３２】
上述の制御情報送信方法に関して、あり得る実装の方法において、アップリンク制御チャネル構成情報は、第1の物理アップリンク制御チャネルを運ぶサービングセルのセルインデックスおよび第2の物理アップリンク制御チャネルを運ぶサービングセルのセルインデックスを含み、物理アップリンク制御チャネル構成情報に従ってユーザ機器によって、第1の物理アップリンク制御チャネルを運ぶサービングセルおよび第2の物理アップリンク制御チャネルを運ぶサービングセルを決定するステップは、
物理アップリンク制御チャネル構成情報内にあり、第1の物理アップリンク制御チャネルを運ぶサービングセルのものであるセルインデックスに従ってユーザ機器によって、第1の物理アップリンク制御チャネルを運ぶサービングセルを決定し、物理アップリンク制御チャネル構成情報内にあり、第2の物理アップリンク制御チャネルを運ぶサービングセルのものであるセルインデックスに従って、第2の物理アップリンク制御チャネルを運ぶサービングセルを決定するステップを含む。
【００３３】
上述の制御情報送信方法に関して、あり得る実装の方法において、第1のアップリンク制御情報は、第1のサービングセルの組に対応し、第2のアップリンク制御情報は、第2のサービングセルの組に対応し、第1のサービングセルの組は、第2のサービングセルの組に属さない少なくとも1つのサービングセルを含む。
【００３４】
上述の制御情報送信方法に関して、あり得る実装の方法においては、
第1のサービングセルの組内のサービングセルの複信モードが周波数分割複信FDDであり、第2のサービングセルの組内のサービングセルの複信モードが時分割復信TDDであるか、または
第1のサービングセルの組内のサービングセル間のバックホールリンクが理想的なバックホールリンクであり、第2のサービングセルの組内のサービングセル間のバックホールリンクが理想的なバックホールリンクであり、第1のサービングセルの組内のサービングセルと第2のサービングセルの組内のサービングセルとの間のバックホールリンクが理想的でないバックホールリンクである。
【００３５】
上述の制御情報送信方法に関して、あり得る実装の方法においては、第1のサービングセルの組に含まれるサービングセルおよび第2の物理セルの組に含まれるサービングセルが物理アップリンク制御チャネル構成情報に従って決定される。
【００３６】
上述の制御情報送信方法に関して、あり得る実装の方法において、物理アップリンク制御チャネル構成情報は、第1のサービングセルの組内にあり、第1の物理アップリンク制御チャネルに対応するサービングセルのセルインデックスおよび第2のサービングセルの組内にあり、第2の物理アップリンク制御チャネルに対応するサービングセルのセルインデックスを含み、第1のサービングセルの組に含まれるサービングセルおよび第2の物理セルの組に含まれるサービングセルが物理アップリンク制御チャネル構成情報に従って決定され、
第1のサービングセルの組に含まれるサービングセルが、物理アップリンク制御チャネル構成情報内の、第1のサービングセルの組内にあり、第1の物理アップリンク制御チャネルに対応するサービングセルのセルインデックスに従って決定され、第2のサービングセルの組に含まれるサービングセルが、物理アップリンク制御チャネル構成情報内の、第2のサービングセルの組内にあり、第2の物理アップリンク制御チャネルに対応するサービングセルのセルインデックスに従って決定される。
【００３７】
上述の技術的な問題を解決するために、本発明の実施形態によれば、
基地局によってユーザ機器に物理アップリンク制御チャネル構成情報を送信するステップであって、物理アップリンク制御チャネル構成情報が、第1の物理アップリンク制御チャネルを運ぶサービングセルを示すインジケーション情報を含み、サービングセルが、ユーザ機器に対応するサービングセルである、ステップと、
第1の物理アップリンク制御チャネルを運ぶサービングセルにおいて第1の物理アップリンク制御チャネルを使用することによって基地局によって、ユーザ機器によって送信されたアップリンク制御情報を受信するステップとを含む制御情報送信方法が、提供される。
【００３８】
上述の制御情報送信方法に関して、あり得る実装の方法において、第1の物理アップリンク制御チャネルを運ぶサービングセルを示すインジケーション情報は、第1の物理アップリンク制御チャネルを運ぶサービングセルのセルインデックスである。
【００３９】
上述の制御情報送信方法に関して、あり得る実装の方法において、第1の物理アップリンク制御チャネルを運ぶサービングセルは、ユーザ機器のセカンダリサービングセルである。
【００４０】
上述の制御情報送信方法に関して、あり得る実装の方法において、第1の物理アップリンク制御チャネルを運ぶサービングセルにおいて第1の物理アップリンク制御チャネルを使用することによって基地局によって、ユーザ機器によって送信されたアップリンク制御情報を受信するステップは、
第1の物理アップリンク制御チャネルを運ぶサービングセルにおいて第1の物理アップリンク制御チャネルを使用することによって基地局によって、ユーザ機器によって送信された第1のアップリンク制御情報を受信し、ユーザ機器のプライマリサービングセルにおいて第2の物理アップリンク制御チャネルを使用することによって、ユーザ機器によって送信された第2のアップリンク制御情報を受信するステップを含む。
【００４１】
上述の制御情報送信方法に関して、あり得る実装の方法において、物理アップリンク制御チャネル構成情報が、第1の物理アップリンク制御チャネルを運ぶサービングセルを示すインジケーション情報を含み、第1の物理アップリンク制御チャネルを運ぶサービングセルが、ユーザ機器に対応するサービングセルであることは、
物理アップリンク制御チャネル構成情報が、第1の物理アップリンク制御チャネルを運ぶサービングセルを示すインジケーション情報および第2の物理アップリンク制御チャネルを運ぶサービングセルを示すインジケーション情報を含み、第1の物理アップリンク制御チャネルを運ぶサービングセルと第2の物理アップリンク制御チャネルを運ぶサービングセルとの両方が、ユーザ機器に対応するサービングセルであることを含み、
第1の物理アップリンク制御チャネルを運ぶサービングセルにおいて第1の物理アップリンク制御チャネルを使用することによって基地局によって、ユーザ機器によって送信されたアップリンク制御情報を受信するステップは、
第1の物理アップリンク制御チャネルを運ぶサービングセルにおいて第1の物理アップリンク制御チャネルを使用することによって基地局によって、ユーザ機器によって送信された第1のアップリンク制御情報を受信し、第2の物理アップリンク制御チャネルを運ぶサービングセルにおいて第2の物理アップリンク制御チャネルを使用することによって、ユーザ機器によって送信された第2のアップリンク制御情報を受信するステップを含む。
【００４２】
上述の制御情報送信方法に関して、あり得る実装の方法において、第1の物理アップリンク制御チャネルを運ぶサービングセルを示すインジケーション情報は、第1の物理アップリンク制御チャネルを運ぶサービングセルのセルインデックスであり、第2の物理アップリンク制御チャネルを運ぶサービングセルを示すインジケーション情報は、第2の物理アップリンク制御チャネルを運ぶサービングセルのセルインデックスである。
【００４３】
上述の制御情報送信方法に関して、あり得る実装の方法において、第1のアップリンク制御情報は、ユーザ機器の第1のサービングセルの組に対応し、第2のアップリンク制御情報は、ユーザ機器の第2のサービングセルの組に対応し、第1のサービングセルの組は、第2のサービングセルの組に属さない少なくとも1つのサービングセルを含む。
【００４４】
上述の制御情報送信方法に関して、あり得る実装の方法においては、
第1のサービングセルの組内のサービングセルの複信モードが周波数分割複信FDDであり、第2のサービングセルの組内のサービングセルの複信モードが時分割復信TDDであるか、または
第1のサービングセルの組内のサービングセル間のバックホールリンクが理想的なバックホールリンクであり、第2のサービングセルの組内のサービングセル間のバックホールリンクが理想的なバックホールリンクであり、第1のサービングセルの組内のサービングセルと第2のサービングセルの組内のサービングセルとの間のバックホールリンクが理想的でないバックホールリンクである。
【００４５】
上述の制御情報送信方法に関して、あり得る実装の方法において、物理アップリンク制御チャネル構成情報は、第1のサービングセルの組内にあり、第1の物理アップリンク制御チャネルに対応するサービングセルのセルインデックスおよび第2のサービングセルの組内にあり、第2の物理アップリンク制御チャネルに対応するサービングセルのセルインデックスを含む。
【００４６】
上述の技術的な問題を解決するために、本発明の実施形態によれば、
物理アップリンク制御チャネル構成情報を受信するように構成された受信モジュールと、
物理アップリンク制御チャネル構成情報に従って、第1の物理アップリンク制御チャネルを運ぶサービングセルを決定するように構成された決定モジュールと、
第1の物理アップリンク制御チャネルを運ぶサービングセルにおいて第1の物理アップリンク制御チャネルを使用することによってアップリンク制御情報を送信するように構成された送信モジュールとを含むユーザ機器が、提供される。
【００４７】
上述のユーザ機器に関して、あり得る実装の方法において、アップリンク制御チャネル構成情報は、第1の物理アップリンク制御チャネルを運ぶサービングセルのセルインデックスを含み、
決定モジュールは、物理アップリンク制御チャネル構成情報内にあり、第1のアップリンク制御チャネルを運ぶサービングセルのものであるセルインデックスに従って、第1の物理アップリンク制御チャネルを運ぶサービングセルを決定するように特に構成される。
【００４８】
上述のユーザ機器に関して、あり得る実装の方法において、第1の物理アップリンク制御チャネルを運ぶサービングセルは、ユーザ機器のセカンダリサービングセルである。
【００４９】
上述のユーザ機器に関して、あり得る実装の方法において、送信モジュールは、
第1の物理アップリンク制御チャネルを運ぶサービングセルにおいて第1の物理アップリンク制御チャネルを使用することによって第1のアップリンク制御情報を送信し、ユーザ機器のプライマリサービングセルにおいて第2の物理アップリンク制御チャネルを使用することによって第2のアップリンク制御情報を送信するように特に構成される。
【００５０】
上述のユーザ機器に関して、あり得る実装の方法において、決定モジュールは、
物理アップリンク制御チャネル構成情報に従って、第1の物理アップリンク制御チャネルを運ぶサービングセルおよび第2の物理アップリンク制御チャネルを運ぶサービングセルを決定するように特に構成され、
送信モジュールは、
第1の物理アップリンク制御チャネルを運ぶサービングセルにおいて第1の物理アップリンク制御チャネルを使用することによって第1のアップリンク制御情報を送信し、第2の物理アップリンク制御チャネルを運ぶサービングセルにおいて第2のアップリンク制御情報を送信するように特に構成される。
【００５１】
上述のユーザ機器に関して、あり得る実装の方法において、物理アップリンク制御チャネル構成情報は、第1の物理アップリンク制御チャネルを運ぶサービングセルのセルインデックスおよび第2の物理アップリンク制御チャネルを運ぶサービングセルのセルインデックスを含み、決定モジュールは、
物理アップリンク制御チャネル構成情報内にあり、第1の物理アップリンク制御チャネルを運ぶサービングセルのものであるセルインデックスに従って、第1の物理アップリンク制御チャネルを運ぶサービングセルを決定するように構成された第1の決定ユニットと、
物理アップリンク制御チャネル構成情報内にあり、第2の物理アップリンク制御チャネルを運ぶサービングセルのものであるセルインデックスに従って、第2の物理アップリンク制御チャネルを運ぶサービングセルを決定するように構成された第2の決定ユニットとを特に含む。
【００５２】
上述のユーザ機器に関して、あり得る実装の方法において、第1のアップリンク制御情報は、第1のサービングセルの組に対応し、第2のアップリンク制御情報は、第2のサービングセルの組に対応し、第1のサービングセルの組は、第2のサービングセルの組に属さない少なくとも1つのサービングセルを含む。
【００５３】
上述のユーザ機器に関して、あり得る実装の方法においては、第1のサービングセルの組内のサービングセルの複信モードが周波数分割複信FDDであり、第2のサービングセルの組内のサービングセルの複信モードが時分割復信TDDであるか、または
第1のサービングセルの組内のサービングセル間のバックホールリンクが理想的なバックホールリンクであり、第2のサービングセルの組内のサービングセル間のバックホールリンクが理想的なバックホールリンクであり、第1のサービングセルの組内のサービングセルと第2のサービングセルの組内のサービングセルとの間のバックホールリンクが理想的でないバックホールリンクである。
【００５４】
上述のユーザ機器に関して、あり得る実装の方法において、決定モジュールは、物理アップリンク制御チャネル構成情報に従って、第1のサービングセルの組に含まれるサービングセルおよび第2の物理セルの組に含まれるサービングセルを決定するようにさらに構成される。
【００５５】
上述のユーザ機器に関して、あり得る実装の方法において、物理アップリンク制御チャネル構成情報は、第1のサービングセルの組内にあり、第1の物理アップリンク制御チャネルに対応するサービングセルのセルインデックスおよび第2のサービングセルの組内にあり、第2の物理アップリンク制御チャネルに対応するサービングセルのセルインデックスを含み、決定モジュールは、
物理アップリンク制御チャネル構成情報内の、第1のサービングセルの組内にあり、第1の物理アップリンク制御チャネルに対応するサービングセルのセルインデックスに従って第1のサービングセルの組に含まれるサービングセルを決定するように構成された第3の決定ユニットと、
物理アップリンク制御チャネル構成情報内の、第2のサービングセルの組内にあり、第2の物理アップリンク制御チャネルに対応するサービングセルのセルインデックスに従って第2のサービングセルの組に含まれるサービングセルを決定するように構成された第4の決定ユニットとをさらに含む。
【００５６】
上述の技術的な問題を解決するために、本発明の実施形態によれば、
ユーザ機器に物理アップリンク制御チャネル構成情報を送信するように構成された送信モジュールであって、物理アップリンク制御チャネル構成情報が、第1の物理アップリンク制御チャネルを運ぶサービングセルを示すインジケーション情報を含み、サービングセルが、ユーザ機器に対応するサービングセルである、送信モジュールと、
第1の物理アップリンク制御チャネルを運ぶサービングセルにおいて第1の物理アップリンク制御チャネルを使用することによって、ユーザ機器によって送信されたアップリンク制御情報を受信するように構成された受信モジュールとを含む基地局が、提供される。
【００５７】
上述の基地局に関して、あり得る実装の方法において、第1の物理アップリンク制御チャネルを運ぶサービングセルを示すインジケーション情報は、第1の物理アップリンク制御チャネルを運ぶサービングセルのセルインデックスである。
【００５８】
上述の基地局に関して、あり得る実装の方法において、第1の物理アップリンク制御チャネルを運ぶサービングセルは、ユーザ機器のセカンダリサービングセルである。
【００５９】
上述の基地局に関して、あり得る実装の方法において、受信モジュールは、
第1の物理アップリンク制御チャネルを運ぶサービングセルにおいて第1の物理アップリンク制御チャネルを使用することによって、ユーザ機器によって送信された第1のアップリンク制御情報を受信し、ユーザ機器のプライマリサービングセルにおいて第2の物理アップリンク制御チャネルを使用することによって、ユーザ機器によって送信された第2のアップリンク制御情報を受信するように特に構成される。
【００６０】
上述の基地局に関して、あり得る実装の方法において、物理アップリンク制御チャネル構成情報が、第1の物理アップリンク制御チャネルを運ぶサービングセルを示すインジケーション情報を含み、第1の物理アップリンク制御チャネルを運ぶサービングセルが、ユーザ機器に対応するサービングセルであることは、
物理アップリンク制御チャネル構成情報が、第1の物理アップリンク制御チャネルを運ぶサービングセルを示すインジケーション情報および第2の物理アップリンク制御チャネルを運ぶサービングセルを示すインジケーション情報を含み、第1の物理アップリンク制御チャネルを運ぶサービングセルと第2の物理アップリンク制御チャネルを運ぶサービングセルとの両方が、ユーザ機器に対応するサービングセルであることを含み、
受信モジュールは、
第1の物理アップリンク制御チャネルを運ぶサービングセルにおいて第1の物理アップリンク制御チャネルを使用することによって、ユーザ機器によって送信された第1のアップリンク制御情報を受信し、第2の物理アップリンク制御チャネルを運ぶサービングセルにおいて第2の物理アップリンク制御チャネルを使用することによって、ユーザ機器によって送信された第2のアップリンク制御情報を受信するように特に構成される。
【００６１】
上述の基地局に関して、あり得る実装の方法において、第1の物理アップリンク制御チャネルを運ぶサービングセルを示すインジケーション情報は、第1の物理アップリンク制御チャネルを運ぶサービングセルのセルインデックスであり、第2の物理アップリンク制御チャネルを運ぶサービングセルを示すインジケーション情報は、第2の物理アップリンク制御チャネルを運ぶサービングセルのセルインデックスである。
【００６２】
上述の基地局に関して、あり得る実装の方法において、第1のアップリンク制御情報は、ユーザ機器の第1のサービングセルの組に対応し、第2のアップリンク制御情報は、ユーザ機器の第2のサービングセルの組に対応し、第1のサービングセルの組は、第2のサービングセルの組に属さない少なくとも1つのサービングセルを含む。
【００６３】
上述の基地局に関して、あり得る実装の方法においては、第1のサービングセルの組内のサービングセルの複信モードが周波数分割複信FDDであり、第2のサービングセルの組内のサービングセルの複信モードが時分割復信TDDであるか、または
第1のサービングセルの組内のサービングセル間のバックホールリンクが理想的なバックホールリンクであり、第2のサービングセルの組内のサービングセル間のバックホールリンクが理想的なバックホールリンクであり、第1のサービングセルの組内のサービングセルと第2のサービングセルの組内のサービングセルとの間のバックホールリンクが理想的でないバックホールリンクである。
【００６４】
上述の基地局に関して、あり得る実装の方法において、物理アップリンク制御チャネル構成情報は、第1のサービングセルの組内にあり、第1の物理アップリンク制御チャネルに対応するサービングセルのセルインデックスおよび第2のサービングセルの組内にあり、第2の物理アップリンク制御チャネルに対応するサービングセルのセルインデックスを含む。
【発明の効果】
【００６５】
本発明の実施形態においては、異なるキャリアアグリゲーションの方法が使用されるとき、制御チャネルに対応するDCIフォーマットが、複信モードおよびHARQ-ACKのフィードバックの方法に応じて決定される可能性があり、したがって、本発明は、様々な筋書きに柔軟に適用され得る。
【００６６】
例示的な実施形態が、本発明のその他の特徴および態様を明瞭にするために添付の図面を参照して詳細に説明される。
【００６７】
本明細書に含まれ、本明細書の一部をなす添付の図面および本明細書は、本発明の例示的な実施形態、特徴、および態様を示し、本発明の原理を説明するために使用される。
【図面の簡単な説明】
【００６８】
【図１】本発明の実施形態による制御情報送信方法の流れ図である。
【図２】本発明の別の実施形態による制御情報送信方法の流れ図である。
【図３】本発明のさらに別の実施形態による制御情報送信方法の流れ図である。
【図４】本発明の実施形態によるユーザ機器の構造ブロック図である。
【図５】本発明の実施形態による基地局の構造ブロック図である。
【図６】本発明の別の実施形態によるユーザ機器の構造ブロック図である。
【図７】本発明の別の実施形態によるユーザ機器の構造ブロック図である。
【図８】本発明のさらに別の実施形態による制御情報送信方法の流れ図である。
【図９】本発明のさらに別の実施形態による制御情報送信方法の流れ図である。
【図１０】本発明のさらに別の実施形態によるユーザ機器の概略的な構造図である。
【図１１】本発明の別の実施形態による基地局の概略的な構造図である。
【発明を実施するための形態】
【００６９】
以下は、本発明の様々な例示的な実施形態、特徴、および態様を添付の図面を参照して詳細に説明する。添付の図面内の同じ参照番号は、同じまたは同様の機能を有する要素を指定する。添付の図面において示される実施形態の様々な態様は、別途指定されない限り、必ずしも正確な縮尺で描かれていない可能性がある。
【００７０】
特に本明細書において使用される語「例示的は」は、「例もしくは実施形態として使用されるか、または説明のためのものである」ことを示す。例示的な実施形態として説明されるいずれの実施形態も、別の実施形態よりも好ましいかまたは優れていると解釈されるべきでない。
【００７１】
加えて、多数の特定の詳細が、本発明をよりうまく説明するために以降の特定の実施形態において説明される。しかし、当業者は、本発明が一部の特定の詳細なしに実施され得ることを理解するに違いない。いくつかのその他の場合、当業者によく知られている方法、手段、要素、および回路は、本発明の対象を強調するために詳細に説明されない。
【００７２】
3GPP LTE Rel-8/9/10/11のTDDシステムにおいては、キャリアのためのアップリンク-ダウンリンクサブフレーム構成が1から6であるとき、キャリアに対応するアップリンクグラント(UL grant、ダウンリンク制御情報DCIフォーマット0またはダウンリンク制御情報DCIフォーマット4に対応する)が、ダウンリンク割り当てインデックス(英語、Downlink Assignment Index、略してDAI)フィールドを含み、DAIフィールドの値が、アップリンクのサブフレームnに対応するダウンリンクの関連するサブフレームの組内にあり、物理ダウンリンク共有チャネル(英語、Physical Downlink Shared Channel、略してPDSCH)がスケジューリングされるか、またはダウンリンクSPSの解放を示す物理ダウンリンク制御チャネル(英語、Physical Downlink Control Channel、略してPDCCH)が送信されるサブフレームの総量を示す。FDDキャリアに対応するアップリンクグラントに関しては、DCIフォーマット0またはDCIフォーマット4にDAIフィールドは存在しない。
【００７３】
3GPP LTE Rel-8/9/10/11のTDDシステムにおいては、キャリアのためのアップリンク-ダウンリンクサブフレーム構成が1から6であるとき、キャリアに対応するダウンリンク制御チャネルに対応するダウンリンク制御情報(DCI)フォーマット1/1A/1B/1D/2/2A/2B/2C/2Dが、DAIフィールドを含み、DAIフィールドの値が、アップリンクのサブフレームnに対応するダウンリンクの関連するサブフレームの組内にあり、基地局がPDSCHをスケジューリングするか、またはダウンリンクSPSの解放を示すPDCCHを送信するサブフレームの累積的(accumulative)量を示す。FDDキャリアに対応するダウンリンク制御チャネルに関して、ダウンリンク制御チャネルに対応するDCIフォーマット1/1A/1B/1D/2/2A/2B/2C/2Dは、ダウンリンク割り当てインデックスフィールドを含まない。
【００７４】
3GPP LTE Rel-8/9/10/11においては、TDDキャリアに対応するダウンリンク制御チャネルに対応するダウンリンク制御情報(DCI)フォーマット1/1A/1B/1D/2/2A/2B/2C/2Dが、4ビットに対応するハイブリッド自動再送要求(英語、Hybrid Automatic Repeat-Request、略してHARQ)プロセス番号(Process number)インジケーションフィールドを含み、FDDキャリアに対応するダウンリンク制御チャネルに対応するダウンリンク制御情報DCIフォーマット1/1A/1B/1D/2/2A/2B/2C/2Dが、3ビットに対応するHARQプロセス番号インジケーションフィールドを含む。
【００７５】
3GPP LTEシステムにおいては、ハイブリッド自動再送要求をサポートするために、端末が、物理アップリンク制御チャネル(PUCCH)および物理アップリンク共有チャネル(PUSCH)を使用することによって基地局にハイブリッド自動再送要求-肯定応答HARQ-ACKをフィードバックする必要があり、ハイブリッド自動再送要求-肯定応答は、単にACK(英語、Acknowledgment、略して肯定応答)/NACK(英語、Negative Acknowledgement、略して否定応答)とも呼ばれる可能性がある。したがって、それに続くLTEシステムが、次の2つの態様で発展する可能性がある。
【００７６】
発展1:  異なる複信モードのためのアグリゲーション、つまり、アグリゲーションされるキャリアの複信モードが異なる可能性があり、たとえば、一部のキャリアの複信モードがFDDであり、その他のキャリアの複信モードがTDDである。既存のCAシステムにおいては、HARQ-ACKが、プライマリコンポーネントキャリア上でのみ送信される。異なる複信モードのためのアグリゲーションに関して、プライマリコンポーネントキャリアは、FDDキャリアである可能性があり、またはTDDキャリアである可能性がある。プライマリコンポーネントキャリアがFDDである場合のHARQ-ACKのフィードバックの方法は、プライマリコンポーネントキャリアがTDDである場合のHARQ-ACKのフィードバックの方法と異なる。
【００７７】
発展2:  基地局間のアグリゲーション、つまり、アグリゲーションされるキャリアが異なる基地局上に展開され、基地局間のバックホールリンクが理想的でないバックホールリンク(non-ideal backhaul)である。この筋書きにおいて、異なる基地局上に展開されるキャリアの複信モードは、同じである可能性があり、または異なる可能性がある。本明細書における基地局は、マクロ基地局、マイクロ基地局などである可能性がある。たとえば、アグリゲーションされるキャリアが2つの異なる基地局から来るとき、筋書きは、デュアル接続性(Dual connectivity)とも呼ばれる可能性がある。この発展の方向では、基地局間の理想的でないバックホールリンクが原因で、異なる基地局上に展開されるアグリゲーションされるキャリアに対応するHARQ-ACKが、既存のCAシステムと同様にプライマリコンポーネントキャリア上でのみフィードバックされる代わりに、HARQ-ACKの各々に対応するアップリンクキャリア上でのみフィードバックされ得る。この場合、ユーザ機器UEが1つのサブフレームにおいて複数の送信能力を有する場合、HARQ-ACKは、複数のPUCCHを使用することによってサブフレームにおいてフィードバックされ得る。ユーザ機器UEは、単一のアップリンク送信能力のみを有する、つまり、サブフレームにおいて、1つのセルに対応するアップリンクキャリア上でのみ送信を実行することができる場合、時分割復信式に異なるセルにおいて働く必要がある。したがって、各セルに関して、無線フレームの一部のサブフレームだけが、アップリンク送信のために使用される。この場合、1つのキャリアに対応するHARQ-ACKが、一部のアップリンクのサブフレーム上でのみフィードバックされ得る。
【００７８】
上述の2つの発展の方向では、異なる筋書きおよび異なる能力を有するユーザに関して、HARQ-ACKのフィードバックメカニズムが異なる可能性がある。LTEリリースR8/9/10/11システムにおいては、FDDに対応するHARQ-ACKのフィードバックの方法がTDDに対応するHARQ-ACKのフィードバックの方法と異なることが主な原因で、FDDに対応するDCIフォーマットおよびTDDに対応するDCIフォーマットは、内容およびサイズが異なる可能性がある。しかし、概して、キャリアの複信モードが決定された後、キャリアに対応するDCIフォーマットが複信モードにやはり対応し、異なる応用の筋書きの要件がTDDおよびFDDの連結応用の筋書きにおいて満たされ得ない。したがって、本発明の実施形態においては、DCIフォーマットが、異なる応用の筋書きの要件を満たすために、複信モードとHARQ-ACKのフィードバックの方法との両方に応じて決定され得る。
【００７９】
実施形態1
図1は、本発明の実施形態による制御情報送信方法の流れ図を示す。図1に示されるように、制御情報送信方法は、以下のステップを含み得る。
【００８０】
ステップ101:  ユーザ機器が、第1のサービングセルに対応するダウンリンク制御チャネルのダウンリンク制御情報DCIフォーマットを獲得することを決定し、第1のサービングセルは、ユーザ機器に対応するサービングセルであり、DCIフォーマットは、第1のサービングセルの複信モードおよび第1のサービングセルに対応するハイブリッド自動再送要求-肯定応答HARQ-ACKのフィードバックの方法を使用することによって決定される。
【００８１】
本発明のこの実施形態において、ユーザ機器に対応するサービングセルは、ネットワーク側のデバイス(たとえば、基地局)によってユーザ機器のために構成されるサービングセル、またはユーザ機器にサービスを提供するサービングセル、またはユーザ機器によってアクセスされるサービングセルを指す可能性がある。ユーザ機器に対応するサービングセルは、第1のサービングセルおよび第2のサービングセルを含み得る。ユーザ機器に対応するサービングセルはユーザ機器のコンポーネントキャリアを指す可能性もあり、第1のサービングセルは第1のコンポーネントキャリアとも呼ばれる可能性があり、第2のサービングセルは第2のコンポーネントキャリアとも呼ばれる可能性があることに留意されたい。
【００８２】
本発明のこの実施形態のダウンリンク制御チャネルは、物理ダウンリンク制御チャネル(PDCCH)またはエンハンスト物理ダウンリンク制御チャネル(英語、Enhanced Physical Downlink Control Channel、略してEPDCCH)を指す可能性がある。第1のサービングセルに対応するダウンリンク制御チャネルは、第1のサービングセルによって運ばれ、物理ダウンリンク共有チャネル(PDSCH)送信に対応するダウンリンク制御チャネルである可能性があり、PDSCH送信に対応するダウンリンク制御チャネルは、第1のサービングセルまたは別のサービングセルによって運ばれる可能性がある。加えて、第1のサービングセルに対応するダウンリンク制御チャネルは、第1のサービングセルによって運ばれ、ダウンリンク半永続的スケジューリング(英語、Semi-Persistent Scheduling、略してSPS)の解放を示すために使用されるダウンリンク制御チャネルをさらに指す可能性がある。
【００８３】
本発明のこの実施形態において、第1のサービングセルに対応するダウンリンク制御チャネルのダウンリンク制御情報DCIフォーマットを決定することは、第1のサービングセルに対応するダウンリンク制御チャネルのダウンリンク制御情報DCIフォーマットがFDDに対応するDCIフォーマットであるかまたはTDDに対応するDCIフォーマットであるかを決定することを指す可能性があり、ダウンリンク制御情報DCIフォーマットは、DCIフォーマット1、DCIフォーマット1A、DCIフォーマット1B、DCIフォーマット1D、DCIフォーマット2A、DCIフォーマット2B、DCIフォーマット2C、DCIフォーマット2D、DCIフォーマット0、およびDCIフォーマット4のうちの1つまたは複数を指す可能性がある。異なる複信モードに関して、異なる内容が各DCIフォーマットで運ばれる。FDDに対応するDCIフォーマットは、DCIフォーマットで、DCIフォーマットによって運ばれるコンテンツがFDDの場合に応じて決定されることを指す可能性があり、TDDに対応するDCIフォーマットは、DCIフォーマットで、DCIフォーマットによって運ばれるコンテンツがTDDの場合に応じて決定されることを指す可能性がある。たとえば、TDDキャリアのアップリンク-ダウンリンク構成が1から6であるとき、TDDに対応するDCIフォーマット0およびDCIフォーマット4は、ダウンリンク割り当てインデックス(DAI)フィールドを含み、DAIフィールドの値が、アップリンクのサブフレームnに対応するダウンリンクの関連するサブフレームの組内にあり、PDSCHがスケジューリングされるか、またはダウンリンクSPSの解放を示すPDCCHが送信されるサブフレームの総量を示し、一方、FDDに対応するDCIフォーマット0およびDCIフォーマット4は、ダウンリンク割り当てインデックスDAIフィールドを含まない。TDDに対応するDCIフォーマット1、DCIフォーマット1A、DCIフォーマット1B、DCIフォーマット1D、DCIフォーマット2A、DCIフォーマット2B、DCIフォーマット2C、およびDCIフォーマット2Dは、DAIを含み、フィールドの値が、アップリンクのサブフレームnに対応するダウンリンクの関連するサブフレームの組内にあり、基地局がPDSCHをスケジューリングするか、またはダウンリンクSPSの解放を示すPDCCHを送信するサブフレームの累積的(英語、accumulative)量を示し、一方、FDDに対応するDCIフォーマット1、DCIフォーマット1A、DCIフォーマット1B、DCIフォーマット1D、DCIフォーマット2A、DCIフォーマット2B、DCIフォーマット2C、およびDCIフォーマット2Dは、DAIを含まない。TDDに対応するDCIフォーマット1、DCIフォーマット1A、DCIフォーマット1B、DCIフォーマット1D、DCIフォーマット2A、DCIフォーマット2B、DCIフォーマット2C、およびDCIフォーマット2Dは、4ビットHARQプロセスインジケーションフィールドを含み、一方、FDDに対応するDCIフォーマット1、DCIフォーマット1A、DCIフォーマット1B、DCIフォーマット1D、DCIフォーマット2A、DCIフォーマット2B、DCIフォーマット2C、およびDCIフォーマット2Dは、3ビットHARQプロセスインジケーションフィールドを含む。
【００８４】
本発明のこの実施形態において、第1のサービングセルに対応するダウンリンク制御チャネルのダウンリンク制御情報DCIフォーマットが決定され、ダウンリンク制御チャネルの巡回冗長検査(英語、Cyclic Redundancy Check、略してCRC)が、セル無線ネットワーク一時識別子(英語、Cell Radio Network Temporary Identifier、略してC-RNTI)または半永続的スケジューリング(SPS)C-RNTIを使用することによってスクランブルされる可能性がある。
【００８５】
ステップ101において、ユーザ機器は、DCIフォーマットを決定するために異なる筋書きで使用される予め定義された規則に従って、第1のサービングセルに対応するダウンリンク制御チャネルのダウンリンク制御情報DCIフォーマットを決定する可能性があり、これは、特に、第1のサービングセルの複信モードおよび第1のサービングセルに対応するHARQ-ACKのフィードバックの方法に応じてユーザ機器によって第1のサービングセルに対応するダウンリンク制御チャネルのDCIフォーマットを決定することである可能性がある。
【００８６】
異なるシナリオに応じて、予め定義された規則は、以下のうちのいずれか1つまたは複数を含み得る。
筋書き1:  第1のサービングセルの複信モードが周波数分割複信FDDであり、ユーザ機器の第2のサービングセルの複信モードが時分割復信TDDであり、第1のサービングセルに対応するHARQ-ACKが第2のサービングセルによって運ばれる物理アップリンク制御チャネルPUCCH上で送信される場合、ユーザ機器は、第1のサービングセルに対応するダウンリンク制御チャネルのDCIフォーマットをTDDに対応するDCIフォーマットとして決定し、または
筋書き2:  第1のサービングセルの複信モードがFDDであり、第1のサービングセルに対応するHARQ-ACKが無線フレームの一部のアップリンクのサブフレームにおいてフィードバックされる場合、ユーザ機器は、第1のサービングセルに対応するダウンリンク制御チャネルのDCIフォーマットをTDDに対応するDCIフォーマットとして決定し、または
筋書き3:  第1のサービングセルの複信モードがFDDであり、第1のサービングセルに対応するHARQ-ACKがFDDのサービングセルによって運ばれるPUCCH上で送信される場合、ユーザ機器は、第1のサービングセルに対応するDCIフォーマットをFDDに対応するDCIフォーマットとして決定し、または
筋書き4:  第1のサービングセルの複信モードがFDDである場合は、ユーザ機器が1つのサブフレームにおいて複数のアップリンク送信能力を有する場合、ユーザ機器は、第1のサービングセルに対応するダウンリンク制御チャネルのDCIフォーマットをFDDに対応するDCIフォーマットとして決定し、ユーザ機器が1つのサブフレームにおいて単一のアップリンク送信能力を有する場合、ユーザ機器は、第1のサービングセルに対応するダウンリンク制御チャネルのDCIフォーマットをTDDに対応するDCIフォーマットとして決定し、または
筋書き5:  第1のサービングセルの複信モードがTDDであり、ユーザ機器の第2のサービングセルの複信モードがFDDであり、第1のサービングセルに対応するHARQ-ACKが第2のサービングセルによって運ばれるPUCCH上で送信される場合、ユーザ機器は、第1のサービングセルに対応するダウンリンク制御チャネルのDCIフォーマットをFDDに対応するDCIフォーマットとして決定し、または
筋書き6:  第1のサービングセルの複信モードがTDDであり、第1のサービングセルに対応するHARQ-ACKがTDDのサービングセルによって運ばれるPUCCH上で送信される場合、ユーザ機器は、第1のサービングセルに対応するDCIフォーマットをTDDに対応するDCIフォーマットとして決定する。
【００８７】
ステップ102:  ユーザ機器が、決定されたDCIフォーマットに応じてダウンリンク制御チャネルを検出する。
【００８８】
たとえば、ユーザ機器は、決定されたDCIフォーマットに応じて、DCIフォーマットのサイズ、すなわち、DCIフォーマットによって運ばれる情報のビットの量を取得し、DCIフォーマットのサイズに基づいてダウンリンク制御チャネルを復号し、決定されたDCIフォーマットに含まれるインジケーションフィールドに基づいて復号された内容を解析し得る。
【００８９】
特に、ステップ101において、第1のサービングセルの複信モードがFDDであり、決定されたDCIフォーマットがTDDに対応するDCIフォーマットである場合、ステップ102において、ユーザ機器は、TDDに対応するDCIフォーマットに応じてダウンリンク制御チャネルを検出し、ユーザ機器は、第1のサービングセルに対応する共通探索空間(英語、Common Search Space、略してCSS)内で検出されるダウンリンク制御チャネルのDCIフォーマットがDCIフォーマット1AもしくはDCIフォーマット0であること、または検出されたダウンリンク制御チャネルの巡回冗長検査(英語、Cyclic Redundancy Check、略してCRC)がC-RNTIを使用することによってスクランブルされることを期待しない。第1のサービングセルに対応するCSSは、ダウンリンク制御チャネルのためのCSSを指す可能性がある。
【００９０】
加えて、ステップ101において、第1のサービングセルの複信モードがFDDであり、決定されたDCIフォーマットがTDDに対応するDCIフォーマットである場合、ステップ102において、ユーザ機器は、TDDに対応するDCIフォーマットに応じてダウンリンク制御チャネルを検出し、第1のサービングセルに対応するCSSにおいてユーザ機器によって検出されるダウンリンク制御チャネルのDCIフォーマットがDCIフォーマット1AまたはDCIフォーマット0であり、検出されたダウンリンク制御チャネルのCRCがC-RNTIを使用することによってスクランブルされるとき、ユーザ機器は、ダウンリンク制御チャネルによって示された情報を破棄もしくは無視し、または言い換えれば、ユーザ機器は、ダウンリンク制御チャネルのインジケーションに従ってPDSCHの検出を実行しない。
【００９１】
第1のサービングセルに対応するCSSは、複数のユーザ機器のために働く可能性があり、CSSにおいて情報がおそらく送信されるDCIフォーマットは、DCIフォーマット0、DCIフォーマット1A、DCIフォーマット3、DCIフォーマット3A、およびDCIフォーマット1Cを含む。ユーザによって実行されるブラインド検出(blind detection)の時間を減らすために、DCIフォーマット0およびDCIフォーマット1Aのペイロード(英語、payload)が等しくされる、つまり、DCIフォーマット0およびDCIフォーマット1Aのペイロードを同じにするため、または言い換えれば、DCIフォーマット0およびDCIフォーマット1に対応する情報のビットの量を同じにするために、パディングビットが追加される可能性がある。同様に、DCIフォーマット3およびDCIフォーマット3Aのペイロードが、DCIフォーマット0のペイロードと等しくされる、つまり、DCIフォーマット1Aのペイロードと等しくされる。DCIフォーマット3およびDCIフォーマット3Aは、複数のユーザに関連しており、つまり、DCIフォーマット3およびDCIフォーマット3Aによって運ばれる情報は、複数のユーザに通知される必要があり、つまり、複数のユーザは、DCIフォーマット3およびDCIフォーマット3Aの同じペイロードに応じてダウンリンク制御チャネルに対する検出を実行する必要がある。
【００９２】
ステップ102において、一部のシナリオでは、ユーザ機器によって決定されるDCIフォーマットは、第1のサービングセルの複信モードに応じて決定されない可能性がある。たとえば、ステップ101において第1のサービングセルの複信モードがFDDであり、決定されたDCIフォーマットがTDDに対応するDCIフォーマットであるとき、ユーザ機器によって決定されるDCIフォーマットは、第1のサービングセルの複信モードFDDに応じて決定されない。しかし、ステップ101に従って異なるユーザによって決定されたDCIフォーマットが、異なる可能性がある。たとえば、一部のユーザによって決定されたDCIフォーマットが、FDDに対応するDCIフォーマットであり、その他のユーザによって決定されたDCIフォーマットが、TDDに対応するDCIフォーマットであり、この場合、異なるユーザによって決定されたDCIフォーマット1Aのサイズは、一貫していない。したがって、DCIフォーマット3およびDCIフォーマット3Aを検出するとき、異なるユーザは、DCIフォーマット3およびDCIフォーマット3Aのサイズが異なると仮定して、DCIフォーマットがDCIフォーマット3またはDCIフォーマット3Aであるダウンリンク制御チャネルに対する検出を実行する可能性があり、その結果、一部のユーザは、DCIフォーマットがDCIフォーマット3またはDCIフォーマット3Aであるダウンリンク制御チャネルを正しく検出することができない。
【００９３】
さらに、ステップ102は、以下をさらに含み得る。
【００９４】
ステップ101において、第1のサービングセルの複信モードがTDDであり、決定されたDCIフォーマットがFDDに対応するDCIフォーマットである場合、ステップ102において、ユーザ機器は、TDDに対応するDCIフォーマットに応じてダウンリンク制御チャネルを検出し、ユーザ機器は、第1のサービングセルに対応するCSSにおいて検出されるダウンリンク制御チャネルのDCIフォーマットがDCIフォーマット1AもしくはDCIフォーマット0であること、または検出されたダウンリンク制御チャネルのCRCがC-RNTIを使用することによってスクランブルされることを期待しない。第1のサービングセルに対応するCSS、共通探索空間は、ダウンリンク制御チャネルのためのCSSを指す可能性がある。代替的に、ステップ101において、第1のサービングセルの複信モードがTDDであり、決定されたDCIフォーマットがFDDに対応するDCIフォーマットである場合、ステップ102において、ユーザ機器は、TDDに対応するDCIフォーマットに応じてダウンリンク制御チャネルを検出し、第1のサービングセルに対応するCSSにおいてユーザ機器によって検出されるダウンリンク制御チャネルのDCIフォーマットがDCIフォーマット1AまたはDCIフォーマット0であり、検出されたダウンリンク制御チャネルのCRCがC-RNTIを使用することによってスクランブルされるとき、ユーザ機器は、ダウンリンク制御チャネルによって示された情報を破棄もしくは無視し、または言い換えれば、ユーザ機器は、ダウンリンク制御チャネルのインジケーションに従ってPDSCHの検出を実行しない。第1のサービングセルの複信モードがFDDであるとき、利点に関しては、ダウンリンク制御チャネルのDCIフォーマットがDCIフォーマット1AまたはDCIフォーマット0であることを許されないことについての上記の関連する説明が参照され得る。詳細は、本明細書において再度説明されない。
【００９５】
この実施形態の制御情報送信方法によれば、異なるキャリアアグリゲーションの方法が使用されるとき、ユーザ機器が、複信モードおよびHARQ-ACKのフィードバックの方法に応じて、制御チャネルに対応するDCIフォーマットを決定する可能性があり、したがって、方法は、様々な筋書きに柔軟に適用され得る。
【００９６】
加えて、第1のサービングセルの複信モードがFDDであり、第2のサービングセルの複信モードがTDDであり、第1のサービングセルに対応するHARQ-ACKが第2のサービングセルによって運ばれるPUCCH上で送信されるとき(筋書き1を参照されたい)、DCIフォーマットは、時分割復信TDDに対応するDCIフォーマットである。一態様においては、TDDに対応するDCIフォーマットを再利用することにより、新しいDCIフォーマットが追加されない可能性があり、別の態様においては、複信モードがFDDである第1のサービングセルがダウンリンク割り当てインデックスフィールドをやはり取得することができ、したがって、ユーザ機器はダウンリンク割り当てインデックスフィールドに従ってHARQ-ACKのフィードバックを実行することができる。たとえば、ユーザ機器は、ダウンリンク割り当てインデックスフィールドに従ってHARQ-ACKのソートを実行し、したがって、HARQ-ACKビットが符号化中に比較的等しい保護を受け、それによって、HARQ-ACKの送信性能を改善することができる。
【００９７】
加えて、第1のサービングセルの複信モードがTDDであり、第2のサービングセルの複信モードがFDDであり、第1のサービングセルに対応するHARQ-ACKが第2のサービングセルによって運ばれるPUCCH上で送信されるとき(筋書き5を参照されたい)、ダウンリンク制御情報DCIフォーマットは、周波数分割復信FDDに対応するDCIフォーマットであり、したがって、DAIフィールドなどの冗長なインジケーションフィールドは、ダウンリンク制御チャネル上で送信中に送信される必要がない。したがって、DCIフォーマットのサイズが削減され、有用な情報の送信性能が改善される。
【００９８】
さらに、本発明のこの実施形態において、ダウンリンク制御チャネルのDCIフォーマットは、DCIフォーマット1AまたはDCIフォーマット0であることを許されず、CRCがC-RNTIを使用することによってスクランブルされるダウンリンク制御チャネルは、第1のサービングセルに対応するCSSにおいて送信されず、したがって、DCIフォーマット3およびDCIフォーマット3Aのペイロードについての異なるユーザの異なる理解が原因で一部のユーザがDCI 3フォーマットおよびDCIフォーマット3Aを正しく検出することができない問題が避けられる。確かに、上述の問題を解決するために、DCIフォーマット0もしくはDCIフォーマット1Aのペイロードが、第1のサービングセルの複信モードに応じて決定される可能性があり、DCIフォーマット3およびDCIフォーマット3Aのペイロードが、DCIフォーマット3およびDCIフォーマット3Aで送信を実行するためにさらに決定される可能性があり、またはDCIフォーマット3もしくはDCIフォーマット3Aに対応する複数のユーザが、すべて、FDDに対応するDCIフォーマットを使用するかもしくはTDDに対応するDCIフォーマットを使用し、つまり、FDDに対応するDCIフォーマットを使用するユーザが、グループに入れられ、TDDに対応するDCIフォーマットを使用するユーザが、グループに入れられる。
【００９９】
実施形態2
図2は、本発明の別の実施形態による制御情報送信方法の流れ図を示す。図2に示されるように、制御情報送信方法は、以下のステップを含み得る。
【０１００】
ステップ201:  基地局が、ユーザ機器の第1のサービングセルの複信モードおよび第1のサービングセルに対応するHARQ-ACKのフィードバックの方法に応じて、第1のサービングセルに対応するダウンリンク制御チャネルのDCIフォーマットを決定し、第1のサービングセルは、ユーザ機器に対応するサービングセルである。
【０１０１】
特に、この実施形態において、ユーザ機器に対応するサービングセル、第1のサービングセル、第2のサービングセル、ダウンリンク制御チャネル、第1のサービングセルに対応するダウンリンク制御チャネルのDCIフォーマットなどに関連する説明および例に関して、上記の実施形態の関連する説明が参照可能であり、詳細は、本明細書において再度説明されない。
【０１０２】
加えて、上記の実施形態の筋書き1から筋書き6に対応して、基地局がユーザ機器の第1のサービングセルの複信モードおよび第1のサービングセルに対応するHARQ-ACKのフィードバックの方法に応じて第1のサービングセルに対応するダウンリンク制御チャネルのDCIフォーマットを決定する特定の筋書きは、以下のうちのいずれか1つまたは複数を含み得る。
筋書き1:  第1のサービングセルの複信モードがFDDであり、ユーザ機器の第2のサービングセルの複信モードがTDDであり、第1のサービングセルに対応するHARQ-ACKが第2のサービングセルによって運ばれる物理アップリンク制御チャネルPUCCH上で送信される場合、基地局は、第1のサービングセルに対応するダウンリンク制御チャネルのDCIフォーマットをTDDに対応するDCIフォーマットとして決定し、または
筋書き2:  第1のサービングセルの複信モードがFDDであり、第1のサービングセルに対応するHARQ-ACKが無線フレームの一部のアップリンクのサブフレームにおいてフィードバックされる場合、基地局は、第1のサービングセルに対応するダウンリンク制御チャネルのDCIフォーマットをTDDに対応するDCIフォーマットとして決定し、または
筋書き3:  第1のサービングセルの複信モードがFDDであり、第1のサービングセルに対応するHARQ-ACKがFDDのサービングセルによって運ばれるPUCCH上で送信される場合、基地局は、第1のサービングセルに対応するDCIフォーマットをFDDに対応するDCIフォーマットとして決定し、または
筋書き4:  第1のサービングセルの複信モードがFDDである場合は、ユーザ機器が1つのサブフレームにおいて複数のアップリンク送信能力を有する場合、基地局は、第1のサービングセルに対応するダウンリンク制御チャネルのDCIフォーマットをFDDに対応するDCIフォーマットとして決定し、ユーザ機器が1つのサブフレームにおいて単一のアップリンク送信能力を有する場合、基地局は、第1のサービングセルに対応するダウンリンク制御チャネルのDCIフォーマットをTDDに対応するDCIフォーマットとして決定し、または
筋書き5:  第1のサービングセルの複信モードがTDDであり、ユーザ機器の第2のサービングセルの複信モードがFDDであり、第1のサービングセルに対応するHARQ-ACKが第2のサービングセルによって運ばれるPUCCH上で送信される場合、基地局は、第1のサービングセルに対応するダウンリンク制御チャネルのDCIフォーマットをFDDに対応するDCIフォーマットとして決定し、または
筋書き6:  第1のサービングセルの複信モードがTDDであり、第1のサービングセルに対応するHARQ-ACKがTDDのサービングセルによって運ばれるPUCCH上で送信される場合、基地局は、第1のサービングセルに対応するDCIフォーマットをTDDに対応するDCIフォーマットとして決定する。
【０１０３】
第1のサービングセルに対応するダウンリンク制御チャネルのDCIフォーマットを示すインジケーション情報を運ぶことに加えて、より上位のレイヤのシグナリングは、ユーザ機器のための第1のサービングセルを構成するためのインジケーション情報をさらに運ぶ可能性がある。
【０１０４】
ステップ203:  基地局が、決定されたDCIフォーマットに応じてダウンリンク制御チャネルを送信する。
【０１０５】
特に、第1のサービングセルの複信モードがFDDであり、決定されたDCIフォーマットがTDDに対応するDCIフォーマットであるとき、基地局は、TDDに対応するDCIフォーマットに応じてダウンリンク制御チャネルを送信し、ダウンリンク制御チャネルのDCIフォーマットがDCIフォーマット1AまたはDCIフォーマット0であり、ダウンリンク制御チャネルのCRCがC-RNTIを使用することによってスクランブルされるとき、ダウンリンク制御チャネルは、第1のサービングセルに対応するUE固有探索空間(英語、UE-Specific Search Space、略してUSS)においてのみ運ばれる。CSSが第1のサービングセルに対応する場合、CSSは、ダウンリンク制御チャネルのためのCSSを指す可能性がある。代替的に、第1のサービングセルの複信モードがFDDであり、決定されたDCIフォーマットがTDDに対応するDCIフォーマットであるとき、基地局は、第1のサービングセルに対応するUSSにおいて、DCIフォーマットがDCIフォーマット1AまたはDCIフォーマット0であり、CRCがC-RNTIを使用することによってスクランブルされるダウンリンク制御チャネルを送信しない。
【０１０６】
第1のサービングセルに対応するCSSは、複数のユーザ機器のために働き、共通探索空間において情報がおそらく送信されるDCIフォーマットは、DCIフォーマット0、DCIフォーマット1A、DCIフォーマット3、DCIフォーマット3A、およびDCIフォーマット1Cを含む。ユーザによって実行されるブラインド検出の時間を減らすために、DCIフォーマット0およびDCIフォーマット1Aのペイロードが等しくされる、つまり、DCIフォーマット0およびDCIフォーマット1Aのペイロードを同じにするため、または言い換えれば、DCIフォーマット0およびDCIフォーマット1に対応する情報のビットの量を同じにするために、基地局は、パディングビットを追加する可能性がある。同様に、DCIフォーマット3およびDCIフォーマット3Aのペイロードが、DCIフォーマット0のペイロードと等しくされる、つまり、DCIフォーマット1Aのペイロードと等しくされる。DCIフォーマット3およびDCIフォーマット3Aは、複数のユーザに関連しており、つまり、DCIフォーマット3およびDCIフォーマット3Aによって運ばれる情報は、複数のユーザに通知される必要があり、つまり、複数のユーザは、DCIフォーマット3およびDCIフォーマット3Aの同じペイロードに応じてダウンリンク制御チャネルに対する検出を実行する必要がある。ステップ203において、一部のシナリオでは、基地局によって決定されるDCIフォーマットは、第1のサービングセルの複信モードに応じて決定されない可能性がある。たとえば、ステップ201において第1のサービングセルの複信モードがFDDであり、ステップ201で決定されたDCIフォーマットがTDDに対応するDCIフォーマットであるとき、基地局によって決定されるDCIフォーマットは、第1のサービングセルの複信モードFDDに応じて決定されない。しかし、ユーザの観点から見れば、異なるユーザによって決定されたDCIフォーマットは異なる。たとえば、一部のユーザによって決定されたDCIフォーマットが、FDDに対応するDCIフォーマットであり、その他のユーザによって決定されたDCIフォーマットが、TDDに対応するDCIフォーマットであり、この場合、異なるユーザによって決定されたDCIフォーマット1Aのサイズは、一貫していない。したがって、DCIフォーマット3およびDCIフォーマット3Aを検出するとき、異なるユーザは、DCIフォーマット3およびDCIフォーマット3Aのサイズが異なると仮定して、DCIフォーマットがDCIフォーマット3またはDCIフォーマット3Aであるダウンリンク制御チャネルに対する検出を実行する可能性があり、その結果、一部のユーザは、DCIフォーマットがDCIフォーマット3またはDCIフォーマット3Aであるダウンリンク制御チャネルを正しく検出することができない。
【０１０７】
ステップ201およびステップ203の間に、方法はステップ202をさらに含む可能性があり、つまり、基地局が、ユーザ機器により上位のレイヤのシグナリングを送信し、より上位のレイヤのシグナリングは、決定されたDCIフォーマットを示すインジケーション情報を含む。
【０１０８】
この実施形態の制御情報送信方法によれば、異なるキャリアアグリゲーションの方法が使用されるとき、基地局が、複信モードおよびHARQ-ACKのフィードバックの方法に応じて、制御チャネルに対応するDCIフォーマットを決定する可能性があり、したがって、方法は、様々な筋書きに柔軟に適用され得る。
【０１０９】
加えて、基地局は、より上位のレイヤのシグナリングを使用することによって、第1のサービングセルに対応するダウンリンク制御チャネルのダウンリンク制御情報DCIフォーマットをユーザ機器に通知する。基地局は、特定の応用の筋書き、UEの能力、HARQ-ACKのフィードバックメカニズムなどに応じて、FDDに対応するDCIフォーマットまたはTDDに対応するDCIフォーマットを構成する可能性があり、したがって、本発明は、様々な筋書きに柔軟に適用される。加えて、異なるDCIフォーマットが標準的なプロトコルでおそらく使用されるすべての筋書きを説明する必要がなく、これは、標準化の労力を節約する。
【０１１０】
加えて、第1のサービングセルの複信モードがFDDであり、第2のサービングセルの複信モードがFDDであり、第1のサービングセルに対応するHARQ-ACKが第2のサービングセルによって運ばれるPUCCH上で送信されるとき(筋書き1を参照されたい)、DCIフォーマットは、TDDに対応するDCIフォーマットである。一態様においては、TDDに対応するDCIフォーマットを再利用することにより、新しいDCIフォーマットが追加されない可能性があり、別の態様においては、複信モードがFDDである第1のサービングセルがダウンリンク割り当てインデックスフィールドをやはり取得することができ、したがって、ユーザ機器はダウンリンク割り当てインデックスフィールドに従ってHARQ-ACKのフィードバックを実行することができる。たとえば、ユーザ機器は、ダウンリンク割り当てインデックスフィールドに従ってHARQ-ACKのソートを実行し、したがって、HARQ-ACKビットが符号化中に比較的等しい保護を受けることができ、HARQ-ACKの送信性能が改善される。
【０１１１】
加えて、第1のサービングセルの複信モードがTDDであり、第2のサービングセルの複信モードがFDDであり、第1のサービングセルに対応するHARQ-ACKが第2のサービングセルによって運ばれるPUCCH上で送信されるとき(筋書き5を参照されたい)、DCIフォーマットは、FDDに対応するDCIフォーマットであり、したがって、DAIフィールドなどの冗長なインジケーションフィールドは、ダウンリンク制御チャネル上で送信中に送信される必要がない。したがって、DCIフォーマットのサイズが削減され、有用な情報の送信性能が改善される。
【０１１２】
さらに、本発明のこの実施形態において、ダウンリンク制御チャネルのDCIフォーマットは、DCIフォーマット1AまたはDCIフォーマット0であることを許されず、CRCがC-RNTIを使用することによってスクランブルされるダウンリンク制御チャネルは、第1のサービングセルに対応するCSSにおいて送信されず、したがって、DCIフォーマット3およびDCIフォーマット3Aのペイロードについての異なるユーザの異なる理解が原因で一部のユーザがDCI 3およびDCI 3Aを正しく検出することができない問題が避けられる。確かに、上述の問題を解決するために、DCIフォーマット0もしくはDCIフォーマット1Aのペイロードが、第1のサービングセルの複信モードに応じて決定される可能性があり、DCIフォーマット3およびDCIフォーマット3Aのペイロードが、DCIフォーマット3およびDCIフォーマット3Aで送信を実行するためにさらに決定される可能性があり、またはDCIフォーマット3およびDCIフォーマット3Aに対応するユーザのグループによって使用されるDCIフォーマットが一貫しているように指定され、つまり、基地局がユーザ機器をグループ化するとき、グループ化がユーザ機器によっておそらく使用されるDCIフォーマット1AもしくはDCIフォーマット0に応じて実行され、たとえば、FDDに対応するDCIフォーマットを使用するユーザがグループに入れられ、TDDに対応するDCIフォーマットを使用するユーザがグループに入れられ、または、DCIフォーマット3もしくはDCIフォーマット3Aに対応する複数のユーザが、すべて、FDDに対応するDCIフォーマットを使用するかもしくはTDDに対応するDCIフォーマットを使用する。
【０１１３】
実施形態3
図3は、本発明のさらに別の実施形態による制御情報送信方法の流れ図を示す。図3に示されるように、制御情報送信方法は、以下のステップを含み得る。
【０１１４】
ステップ301:  ユーザ機器が、基地局からより上位のレイヤのシグナリングを受信し、より上位のレイヤのシグナリングは、ユーザ機器の第1のサービングセルに対応するダウンリンク制御チャネルのDCIフォーマットを示すインジケーション情報を含み、DCIフォーマットは、第1のサービングセルの複信モードおよび第1のサービングセルに対応するHARQ-ACKのフィードバックの方法に応じて基地局によって決定される。
【０１１５】
特に、この実施形態において、ユーザ機器に対応するサービングセル、第1のサービングセル、第2のサービングセル、ダウンリンク制御チャネル、第1のサービングセルに対応するダウンリンク制御チャネルのDCIフォーマットなどに関連する説明および例に関して、上記の実施形態の関連する説明が参照可能であり、詳細は、本明細書において再度説明されない。
【０１１６】
より上位のレイヤのシグナリングに含まれるインジケーション情報は、異なる応用の筋書きにおいて、第1のサービングセルの複信モードおよび第1のサービングセルに対応するHARQ-ACKのフィードバックの方法に応じて基地局によって決定され得る。詳細に関しては、上記の実施形態の筋書き1から筋書き6の関連する説明が参照され得る。
【０１１７】
ステップ302:  ユーザ機器が、決定されたDCIフォーマットに応じてダウンリンク制御チャネルを検出する。詳細に関しては、上述の実施形態のステップ102およびその関連する説明が参照され得る。
【０１１８】
この実施形態の制御情報送信方法によれば、異なるキャリアアグリゲーションの方法が使用されるとき、ユーザ機器は、基地局から受信されたより上位のレイヤのシグナリングに従って制御チャネルに対応するDCIフォーマットを決定し得る。基地局は、特定の応用の筋書き、UEの能力、HARQ-ACKのフィードバックメカニズムなどに応じて、FDDに対応するDCIフォーマットまたはTDDに対応するDCIフォーマットを構成する可能性があり、したがって、本発明は、様々な筋書きに柔軟に適用される。加えて、異なるDCIフォーマットが標準的なプロトコルでおそらく使用されるすべての筋書きを説明する必要がなく、標準化作業を促進する。
【０１１９】
実施形態4
図4は、本発明の実施形態によるユーザ機器の構造ブロック図を示す。図4に示されるように、ユーザ機器は、
第1のサービングセルに対応するダウンリンク制御チャネルのダウンリンク制御情報DCIフォーマットを獲得することを決定するように構成された決定モジュール41であって、第1のサービングセルが、ユーザ機器に対応するサービングセルであり、DCIフォーマットが、第1のサービングセルの複信モードおよび第1のサービングセルに対応するハイブリッド自動再送要求-肯定応答HARQ-ACKのフィードバックの方法を使用することによって決定される、決定モジュール41と、
決定されたDCIフォーマットに応じてダウンリンク制御チャネルを検出するように構成された検出モジュール42とを含み得る。
【０１２０】
特に、この実施形態において、ユーザ機器に対応するサービングセル、第1のサービングセル、第2のサービングセル、ダウンリンク制御チャネル、第1のサービングセルに対応するダウンリンク制御チャネルのDCIフォーマットなどに関連する説明および例に関しては、上記の実施形態の関連する説明が参照可能であり、詳細は、本明細書において再度説明されない。
【０１２１】
あり得る実装の方法において、決定モジュール41は、第1のサービングセルの複信モードおよび第1のサービングセルに対応するHARQ-ACKのフィードバックの方法に応じて第1のサービングセルに対応するダウンリンク制御チャネルのDCIフォーマットを決定するように特に構成される。
【０１２２】
あり得る実装の方法において、決定モジュール41は、以下のユニット、すなわち、
第1のサービングセルの複信モードが周波数分割複信FDDであり、ユーザ機器の第2のサービングセルの複信モードが時分割復信TDDであり、第1のサービングセルに対応するHARQ-ACKが第2のサービングセルによって運ばれる物理アップリンク制御チャネルPUCCH上で送信される場合、第1のサービングセルに対応するダウンリンク制御チャネルのDCIフォーマットをTDDに対応するDCIフォーマットとして決定するように構成された第1の決定ユニット411であって、上述の方法の実施形態の筋書き1およびその関連する説明が参照され得る、第1の決定ユニット411と、
第1のサービングセルの複信モードがFDDであり、第1のサービングセルに対応するHARQ-ACKが無線フレームの一部のアップリンクのサブフレームにおいてフィードバックされる場合、第1のサービングセルに対応するダウンリンク制御チャネルのDCIフォーマットをTDDに対応するDCIフォーマットとして決定するように構成された第2の決定ユニット412であって、上述の方法の実施形態の筋書き2およびその関連する説明が参照され得る、第2の決定ユニット412と、
第1のサービングセルの複信モードがFDDである場合は、ユーザ機器が1つのサブフレームにおいて複数のアップリンク送信能力を有する場合、第1のサービングセルに対応するダウンリンク制御チャネルのDCIフォーマットをFDDに対応するDCIフォーマットとして決定し、ユーザ機器が1つのサブフレームにおいて単一のアップリンク送信能力を有する場合、第1のサービングセルに対応するダウンリンク制御チャネルのDCIフォーマットをTDDに対応するDCIフォーマットとして決定するように構成された第3の決定ユニット413であって、上述の方法の実施形態の筋書き4およびその関連する説明が参照され得る、第3の決定ユニット413と、
第1のサービングセルの複信モードがTDDであり、ユーザ機器の第2のサービングセルの複信モードがFDDであり、第1のサービングセルに対応するHARQ-ACKが第2のサービングセルによって運ばれるPUCCH上で送信される場合、第1のサービングセルに対応するダウンリンク制御チャネルのDCIフォーマットをFDDに対応するDCIフォーマットとして決定するように構成された第4の決定ユニット414であって、上述の方法の実施形態の筋書き5およびその関連する説明が参照され得る、第4の決定ユニット414とのうちのいずれか1つまたは複数を含む。
【０１２３】
あり得る実装の方法において、検出モジュール42は、第1のサービングセルの複信モードがFDDであり、決定されたDCIフォーマットがTDDに対応するDCIフォーマットであるとき、TDDに対応するDCIフォーマットに応じてダウンリンク制御チャネルを検出するように特に構成され、第1のサービングセルに対応する共通探索空間CSSにおいて検出されるダウンリンク制御チャネルのDCIフォーマットがDCIフォーマット1Aであること、または検出されたダウンリンク制御チャネルの巡回冗長検査CRCがセル無線ネットワーク一時識別子C-RNTIを使用することによってスクランブルされることは期待されない。詳細に関しては、上述の方法の実施形態のステップ102およびその関連する説明が参照され得る。
【０１２４】
この実施形態のユーザ機器によれば、異なるキャリアアグリゲーションの方法が使用されるとき、制御チャネルに対応するDCIフォーマットが、複信モードおよびHARQ-ACKのフィードバックの方法に応じて決定される可能性があり、したがって、ユーザ機器は、様々な筋書きに柔軟に適用され得る。
【０１２５】
実施形態5
図5は、本発明の実施形態による基地局の構造ブロック図を示す。図5に示されるように、基地局は、
ユーザ機器の第1のサービングセルの複信モードおよび第1のサービングセルに対応するHARQ-ACKのフィードバックの方法に応じて、第1のサービングセルに対応するダウンリンク制御チャネルのDCIフォーマットを決定するように構成された決定モジュール51であって、第1のサービングセルが、ユーザ機器に対応するサービングセルである、決定モジュール51と、
決定されたDCIフォーマットに応じてダウンリンク制御チャネルを送信するように構成された送信モジュール52とを含み得る。
【０１２６】
特に、この実施形態において、ユーザ機器に対応するサービングセル、第1のサービングセル、第2のサービングセル、ダウンリンク制御チャネル、第1のサービングセルに対応するダウンリンク制御チャネルのDCIフォーマットなどに関連する説明および例に関しては、上記の実施形態の関連する説明が参照可能であり、詳細は、本明細書において再度説明されない。
【０１２７】
あり得る実装の方法において、送信モジュール52は、決定モジュール51がユーザ機器の第1のサービングセルに対応するダウンリンク制御チャネルのDCIフォーマットを決定した後、および送信モジュール51が決定されたDCIフォーマットに応じてダウンリンク制御チャネルを送信する前にユーザ機器により上位のレイヤのシグナリングを送信するようにさらに構成され、より上位のレイヤのシグナリングは、決定されたDCIフォーマットを示すインジケーション情報を含む。
【０１２８】
あり得る実装の方法において、決定モジュール51は、以下のユニット、すなわち、
第1のサービングセルの複信モードがFDDであり、ユーザ機器の第2のサービングセルの複信モードがTDDであり、第1のサービングセルに対応するHARQ-ACKが第2のサービングセルによって運ばれる物理アップリンク制御チャネルPUCCH上で送信される場合、第1のサービングセルに対応するダウンリンク制御チャネルのDCIフォーマットをTDDに対応するDCIフォーマットとして決定するように構成された第1の決定ユニット511であって、上述の方法の実施形態の筋書き1およびその関連する説明が参照され得る、第1の決定ユニット511と、
第1のサービングセルの複信モードがFDDであり、第1のサービングセルに対応するHARQ-ACKが無線フレームの一部のアップリンクのサブフレームにおいてフィードバックされる場合、第1のサービングセルに対応するダウンリンク制御チャネルのDCIフォーマットをTDDに対応するDCIフォーマットとして決定するように構成された第2の決定ユニット512であって、上述の方法の実施形態の筋書き2およびその関連する説明が参照され得る、第2の決定ユニット512と、
第1のサービングセルの複信モードがFDDである場合は、ユーザ機器が1つのサブフレームにおいて複数のアップリンク送信能力を有する場合、第1のサービングセルに対応するダウンリンク制御チャネルのDCIフォーマットをFDDに対応するDCIフォーマットとして決定し、ユーザ機器が1つのサブフレームにおいて単一のアップリンク送信能力を有する場合、基地局によって、第1のサービングセルに対応するダウンリンク制御チャネルのDCIフォーマットをTDDに対応するDCIフォーマットとして決定するように構成された第3の決定ユニット513であって、上述の方法の実施形態の筋書き4およびその関連する説明が参照され得る、第3の決定ユニット513と、
第1のサービングセルの複信モードがTDDであり、ユーザ機器の第2のサービングセルの複信モードがFDDであり、第1のサービングセルに対応するHARQ-ACKが第2のサービングセルによって運ばれるPUCCH上で送信される場合、第1のサービングセルに対応するダウンリンク制御チャネルのDCIフォーマットをFDDに対応するDCIフォーマットとして決定するように構成された第4の決定ユニット514であって、上述の方法の実施形態の筋書き5およびその関連する説明が参照され得る、第4の決定ユニット514とのうちのいずれか1つまたは複数を含み得る。
【０１２９】
あり得る実装の方法において、送信モジュール52は、第1のサービングセルの複信モードがFDDであり、決定されたDCIフォーマットがTDDに対応するDCIフォーマットである場合、TDDに対応するDCIフォーマットに応じてダウンリンク制御チャネルを送信するように特に構成され、ダウンリンク制御チャネルのDCIフォーマットがDCIフォーマット1Aであり、ダウンリンク制御チャネルのCRCがC-RNTIを使用することによってスクランブルされるとき、ダウンリンク制御チャネルは、第1のサービングセルに対応するUE固有探索空間USSによって運ばれる。詳細に関しては、上述の方法の実施形態のステップ203およびその関連する説明が参照され得る。
【０１３０】
この実施形態の基地局によれば、異なるキャリアアグリゲーションの方法が使用されるとき、制御チャネルに対応するDCIフォーマットが、複信モードおよびHARQ-ACKのフィードバックの方法に応じて決定される可能性があり、したがって、基地局は、様々な筋書きに柔軟に適用され得る。
【０１３１】
加えて、基地局の送信モジュールは、より上位のレイヤのシグナリングを使用することによって、第1のサービングセルに対応するダウンリンク制御チャネルのダウンリンク制御情報DCIフォーマットをユーザ機器に通知する。基地局は、特定の応用の筋書き、UEの能力、HARQ-ACKのフィードバックメカニズムなどに応じて、FDDに対応するDCIフォーマットまたはTDDに対応するDCIフォーマットを構成する可能性があり、したがって、本発明は、様々な筋書きに柔軟に適用される。加えて、異なるDCIフォーマットが標準的なプロトコルでおそらく使用されるすべての筋書きを説明する必要がなく、標準化作業を促進する。
【０１３２】
実施形態6
図6は、本発明の別の実施形態によるユーザ機器の構造ブロック図を示す。図6に示されるように、ユーザ機器は、
基地局からより上位のレイヤのシグナリングを受信するように構成された受信モジュール61であって、より上位のレイヤのシグナリングが、ユーザ機器の第1のサービングセルに対応するダウンリンク制御チャネルのDCIフォーマットを示すインジケーション情報を含み、DCIフォーマットが、第1のサービングセルの複信モードおよび第1のサービングセルに対応するHARQ-ACKのフィードバックの方法に応じて基地局によって決定される、受信モジュール61と、
決定されたDCIフォーマットに応じてダウンリンク制御チャネルを検出するように構成された検出モジュール62とを含み得る。
【０１３３】
特に、この実施形態において、ユーザ機器に対応するサービングセル、第1のサービングセル、第2のサービングセル、ダウンリンク制御チャネル、第1のサービングセルに対応するダウンリンク制御チャネルのDCIフォーマットなどに関連する説明および例に関して、上記の実施形態の関連する説明が参照可能であり、詳細は、本明細書において再度説明されない。
【０１３４】
あり得る実装の方法において、検出モジュール62は、第1のサービングセルの複信モードがFDDであり、決定されたDCIフォーマットがTDDに対応するDCIフォーマットであるとき、TDDに対応するDCIフォーマットに応じてダウンリンク制御チャネルを検出するように特に構成され、第1のサービングセルに対応するCSSにおいて検出されるダウンリンク制御チャネルのDCIフォーマットがDCIフォーマット1Aであること、または検出されたダウンリンク制御チャネルのCRCがC-RNTIを使用することによってスクランブルされることは期待されない。
【０１３５】
この実施形態のユーザ機器によれば、異なるキャリアアグリゲーションの方法が使用されるとき、制御チャネルに対応するDCIフォーマットが、基地局から受信されたより上位のレイヤのシグナリングに従って決定され得る。基地局は、特定の応用の筋書き、UEの能力、HARQ-ACKのフィードバックメカニズムなどに応じて、FDDに対応するDCIフォーマットまたはTDDに対応するDCIフォーマットを構成する可能性があり、したがって、本発明は、様々な筋書きに柔軟に適用される。加えて、異なるDCIフォーマットが標準的なプロトコルでおそらく使用されるすべての筋書きを説明する必要がなく、標準化作業を促進する。
【０１３６】
実施形態7
図7は、本発明の別の実施形態によるユーザ機器の構造ブロック図を示す。制御情報送信デバイス1100は、コンピューティング能力を有するホストサーバ、パーソナルコンピュータPC、持ち運び可能であるポータブルコンピュータまたは端末などである可能性がある。コンピューティングノードの特定の実装は、本発明のこの実施形態に限定されない。
【０１３７】
制御情報送信デバイス1100は、プロセッサ(processor)1110、通信インターフェース(Communications Interface)1120、メモリ(memory)1130、およびバス1140を含む。プロセッサ1110、通信インターフェース1120、およびメモリ1130は、バス1140を使用することによって交信を完了する。
【０１３８】
通信インターフェース1120は、ネットワークデバイスと通信するように構成され、ネットワークデバイスは、たとえば、仮想マシン管理センター、共有メモリなどを含む。
【０１３９】
プロセッサ1110は、プログラムを実行するように構成される。プロセッサ1110は、本発明のこの実施形態を実装するように構成された中央演算処理装置(CPU)、または特定用途向け集積回路ASIC(Application Specific Integrated Circuit)、または1つもしくは複数の集積回路である可能性がある。
【０１４０】
メモリ1130は、ファイルを記憶するように構成される。メモリ1130は、高速RAMメモリを含む可能性があり、不揮発性メモリ(non-volatile memory)、たとえば、少なくとも1つのディスクメモリをさらに含む可能性がある。メモリ1130は、メモリアレイである可能性もある。メモリ1130は、ブロックにさらに分割される可能性があり、ブロックは、特定の規則に従って仮想ボリュームへと組み合わされる可能性がある。
【０１４１】
あり得る実装の方法において、上述のプログラムは、コンピュータ操作命令を含むプログラムコードである可能性がある。プログラムは、
第1のサービングセルに対応するダウンリンク制御チャネルのダウンリンク制御情報DCIフォーマットを獲得することを決定することであって、第1のサービングセルが、ユーザ機器に対応するサービングセルであり、DCIフォーマットが、第1のサービングセルの複信モードおよび第1のサービングセルに対応するハイブリッド自動再送要求-肯定応答HARQ-ACKのフィードバックの方法を使用することによって決定される、決定することと、
決定されたDCIフォーマットに応じてダウンリンク制御チャネルを検出することとを行うために特に使用され得る。
【０１４２】
プログラムは、
基地局からより上位のレイヤのシグナリングを受信することであって、より上位のレイヤのシグナリングが、ユーザ機器の第1のサービングセルに対応するダウンリンク制御チャネルのDCIフォーマットを示すインジケーション情報を含み、DCIフォーマットが、第1のサービングセルの複信モードおよび第1のサービングセルに対応するHARQ-ACKのフィードバックの方法に応じて基地局によって決定される、受信することと、
決定されたDCIフォーマットに応じてダウンリンク制御チャネルを検出することとを行うためにさらに使用され得る。
【０１４３】
当業者は、本明細書において説明された実施形態の例示的なユニットおよびアルゴリズムのステップが電子的なハードウェアまたはコンピュータソフトウェアと電子的なハードウェアとの組合せによって実装され得ることに気付くであろう。機能がハードウェアによって実装されるのか、またはソフトウェアによって実装されるのかは、特定の用途、および技術的な解決策の設計の制約条件に応じて決まる。当業者は、説明された機能を特定の用途のために実装するために異なる方法を選択し得るが、実装は、本発明の範囲外であると見なされるべきでない。
【０１４４】
機能がコンピュータソフトウェアの形態で実装され、独立した製品として販売または使用される場合、本発明の技術的な解決策のすべてまたは一部(たとえば、従来技術に寄与する部分)はコンピュータソフトウェア製品の形態で実装されると、ある程度考えられ得る。概して、コンピュータソフトウェア製品は、コンピュータ可読不揮発性ストレージ媒体に記憶され、本発明の実施形態において説明された方法のステップのすべてまたは一部を実行するように(パーソナルコンピュータ、サーバ、ネットワークデバイスなどである可能性がある)コンピュータデバイスに命令するためのいくつかの命令を含む。上述のストレージ媒体は、USBフラッシュドライブ、取り外し可能なハードディスク、読み出し専用メモリ(ROM、Read-Only Memory)、ランダムアクセスメモリ(RAM、Random Access Memory)、磁気ディスク、または光ディスクなどのプログラムコードを記憶することができる任意の媒体を含む。
【０１４５】
実施形態8
図8は、本発明のさらに別の実施形態による制御情報送信方法の流れ図を示す。図8に示されるように、異なる複信モードのアグリゲーションおよび/または基地局間のアグリゲーションの筋書きにおけるアップリンク制御情報の送信に関して、制御情報送信方法は、特に以下のステップを含み得る。
【０１４６】
ステップ801:  ユーザ機器が、物理アップリンク制御チャネル構成情報を受信する。
【０１４７】
このステップにおいて、ユーザ機器は、物理アップリンク制御チャネルPUCCH構成情報を受信し、PUCCH構成情報に従ってアップリンク制御情報を送信し得る。
【０１４８】
特に、PUCCH構成情報は、第1の物理アップリンク制御チャネルを運ぶサービングセルを示すインジケーション情報を含む可能性があり、インジケーション情報は、第1の物理アップリンク制御チャネルを運ぶサービングセルのセルインデックスである可能性があり、第1の物理アップリンク制御チャネルを運ぶサービングセルは、ユーザ機器のセカンダリサービングセルである可能性がある。PUCCHがユーザ機器のための1つのサービングセルにおいてのみ送信される場合、アップリンク制御チャネルが送信されるサービングセルが、第1の物理アップリンク制御チャネルを運ぶサービングセルを示すインジケーション情報を使用することによって実際の応用の筋書きに応じて柔軟に構成され得る。PUCCHがユーザ機器のプライマリサービングセルにおいてのみ送信されることと比べて、この方法によれば、アップリンク制御情報の送信性能が改善される可能性があり、データ送信の遅延が削減される可能性がある。たとえば、ユーザ機器のプライマリサービングセルの複信モードがTDDであるとき、第1の物理アップリンク制御チャネルを運ぶサービングセルは、ユーザ機器のものであり、複信モードがFDDであるセカンダリサービングセルとして構成され得る。アップリンクのサブフレームが常にFDDサービングセルにおいて取得され得るので、一態様においては、アップリンク制御情報の送信性能が、より多くのアップリンクのサブフレーム上でアップリンク制御情報を送信することによって改善される可能性があり、別の態様においては、物理ダウンリンク共有チャネルPDSCHのRTT(往復遅延時間)遅延が、削減される可能性がある。第1の物理アップリンク制御チャネルを運ぶサービングセルを示すインジケーション情報を用いて、第1の物理アップリンク制御チャネルは、ユーザ機器のアップリンク制御情報を送信するためにユーザ機器の第2の物理アップリンク制御チャネルと一緒にさらに構成される可能性がある。たとえば、この場合、ユーザ機器の第2の物理アップリンク制御チャネルは、ユーザ機器のプライマリサービングセルにおいて送信される物理アップリンク制御チャネルである。第1の物理アップリンク制御チャネルがPUCCH構成情報において構成される場合、ユーザ機器は、第1の物理アップリンク制御チャネルおよび第2の物理アップリンク制御チャ
ネル上でアップリンク制御情報を送信する。PUCCHがユーザ機器のプライマリサービングセルにおいてのみ送信されることと比べて、この方法は、一態様においては、各サービングセルのHARQ-ACKのタイミングを修正させない可能性があり、別の態様においては、基地局間のアグリゲーションに適用可能である可能性がある。この場合、PUCCH構成情報が第1の物理アップリンク制御チャネル構成情報を含まない場合、ユーザ機器は、プライマリサービングセルにおいてのみアップリンク制御情報を送信することに留意されたい。
【０１４９】
PUCCH構成情報は、第2の物理アップリンク制御チャネルを運ぶサービングセルを示すインジケーション情報をさらに含む可能性があり、インジケーション情報は、第2の物理アップリンク制御チャネルを運ぶサービングセルのセルインデックスである可能性がある。PUCCH構成情報が第2の物理アップリンク制御チャネルを運ぶサービングセルを示すインジケーション情報を含む場合、第1の物理アップリンク制御チャネルおよび第2の物理アップリンク制御チャネルが、アップリンク制御情報を送信するために、第1の物理アップリンク制御チャネルを運ぶサービングセルを示すインジケーション情報および第2の物理アップリンク制御チャネルを運ぶサービングセルを示すインジケーション情報を使用することによってユーザ機器に関して構成され得る。加えて、第1の物理アップリンク制御チャネルを運ぶサービングセルおよび第2の物理アップリンク制御チャネルを運ぶサービングセルは、実際の応用の筋書きに応じて柔軟に構成され、それによって、アップリンク制御情報の送信性能を改善し得る。加えて、この方法は、各サービングセルのHARQ-ACKのタイミングを修正させない可能性があり、基地局間のアグリゲーションに適用可能である可能性がある。
【０１５０】
PUCCH構成情報は、第1のサービングセルの組内にあり、第1の物理アップリンク制御チャネルに対応するサービングセルを示すインジケーション情報をさらに含む可能性があり、インジケーション情報は、第1のサービングセルの組内にあり、第1の物理アップリンク制御チャネルに対応するサービングセルのセルインデックスである可能性があり、PUCCH構成情報は、第2のサービングセルの組内にあり、第2の物理アップリンク制御チャネルに対応するサービングセルを示すインジケーション情報をさらに含む可能性があり、インジケーション情報は、第2のサービングセルの組内にあり、第2の物理アップリンク制御チャネルに対応するサービングセルのセルインデックスである可能性がある。ユーザ機器が複数のサービングセルを有するとき、第1のサービングセルの組内にあり、第1の物理アップリンク制御チャネルに対応するサービングセルを示すインジケーション情報および第2のサービングセルの組内にあり、第2の物理アップリンク制御チャネルに対応するサービングセルを示すインジケーション情報を使用することによって、第1の物理アップリンク制御チャネルおよび第2の物理アップリンク制御チャネルに対応するサービングセルが構成される可能性があり、つまり、第1の物理アップリンク制御チャネル上で送信されるアップリンク制御情報に対応するサービングセルが構成され、第2の物理アップリンク制御チャネル上で送信されるアップリンク制御情報に対応するサービングセルが構成される。
【０１５１】
PUCCH構成情報は、第1の物理アップリンク制御チャネルのフォーマットを示すインジケーション情報をさらに含む可能性があり、第1の物理アップリンク制御チャネルのフォーマットは、PUCCHフォーマット1a、PUCCHフォーマット1b、チャネル選択、およびPUCCHフォーマット3のうちの1つである可能性がある。PUCCH構成情報は、第2の物理アップリンク制御チャネルのフォーマットを示すインジケーション情報をさらに含む可能性があり、第2の物理アップリンク制御チャネルのフォーマットは、PUCCHフォーマット1a、PUCCHフォーマット1b、チャネル選択、およびPUCCHフォーマット3のうちの1つである可能性がある。
【０１５２】
ステップ802:  ユーザ機器が、物理アップリンク制御チャネル構成情報に従って、第1の物理アップリンク制御チャネルを運ぶサービングセルを決定する。
【０１５３】
このステップにおいて、ユーザ機器は、ステップ801において受信された物理アップリンク制御チャネル構成情報に従って、第1の物理アップリンク制御チャネルを運ぶサービングセルを決定する。
【０１５４】
特に、ユーザ機器は、物理アップリンク制御チャネル構成情報内にあり、第1の物理アップリンク制御チャネルを運ぶサービングセルを示すインジケーション情報に従って、第1の物理アップリンク制御チャネルを運ぶサービングセルを決定する可能性があり、物理アップリンク制御チャネル構成情報内にあり、第1のアップリンク制御チャネルを運ぶサービングセルのものであるセルインデックスに従って、第1の物理アップリンク制御チャネルを運ぶサービングセルをさらに決定する可能性があり、第1の物理アップリンク制御チャネルを運ぶサービングセルは、ユーザ機器のセカンダリサービングセルである。有益な効果は、ステップ801において説明されたとおりであり、詳細は、本明細書において再度説明されない。
【０１５５】
このステップにおいて、ユーザ機器は、物理アップリンク制御チャネル構成情報に従って、第1の物理アップリンク制御チャネルを運ぶサービングセルおよび第2の物理アップリンク制御チャネルを運ぶサービングセルをさらに決定する可能性があり、これはさらに、ユーザ機器が、物理アップリンク制御チャネル構成情報内にあり、第1の物理アップリンク制御チャネルを運ぶサービングセルのものであるセルインデックスに従って、第1の物理アップリンク制御チャネルを運ぶサービングセルを決定し、物理アップリンク制御チャネル構成情報内にあり、第2の物理アップリンク制御チャネルを運ぶサービングセルのものであるセルインデックスに従って、第2の物理アップリンク制御チャネルを運ぶサービングセルを決定するということである可能性がある。有益な効果は、ステップ801において説明されたとおりであり、詳細は、本明細書において再度説明されない。
【０１５６】
ステップ803:  ユーザ機器が、第1の物理アップリンク制御チャネルを運ぶサービングセルにおいて第1の物理アップリンク制御チャネルを使用することによってアップリンク制御情報を送信する。
【０１５７】
このステップにおいて、ユーザ機器は、第1の物理アップリンク制御チャネルを運ぶサービングセルにおいて第1の物理アップリンク制御チャネルを使用することによってアップリンク制御情報を送信する。この場合、PUCCHは、1つのサービングセルにおいてのみ送信される。
【０１５８】
このステップは、さらに、ユーザ機器が、第1の物理アップリンク制御チャネルを運ぶサービングセルにおいて第1の物理アップリンク制御チャネルを使用することによって第1のアップリンク制御情報を送信し、ユーザ機器が、プライマリサービングセルにおいて第2の物理アップリンク制御チャネルを使用することによって第2のアップリンク制御情報を送信するということである可能性がある。この場合、PUCCHは、ユーザ機器のプライマリサービングセルおよびセカンダリサービングセルにおいて送信され得る。この場合、第1の物理アップリンク制御チャネルがPUCCH構成情報において構成される場合、ユーザ機器は、構成された第1の物理アップリンク制御チャネルおよびプライマリサービングセルによって運ばれる第2の物理アップリンク制御チャネル上でアップリンク制御情報を送信する。有益な効果は、ステップ801において説明されたとおりであり、詳細は、本明細書において再度説明されない。
【０１５９】
ステップ802が、物理アップリンク制御チャネル構成情報に従って、第1の物理アップリンク制御チャネルを運ぶサービングセルおよび第2の物理アップリンク制御チャネルを運ぶサービングセルを決定することである場合、ステップ803は、さらに、ユーザ機器が、第1の物理アップリンク制御チャネルを運ぶサービングセルにおいて第1の物理アップリンク制御チャネルを使用することによって第1のアップリンク制御情報を送信し、第2の物理アップリンク制御チャネルを運ぶサービングセルにおいて第2のアップリンク制御情報を送信するということである可能性がある。
【０１６０】
本発明のこの実施形態において、第1のアップリンク制御情報は、第1のサービングセルの組に対応し、第2のアップリンク制御情報は、第2のサービングセルの組に対応し、第1のサービングセルの組は、第2のサービングセルの組に属さない少なくとも1つのサービングセルを含む。第1のサービングセルの組および第2のサービングセルの組は、複数の方法で決定され得る。たとえば、第1のサービングセルの組内のサービングセルの複信モードが周波数分割複信FDDである可能性があり、第2のサービングセルの組内のサービングセルの複信モードが時分割復信TDDである可能性があるか、または第1のサービングセルの組内のサービングセル間のバックホールリンクが理想的なバックホールリンクであり、第2のサービングセルの組内のサービングセル間のバックホールリンクが理想的なバックホールリンクであり、第1のサービングセルの組内のサービングセルと第2のサービングセルの組内のサービングセルとの間のバックホールリンクが理想的でないバックホールリンクであるか、または第1のサービングセルの組に含まれるサービングセルおよび第2の物理セルの組に含まれるサービングセルが物理アップリンク制御チャネル構成情報に従って決定される。
【０１６１】
このステップにおけるアップリンク制御情報UCIは、ハイブリッド自動再送要求HARQ-ACK、チャネル状態情報CSI、スケジューリング要求SRなどである可能性があることに留意されたい。第1のアップリンク制御情報および第2のアップリンク制御情報の種類は、同じである可能性があり、または異なる可能性がある。
【０１６２】
この実施形態は、異なる複信モードのアグリゲーションおよび/または基地局間のアグリゲーションの筋書きでどのようにしてアップリンク制御情報を送信すべきかという問題を解決するアップリンク制御情報送信方法を提供する。PUCCHが1つのサービングセルにおいてのみ送信される場合、アップリンク制御チャネルが送信されるサービングセルが、第1の物理アップリンク制御チャネルを運ぶサービングセルを示すインジケーション情報を使用することによって実際の応用の筋書きに応じて柔軟に構成され得る。PUCCHがユーザ機器のプライマリサービングセルにおいてのみ送信されることと比べて、この方法によれば、アップリンク制御情報の送信性能が改善される可能性があり、データ送信の遅延が削減される可能性がある。たとえば、ユーザ機器のプライマリサービングセルの複信モードがTDDであるとき、第1の物理アップリンク制御チャネルを運ぶサービングセルは、ユーザ機器のものであり、複信モードがFDDであるセカンダリサービングセルとして構成され得る。アップリンクのサブフレームが常にFDDサービングセルにおいて取得され得るので、一態様においては、アップリンク制御情報の送信性能が、より多くのアップリンクのサブフレーム上でアップリンク制御情報を送信することによって改善される可能性があり、別の態様においては、物理ダウンリンク共有チャネルPDSCHのRTT(往復遅延時間)遅延が、削減される可能性がある。第1の物理アップリンク制御チャネルを運ぶサービングセルを示すインジケーション情報を用いて、第1の物理アップリンク制御チャネルは、ユーザ機器のアップリンク制御情報を送信するためにユーザ機器の第2の物理アップリンク制御チャネルと一緒にさらに構成される可能性がある。たとえば、この場合、ユーザ機器の第2の物理アップリンク制御チャネルは、ユーザ機器のプライマリサービングセルにおいて送信される物理アップリンク制御チャネルである。第1の物理アップリンク制御チャネルがPUCCH構成情報において構成される場合、ユーザ機器は、第1の物理アップリンク制御チャネルおよび第2の物理アップリンク制御チャネル上でアップリンク制御情報を送信する。PUCCHがユーザ機器のプライマリサービングセルにおいてのみ送信されることと比べて、この方法は、一態様においては、各サービングセ
ルのHARQ-ACKのタイミングを修正させない可能性があり、別の態様においては、基地局間のアグリゲーションに適用可能である可能性がある。この場合、PUCCH構成情報が第1の物理アップリンク制御チャネル構成情報を含まない場合、ユーザ機器は、プライマリサービングセルにおいてのみアップリンク制御情報を送信することに留意されたい。第1の物理アップリンク制御チャネルおよび第2の物理アップリンク制御チャネルは、アップリンク制御情報を送信するために、第1の物理アップリンク制御チャネルを運ぶサービングセルを示すインジケーション情報および第2の物理アップリンク制御チャネルを運ぶサービングセルを示すインジケーション情報を使用することによってユーザ機器に関して構成され得る。加えて、第1の物理アップリンク制御チャネルを運ぶサービングセルおよび第2の物理アップリンク制御チャネルを運ぶサービングセルは、実際の応用の筋書きに応じて柔軟に構成され、それによって、アップリンク制御情報の送信性能を改善し得る。加えて、この方法は、各サービングセルのHARQ-ACKのタイミングを修正させない可能性があり、基地局間のアグリゲーションに適用可能である可能性がある。
【０１６３】
実施形態9
図9は、本発明のさらに別の実施形態による制御情報送信方法の流れ図を示す。図9に示されるように、異なる複信モードのアグリゲーションおよび/または基地局間のアグリゲーションの筋書きにおけるアップリンク制御情報の送信に関して、制御情報送信方法は、特に以下のステップを含み得る。
【０１６４】
ステップ901:  基地局が、ユーザ機器に物理アップリンク制御チャネル構成情報を送信し、物理アップリンク制御チャネル構成情報は、第1の物理アップリンク制御チャネルを運ぶサービングセルを示すインジケーション情報を含み、サービングセルは、ユーザ機器に対応するサービングセルである。
【０１６５】
このステップにおいて、基地局は、ユーザ機器に物理アップリンク制御チャネル構成情報を送信し、したがって、ユーザ機器は、物理アップリンク制御チャネル構成情報に従ってアップリンク制御情報を送信することができる。
【０１６６】
特に、第1の物理アップリンク制御チャネルを運ぶサービングセルを示すインジケーション情報は、第1の物理アップリンク制御チャネルを運ぶサービングセルのセルインデックスである可能性があり、第1の物理アップリンク制御チャネルを運ぶサービングセルは、ユーザ機器のセカンダリサービングセルである可能性がある。
【０１６７】
物理アップリンク制御チャネル構成情報は、第1の物理アップリンク制御チャネルを運ぶサービングセルを示すインジケーション情報および第2の物理アップリンク制御チャネルを運ぶサービングセルを示すインジケーション情報をさらに含む可能性があり、第1の物理アップリンク制御チャネルを運ぶサービングセルと第2の物理アップリンク制御チャネルを運ぶサービングセルとの両方は、ユーザ機器に対応するサービングセルである。第1の物理アップリンク制御チャネルを運ぶサービングセルを示すインジケーション情報は、第1の物理アップリンク制御チャネルを運ぶサービングセルのセルインデックスである可能性があり、第2の物理アップリンク制御チャネルを運ぶサービングセルを示すインジケーション情報は、第2の物理アップリンク制御チャネルを運ぶサービングセルのセルインデックスである可能性がある。
【０１６８】
PUCCH構成情報のその他の説明は、上述の実施形態のステップ801に記載されているとおりであり、詳細は、本明細書において再度説明されない。
【０１６９】
ステップ902:  基地局が、第1の物理アップリンク制御チャネルを運ぶサービングセルにおいて第1の物理アップリンク制御チャネルを使用することによって、ユーザ機器によって送信されたアップリンク制御情報を受信する。
【０１７０】
このステップにおいて、基地局は、第1の物理アップリンク制御チャネルを運ぶサービングセルにおいて第1の物理アップリンク制御チャネルを使用することによってアップリンク制御情報を送信する。この場合、PUCCHは、1つのサービングセルにおいてのみ送信される。
【０１７１】
さらに、このステップは、さらに、基地局は、第1の物理アップリンク制御チャネルを運ぶサービングセルにおいて第1の物理アップリンク制御チャネルを使用することによって、ユーザ機器によって送信された第1のアップリンク制御情報を受信し、ユーザ機器のプライマリサービングセルにおいて第2の物理アップリンク制御チャネルを使用することによって、ユーザ機器によって送信された第2のアップリンク制御情報を受信するということである可能性がある。
【０１７２】
このステップは、さらに、基地局は、第1の物理アップリンク制御チャネルを運ぶサービングセルにおいて第1の物理アップリンク制御チャネルを使用することによって、ユーザ機器によって送信された第1のアップリンク制御情報を受信し、第2の物理アップリンク制御チャネルを運ぶサービングセルにおいて第2の物理アップリンク制御チャネルを使用することによって、ユーザ機器によって送信された第2のアップリンク制御情報を受信するということである可能性がある。
【０１７３】
このステップにおいて、第1のアップリンク制御情報は、第1のサービングセルの組に対応し、第2のアップリンク制御情報は、第2のサービングセルの組に対応し、第1のサービングセルの組は、第2のサービングセルの組に属さない少なくとも1つのサービングセルを含む。第1のサービングセルの組および第2のサービングセルの組のその他の説明に関しては、前の実施形態が参照可能であり、詳細は、本明細書において再度説明されない。
【０１７４】
この実施形態は、異なる複信モードのアグリゲーションおよび/または基地局間のアグリゲーションの筋書きでどのようにしてアップリンク制御情報を送信すべきかという問題を解決するアップリンク制御情報送信方法を提供する。PUCCHが1つのサービングセルにおいてのみ送信される場合、アップリンク制御チャネルが送信されるサービングセルが、第1の物理アップリンク制御チャネルを運ぶサービングセルを示すインジケーション情報を使用することによって実際の応用の筋書きに応じて柔軟に構成され得る。PUCCHがユーザ機器のプライマリサービングセルにおいてのみ送信されることと比べて、この方法によれば、アップリンク制御情報の送信性能が改善される可能性があり、データ送信の遅延が削減される可能性がある。たとえば、ユーザ機器のプライマリサービングセルの複信モードがTDDであるとき、第1の物理アップリンク制御チャネルを運ぶサービングセルは、ユーザ機器のものであり、複信モードがFDDであるセカンダリサービングセルとして構成され得る。アップリンクのサブフレームが常にFDDサービングセルにおいて取得され得るので、一態様においては、アップリンク制御情報の送信性能が、より多くのアップリンクのサブフレーム上でアップリンク制御情報を送信することによって改善される可能性があり、別の態様においては、物理ダウンリンク共有チャネルPDSCHのRTT(往復遅延時間)遅延が、削減される可能性がある。第1の物理アップリンク制御チャネルを運ぶサービングセルを示すインジケーション情報を用いて、第1の物理アップリンク制御チャネルは、ユーザ機器のアップリンク制御情報を送信するためにユーザ機器の第2の物理アップリンク制御チャネルと一緒にさらに構成される可能性がある。たとえば、この場合、ユーザ機器の第2の物理アップリンク制御チャネルは、ユーザ機器のプライマリサービングセルにおいて送信される物理アップリンク制御チャネルである。第1の物理アップリンク制御チャネルがPUCCH構成情報において構成される場合、ユーザ機器は、第1の物理アップリンク制御チャネルおよび第2の物理アップリンク制御チャネル上でアップリンク制御情報を送信する。PUCCHがユーザ機器のプライマリサービングセルにおいてのみ送信されることと比べて、この方法は、一態様においては、各サービングセ
ルのHARQ-ACKのタイミングを修正させない可能性があり、別の態様においては、基地局間のアグリゲーションに適用可能である可能性がある。この場合、PUCCH構成情報が第1の物理アップリンク制御チャネル構成情報を含まない場合、ユーザ機器は、プライマリサービングセルにおいてのみアップリンク制御情報を送信することに留意されたい。第1の物理アップリンク制御チャネルおよび第2の物理アップリンク制御チャネルは、アップリンク制御情報を送信するために、第1の物理アップリンク制御チャネルを運ぶサービングセルを示すインジケーション情報および第2の物理アップリンク制御チャネルを運ぶサービングセルを示すインジケーション情報を使用することによってユーザ機器に関して構成され得る。加えて、第1の物理アップリンク制御チャネルを運ぶサービングセルおよび第2の物理アップリンク制御チャネルを運ぶサービングセルは、実際の応用の筋書きに応じて柔軟に構成され、それによって、アップリンク制御情報の送信性能を改善し得る。加えて、この方法は、各サービングセルのHARQ-ACKのタイミングを修正させない可能性があり、基地局間のアグリゲーションに適用可能である可能性がある。
【０１７５】
実施形態10
図10は、本発明のさらに別の実施形態によるユーザ機器の概略的な構造図を示す。図10に示されるように、ユーザ機器は、受信モジュール81、決定モジュール82、および送信モジュール83を含む。
【０１７６】
受信モジュール81は、物理アップリンク制御チャネル構成情報を受信するように構成される。決定モジュール82は、物理アップリンク制御チャネル構成情報に従って、第1の物理アップリンク制御チャネルを運ぶサービングセルを決定するように構成される。
【０１７７】
送信モジュール83は、第1の物理アップリンク制御チャネルを運ぶサービングセルにおいて第1の物理アップリンク制御チャネルを使用することによってアップリンク制御情報を送信するように構成される。
【０１７８】
あり得る実装の方法において、アップリンク制御チャネル構成情報は、第1の物理アップリンク制御チャネルを運ぶサービングセルのセルインデックスを含み、決定モジュール82は、物理アップリンク制御チャネル構成情報内にあり、第1のアップリンク制御チャネルを運ぶサービングセルのものであるセルインデックスに従って、第1の物理アップリンク制御チャネルを運ぶサービングセルを決定するように特に構成される。
【０１７９】
あり得る実装の方法において、第1の物理アップリンク制御チャネルを運ぶサービングセルは、ユーザ機器のセカンダリサービングセルである。
【０１８０】
あり得る実装の方法において、送信モジュール83は、
第1の物理アップリンク制御チャネルを運ぶサービングセルにおいて第1の物理アップリンク制御チャネルを使用することによって第1のアップリンク制御情報を送信し、ユーザ機器のプライマリサービングセルにおいて第2の物理アップリンク制御チャネルを使用することによって第2のアップリンク制御情報を送信するように特に構成される。
【０１８１】
あり得る実装の方法において、決定モジュール82は、
物理アップリンク制御チャネル構成情報に従って、第1の物理アップリンク制御チャネルを運ぶサービングセルおよび第2の物理アップリンク制御チャネルを運ぶサービングセルを決定するように特に構成され、
送信モジュール83は、
第1の物理アップリンク制御チャネルを運ぶサービングセルにおいて第1の物理アップリンク制御チャネルを使用することによって第1のアップリンク制御情報を送信し、第2の物理アップリンク制御チャネルを運ぶサービングセルにおいて第2のアップリンク制御情報を送信するように特に構成される。
【０１８２】
あり得る実装の方法において、物理アップリンク制御チャネル構成情報は、第1の物理アップリンク制御チャネルを運ぶサービングセルのセルインデックスおよび第2の物理アップリンク制御チャネルを運ぶサービングセルのセルインデックスを含み、決定モジュール82は、
物理アップリンク制御チャネル構成情報内にあり、第1の物理アップリンク制御チャネルを運ぶサービングセルのものであるセルインデックスに従って、第1の物理アップリンク制御チャネルを運ぶサービングセルを決定するように構成された第1の決定ユニット821と、
物理アップリンク制御チャネル構成情報内にあり、第2の物理アップリンク制御チャネルを運ぶサービングセルのものであるセルインデックスに従って、第2の物理アップリンク制御チャネルを運ぶサービングセルを決定するように構成された第2の決定ユニット822とを特に含む。
【０１８３】
あり得る実装の方法において、第1のアップリンク制御情報は、第1のサービングセルの組に対応し、第2のアップリンク制御情報は、第2のサービングセルの組に対応し、第1のサービングセルの組は、第2のサービングセルの組に属さない少なくとも1つのサービングセルを含む。
【０１８４】
あり得る実装の方法においては、第1のサービングセルの組内のサービングセルの複信モードが周波数分割複信FDDであり、第2のサービングセルの組内のサービングセルの複信モードが時分割復信TDDであるか、または
第1のサービングセルの組内のサービングセル間のバックホールリンクが理想的なバックホールリンクであり、第2のサービングセルの組内のサービングセル間のバックホールリンクが理想的なバックホールリンクであり、第1のサービングセルの組内のサービングセルと第2のサービングセルの組内のサービングセルとの間のバックホールリンクが理想的でないバックホールリンクである。
【０１８５】
あり得る実装の方法において、決定モジュール82は、物理アップリンク制御チャネル構成情報に従って、第1のサービングセルの組に含まれるサービングセルおよび第2の物理セルの組に含まれるサービングセルを決定するようにさらに構成される。
【０１８６】
あり得る実装の方法において、物理アップリンク制御チャネル構成情報は、第1のサービングセルの組内にあり、第1の物理アップリンク制御チャネルに対応するサービングセルのセルインデックスおよび第2のサービングセルの組内にあり、第2の物理アップリンク制御チャネルに対応するサービングセルのセルインデックスを含み、決定モジュールは、
物理アップリンク制御チャネル構成情報内の、第1のサービングセルの組内にあり、第1の物理アップリンク制御チャネルに対応するサービングセルのセルインデックスに従って第1のサービングセルの組に含まれるサービングセルを決定するように構成された第3の決定ユニット823と、
物理アップリンク制御チャネル構成情報内の、第2のサービングセルの組内にあり、第2の物理アップリンク制御チャネルに対応するサービングセルのセルインデックスに従って第2のサービングセルの組に含まれるサービングセルを決定するように構成された第4の決定ユニット824とをさらに含む。
【０１８７】
実施形態11
図11は、本発明の別の実施形態による基地局の概略的な構造図を示す。図11に示されるように、基地局は、
ユーザ機器に物理アップリンク制御チャネル構成情報を送信するように構成された送信モジュール91であって、物理アップリンク制御チャネル構成情報が、第1の物理アップリンク制御チャネルを運ぶサービングセルを示すインジケーション情報を含み、サービングセルが、ユーザ機器に対応するサービングセルである、送信モジュール91と、
第1の物理アップリンク制御チャネルを運ぶサービングセルにおいて第1の物理アップリンク制御チャネルを使用することによって、ユーザ機器によって送信されたアップリンク制御情報を受信するように構成された受信モジュール92とを含む。
【０１８８】
あり得る実装の方法において、第1の物理アップリンク制御チャネルを運ぶサービングセルを示すインジケーション情報は、第1の物理アップリンク制御チャネルを運ぶサービングセルのセルインデックスである。
【０１８９】
あり得る実装の方法において、第1の物理アップリンク制御チャネルを運ぶサービングセルは、ユーザ機器のセカンダリサービングセルである。
【０１９０】
あり得る実装の方法において、受信モジュール92は、
第1の物理アップリンク制御チャネルを運ぶサービングセルにおいて第1の物理アップリンク制御チャネルを使用することによって、ユーザ機器によって送信された第1のアップリンク制御情報を受信し、ユーザ機器のプライマリサービングセルにおいて第2の物理アップリンク制御チャネルを使用することによって、ユーザ機器によって送信された第2のアップリンク制御情報を受信するように特に構成される。
【０１９１】
あり得る実装の方法において、物理アップリンク制御チャネル構成情報が第1の物理アップリンク制御チャネルを運ぶサービングセルを示すインジケーション情報を含み、第1の物理アップリンク制御チャネルを運ぶサービングセルがユーザ機器に対応するサービングセルであることは、
物理アップリンク制御チャネル構成情報が、第1の物理アップリンク制御チャネルを運ぶサービングセルを示すインジケーション情報および第2の物理アップリンク制御チャネルを運ぶサービングセルを示すインジケーション情報を含み、第1の物理アップリンク制御チャネルを運ぶサービングセルと第2の物理アップリンク制御チャネルを運ぶサービングセルとの両方が、ユーザ機器に対応するサービングセルであることを含み、
受信モジュール92は、
第1の物理アップリンク制御チャネルを運ぶサービングセルにおいて第1の物理アップリンク制御チャネルを使用することによって、ユーザ機器によって送信された第1のアップリンク制御情報を受信し、第2の物理アップリンク制御チャネルを運ぶサービングセルにおいて第2の物理アップリンク制御チャネルを使用することによって、ユーザ機器によって送信された第2のアップリンク制御情報を受信するように特に構成される。
【０１９２】
あり得る実装の方法において、第1の物理アップリンク制御チャネルを運ぶサービングセルを示すインジケーション情報は、第1の物理アップリンク制御チャネルを運ぶサービングセルのセルインデックスであり、第2の物理アップリンク制御チャネルを運ぶサービングセルを示すインジケーション情報は、第2の物理アップリンク制御チャネルを運ぶサービングセルのセルインデックスである。
【０１９３】
あり得る実装の方法において、第1のアップリンク制御情報は、ユーザ機器の第1のサービングセルの組に対応し、第2のアップリンク制御情報は、ユーザ機器の第2のサービングセルの組に対応し、第1のサービングセルの組は、第2のサービングセルの組に属さない少なくとも1つのサービングセルを含む。
【０１９４】
あり得る実装の方法においては、第1のサービングセルの組内のサービングセルの複信モードが周波数分割複信FDDであり、第2のサービングセルの組内のサービングセルの複信モードが時分割復信TDDであるか、または
第1のサービングセルの組内のサービングセル間のバックホールリンクが理想的なバックホールリンクであり、第2のサービングセルの組内のサービングセル間のバックホールリンクが理想的なバックホールリンクであり、第1のサービングセルの組内のサービングセルと第2のサービングセルの組内のサービングセルとの間のバックホールリンクが理想的でないバックホールリンクである。
【０１９５】
あり得る実装の方法において、物理アップリンク制御チャネル構成情報は、第1のサービングセルの組内にあり、第1の物理アップリンク制御チャネルに対応するサービングセルのセルインデックスおよび第2のサービングセルの組内にあり、第2の物理アップリンク制御チャネルに対応するサービングセルのセルインデックスを含む。
【０１９６】
上述の説明は、本発明の特定の実装方法であるに過ぎないが、本発明の保護範囲を限定するように意図されていない。本発明で開示された技術的範囲内で当業者によって容易に想到されるすべての変更または置き換えは、本発明の保護範囲内に入るものとする。したがって、本発明の保護範囲は、請求項の保護範囲に従うものとする。
【符号の説明】
【０１９７】
41  決定モジュール
42  検出モジュール
411  第1の決定ユニット
412  第2の決定ユニット
413  第3の決定ユニット
414  第4の決定ユニット
51  決定モジュール
52  送信モジュール
511  第1の決定ユニット
512  第2の決定ユニット
513  第3の決定ユニット
514  第4の決定ユニット
61  受信モジュール
62  検出モジュール
81  受信モジュール
82  決定モジュール
83  送信モジュール
821  第1の決定ユニット
822  第2の決定ユニット
823  第3の決定ユニット
824  第4の決定ユニット
91  送信モジュール
92  受信モジュール
1100  制御情報送信デバイス
1110  プロセッサ
1120  通信インターフェース
1130  メモリ
1140  バス
【図１】
2016532350.tif 000003
【図２】
2016532350.tif 000004
【図３】
2016532350.tif 000005
【図４】
2016532350.tif 000006
【図５】
2016532350.tif 000007
【図６】
2016532350.tif 000008
【図７】
2016532350.tif 000009
【図８】
2016532350.tif 000010
【図９】
2016532350.tif 000011
【図１０】
2016532350.tif 000012
【図１１】
2016532350.tif 000013
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
第1のサービングセルに対応するダウンリンク制御チャネルのダウンリンク制御情報(DCI)フォーマットをユーザ機器によって決定するステップであって、前記第1のサービングセルが、前記ユーザ機器に対応するサービングセルであり、前記DCIフォーマットが、前記第1のサービングセルの複信モードおよび前記第1のサービングセルに対応するハイブリッド自動再送要求-肯定応答(HARQ-ACK)のフィードバックの方法を使用することによって決定される、ステップと、
決定されたDCIフォーマットに応じて前記ダウンリンク制御チャネルを前記ユーザ機器によって検出するステップとを含む、制御情報送信方法。
【請求項２】
第1のサービングセルに対応するダウンリンク制御チャネルのDCIフォーマットをユーザ機器によって決定する前記ステップが、
前記第1のサービングセルの前記複信モードおよび前記第1のサービングセルに対応する前記HARQ-ACKの前記フィードバックの方法に応じて前記ユーザ機器によって前記第1のサービングセルに対応する前記ダウンリンク制御チャネルのDCIフォーマットを決定するステップを含む、請求項１に記載の方法。
【請求項３】
前記第1のサービングセルの前記複信モードおよび前記第1のサービングセルに対応する前記HARQ-ACKの前記フィードバックの方法に応じて前記ユーザ機器によって前記第1のサービングセルに対応する前記ダウンリンク制御チャネルのDCIフォーマットを決定する前記ステップが、
前記第1のサービングセルの前記複信モードが周波数分割複信(FDD)であり、前記ユーザ機器の第2のサービングセルの複信モードが時分割復信(TDD)であり、前記第1のサービングセルに対応する前記HARQ-ACKが前記第2のサービングセルによって運ばれる物理アップリンク制御チャネル(PUCCH)上で送信される場合、前記ユーザ機器によって、前記第1のサービングセルに対応する前記ダウンリンク制御チャネルのDCIフォーマットを前記TDDに対応するDCIフォーマットとして決定するステップ、または
前記第1のサービングセルの前記複信モードがFDDであり、前記第1のサービングセルに対応する前記HARQ-ACKが無線フレームの一部のアップリンクのサブフレームにおいてフィードバックされる場合、前記ユーザ機器によって、前記第1のサービングセルに対応する前記ダウンリンク制御チャネルのDCIフォーマットをTDDに対応するDCIフォーマットとして決定するステップ、または
前記第1のサービングセルの前記複信モードがFDDである場合は、前記ユーザ機器が1つのサブフレームにおいて複数のアップリンク送信能力を有する場合、前記ユーザ機器によって、前記第1のサービングセルに対応する前記ダウンリンク制御チャネルのDCIフォーマットを前記FDDに対応するDCIフォーマットとして決定し、前記ユーザ機器が1つのサブフレームにおいて単一のアップリンク送信能力を有する場合、前記ユーザ機器によって、前記第1のサービングセルに対応する前記ダウンリンク制御チャネルのDCIフォーマットをTDDに対応するDCIフォーマットとして決定するステップ、または
前記第1のサービングセルの前記複信モードがTDDであり、前記ユーザ機器の第2のサービングセルの複信モードがFDDであり、前記第1のサービングセルに対応する前記HARQ-ACKが前記第2のサービングセルによって運ばれるPUCCH上で送信される場合、前記ユーザ機器によって、前記第1のサービングセルに対応する前記ダウンリンク制御チャネルのDCIフォーマットを前記FDDに対応するDCIフォーマットとして決定するステップを含む、請求項２に記載の方法。
【請求項４】
前記決定されたDCIフォーマットに応じて前記ダウンリンク制御チャネルを前記ユーザ機器によって検出する前記ステップが、
前記第1のサービングセルの前記複信モードがFDDであり、前記決定されたDCIフォーマットがTDDに対応するDCIフォーマットであるとき、前記ユーザ機器によって、前記TDDに対応する前記DCIフォーマットに応じて前記ダウンリンク制御チャネルを検出するステップを含み、
前記ユーザ機器が、前記第1のサービングセルに対応する共通探索空間(CSS)において検出される前記ダウンリンク制御チャネルのDCIフォーマットがDCIフォーマット1Aであること、または検出されたダウンリンク制御チャネルの巡回冗長検査(CRC)がセル無線ネットワーク一時識別子(C-RNTI)を使用することによってスクランブルされることを期待しない、請求項１から３のいずれか一項に記載の方法。
【請求項５】
ユーザ機器の第1のサービングセルの複信モードおよび前記第1のサービングセルに対応するHARQ-ACKのフィードバックの方法に応じて基地局によって、前記第1のサービングセルに対応するダウンリンク制御チャネルのDCIフォーマットを決定するステップであって、前記第1のサービングセルが、前記ユーザ機器に対応するサービングセルである、ステップと、
決定されたDCIフォーマットに応じて前記ダウンリンク制御チャネルを前記基地局によって送信するステップとを含む、制御情報送信方法。
【請求項６】
前記基地局が前記ユーザ機器の前記第1のサービングセルに対応する前記ダウンリンク制御チャネルのDCIフォーマットを決定した後、および前記基地局が前記決定されたDCIフォーマットに応じて前記ダウンリンク制御チャネルを送信する前に、
前記基地局によって前記ユーザ機器により上位のレイヤのシグナリングを送信するステップであって、前記より上位のレイヤのシグナリングが前記決定されたDCIフォーマットを示すインジケーション情報を含む、ステップを含む、請求項５に記載の方法。
【請求項７】
前記ユーザ機器の第1のサービングセルの複信モードおよび前記第1のサービングセルに対応するHARQ-ACKのフィードバックの方法に応じて基地局によって、前記第1のサービングセルに対応するダウンリンク制御チャネルのDCIフォーマットを決定する前記ステップが、
前記第1のサービングセルの前記複信モードがFDDであり、前記ユーザ機器の第2のサービングセルの複信モードがTDDであり、前記第1のサービングセルに対応する前記HARQ-ACKが前記第2のサービングセルによって運ばれる物理アップリンク制御チャネル(PUCCH)上で送信される場合、前記基地局によって、前記第1のサービングセルに対応する前記ダウンリンク制御チャネルのDCIフォーマットを前記TDDに対応するDCIフォーマットとして決定するステップ、または
前記第1のサービングセルの前記複信モードがFDDであり、前記第1のサービングセルに対応する前記HARQ-ACKが無線フレームの一部のアップリンクのサブフレームにおいてフィードバックされる場合、前記基地局によって、前記第1のサービングセルに対応する前記ダウンリンク制御チャネルのDCIフォーマットをTDDに対応するDCIフォーマットとして決定するステップ、または
前記第1のサービングセルの前記複信モードがFDDである場合は、前記ユーザ機器が1つのサブフレームにおいて複数のアップリンク送信能力を有する場合、前記基地局によって、前記第1のサービングセルに対応する前記ダウンリンク制御チャネルのDCIフォーマットを前記FDDに対応するDCIフォーマットとして決定し、前記ユーザ機器が1つのサブフレームにおいて単一のアップリンク送信能力を有する場合、前記基地局によって、前記第1のサービングセルに対応する前記ダウンリンク制御チャネルのDCIフォーマットをTDDに対応するDCIフォーマットとして決定するステップ、または
前記第1のサービングセルの前記複信モードがTDDであり、前記ユーザ機器の第2のサービングセルの複信モードがFDDであり、前記第1のサービングセルに対応する前記HARQ-ACKが前記第2のサービングセルによって運ばれるPUCCH上で送信される場合、前記基地局によって、前記第1のサービングセルに対応する前記ダウンリンク制御チャネルのDCIフォーマットを前記FDDに対応するDCIフォーマットとして決定するステップを含む、請求項５または６に記載の方法。
【請求項８】
前記決定されたDCIフォーマットに応じて前記ダウンリンク制御チャネルを前記基地局によって送信する前記ステップが、
前記第1のサービングセルの前記複信モードがFDDであり、前記決定されたDCIフォーマットがTDDに対応するDCIフォーマットである場合、前記基地局によって、前記TDDに対応する前記DCIフォーマットに応じて前記ダウンリンク制御チャネルを送信するステップを含み、
前記ダウンリンク制御チャネルのDCIフォーマットがDCIフォーマット1Aであり、前記ダウンリンク制御チャネルのCRCがC-RNTIを使用することによってスクランブルされるとき、前記ダウンリンク制御チャネルが、前記第1のサービングセルに対応するUE固有探索空間(USS)によって運ばれる、請求項５から７のいずれか一項に記載の方法。
【請求項９】
第1のサービングセルに対応するダウンリンク制御チャネルのダウンリンク制御情報(DCI)フォーマットを決定するように構成された決定モジュールであって、前記第1のサービングセルが、ユーザ機器に対応するサービングセルであり、前記DCIフォーマットが、前記第1のサービングセルの複信モードおよび前記第1のサービングセルに対応するハイブリッド自動再送要求-肯定応答(HARQ-ACK)のフィードバックの方法を使用することによって決定される、決定モジュールと、
決定されたDCIフォーマットに応じて前記ダウンリンク制御チャネルを検出するように構成された検出モジュールとを含む、ユーザ機器。
【請求項１０】
前記決定モジュールが、前記第1のサービングセルの前記複信モードおよび前記第1のサービングセルに対応する前記HARQ-ACKの前記フィードバックの方法に応じて前記第1のサービングセルに対応する前記ダウンリンク制御チャネルのDCIフォーマットを決定するように特に構成される、請求項９に記載のユーザ機器。
【請求項１１】
前記決定モジュールが、以下のユニット、すなわち、
前記第1のサービングセルの前記複信モードが周波数分割複信(FDD)であり、前記ユーザ機器の第2のサービングセルの複信モードが時分割復信(TDD)であり、前記第1のサービングセルに対応する前記HARQ-ACKが前記第2のサービングセルによって運ばれる物理アップリンク制御チャネル(PUCCH)上で送信される場合、前記第1のサービングセルに対応する前記ダウンリンク制御チャネルのDCIフォーマットを前記TDDに対応するDCIフォーマットとして決定するように構成された第1の決定ユニットと、
前記第1のサービングセルの前記複信モードがFDDであり、前記第1のサービングセルに対応する前記HARQ-ACKが無線フレームの一部のアップリンクのサブフレームにおいてフィードバックされる場合、前記第1のサービングセルに対応する前記ダウンリンク制御チャネルのDCIフォーマットをTDDに対応するDCIフォーマットとして決定するように構成された第2の決定ユニットと、
前記第1のサービングセルの前記複信モードがFDDである場合は、前記ユーザ機器が1つのサブフレームにおいて複数のアップリンク送信能力を有する場合、前記第1のサービングセルに対応する前記ダウンリンク制御チャネルのDCIフォーマットを前記FDDに対応するDCIフォーマットとして決定し、前記ユーザ機器が1つのサブフレームにおいて単一のアップリンク送信能力を有する場合、前記第1のサービングセルに対応する前記ダウンリンク制御チャネルのDCIフォーマットをTDDに対応するDCIフォーマットとして決定するように構成された第3の決定ユニットと、
前記第1のサービングセルの前記複信モードがTDDであり、前記ユーザ機器の第2のサービングセルの複信モードがFDDであり、前記第1のサービングセルに対応する前記HARQ-ACKが前記第2のサービングセルによって運ばれるPUCCH上で送信される場合、前記第1のサービングセルに対応する前記ダウンリンク制御チャネルのDCIフォーマットを前記FDDに対応するDCIフォーマットとして決定するように構成された第4の決定ユニットとのうちのいずれか1つまたは複数を含む、請求項１０に記載のユーザ機器。
【請求項１２】
前記検出モジュールが、前記第1のサービングセルの前記複信モードがFDDであり、前記決定されたDCIフォーマットがTDDに対応するDCIフォーマットであるとき、前記TDDに対応する前記DCIフォーマットに応じて前記ダウンリンク制御チャネルを検出するように特に構成され、前記第1のサービングセルに対応する共通探索空間(CSS)において検出される前記ダウンリンク制御チャネルのDCIフォーマットがDCIフォーマット1Aであること、または検出されたダウンリンク制御チャネルの巡回冗長検査(CRC)がセル無線ネットワーク一時識別子(C-RNTI)を使用することによってスクランブルされることが期待されない、請求項９から１１のいずれか一項に記載のユーザ機器。
【請求項１３】
ユーザ機器の第1のサービングセルの複信モードおよび前記第1のサービングセルに対応するHARQ-ACKのフィードバックの方法に応じて、前記第1のサービングセルに対応するダウンリンク制御チャネルのDCIフォーマットを決定するように構成された決定モジュールであって、前記第1のサービングセルが、前記ユーザ機器に対応するサービングセルである、決定モジュールと、
決定されたDCIフォーマットに応じて前記ダウンリンク制御チャネルを送信するように構成された送信モジュールとを含む、基地局。
【請求項１４】
前記送信モジュールが、前記決定モジュールが前記ユーザ機器の前記第1のサービングセルに対応する前記ダウンリンク制御チャネルのDCIフォーマットを決定した後、および前記送信モジュールが決定されたDCIフォーマットに応じて前記ダウンリンク制御チャネルを送信する前に、より上位のレイヤのシグナリングを前記ユーザ機器に送信するようにさらに構成され、前記より上位のレイヤのシグナリングが前記決定されたDCIフォーマットを示すインジケーション情報を含む、請求項１３に記載の基地局。
【請求項１５】
前記決定モジュールが、
前記第1のサービングセルの前記複信モードがFDDであり、前記ユーザ機器の第2のサービングセルの複信モードがTDDであり、前記第1のサービングセルに対応する前記HARQ-ACKが前記第2のサービングセルによって運ばれる物理アップリンク制御チャネル(PUCCH)上で送信される場合、前記第1のサービングセルに対応する前記ダウンリンク制御チャネルのDCIフォーマットを前記TDDに対応するDCIフォーマットとして決定するように構成された第1の決定ユニット、または
前記第1のサービングセルの前記複信モードがFDDであり、前記第1のサービングセルに対応する前記HARQ-ACKが無線フレームの一部のアップリンクのサブフレームにおいてフィードバックされる場合、前記第1のサービングセルに対応する前記ダウンリンク制御チャネルのDCIフォーマットをTDDに対応するDCIフォーマットとして決定するように構成された第2の決定ユニット、または
前記第1のサービングセルの前記複信モードがFDDである場合は、前記ユーザ機器が1つのサブフレームにおいて複数のアップリンク送信能力を有する場合、前記第1のサービングセルに対応する前記ダウンリンク制御チャネルのDCIフォーマットを前記FDDに対応するDCIフォーマットとして決定し、前記ユーザ機器が1つのサブフレームにおいて単一のアップリンク送信能力を有する場合、前記第1のサービングセルに対応する前記ダウンリンク制御チャネルのDCIフォーマットをTDDに対応するDCIフォーマットとして決定するように構成された第3の決定ユニット、または
前記第1のサービングセルの前記複信モードがTDDであり、前記ユーザ機器の第2のサービングセルの複信モードがFDDであり、前記第1のサービングセルに対応する前記HARQ-ACKが前記第2のサービングセルによって運ばれるPUCCH上で送信される場合、前記第1のサービングセルに対応する前記ダウンリンク制御チャネルのDCIフォーマットを前記FDDに対応するDCIフォーマットとして決定するように構成された第4の決定ユニットを含む、請求項１３または１４に記載の基地局。
【請求項１６】
前記送信モジュールが、前記第1のサービングセルの前記複信モードがFDDであり、前記決定されたDCIフォーマットがTDDに対応するDCIフォーマットである場合、前記TDDに対応する前記DCIフォーマットに応じて前記ダウンリンク制御チャネルを送信するように特に構成され、前記ダウンリンク制御チャネルのDCIフォーマットがDCIフォーマット1Aであり、前記ダウンリンク制御チャネルのCRCがC-RNTIを使用することによってスクランブルされるとき、前記ダウンリンク制御チャネルが、前記第1のサービングセルに対応するUE固有探索空間(USS)によって運ばれる、請求項１３から１５のいずれか一項に記載の基地局。
【手続補正２】
【補正対象書類名】明細書
【補正対象項目名】０００２
【補正方法】変更
【補正の内容】
【０００２】
第3世代パートナーシッププロジェクト(3rd Generation Partnership Project、略して3GPP)ロングタームエボリューション(Long Term Evolution、略してLTE)システムは、2つのモード、すなわち、周波数分割複信(Frequency Division Duplexing、略してFDD)および時分割復信(Time Division Duplexing、略してTDD)を含む。FDDシステムにおいて、送信および受信は、2つの別々の周波数チャネル上で実行される。TDDシステムにおいて、送信および受信は1つの周波数チャネル上で実行されるが、送信および受信は時間的に分けられ、つまり、同じ周波数キャリアの異なるタイムスロットが送信および受信のために使用される。TDDシステムは、異なるアップリンク-ダウンリンク時間構成をサポートする。アップリンク-ダウンリンク時間構成は、アップリンク-ダウンリンク非対称サービス(uplink-downlink asymmetric service)の要件を満たすために異なるサービスの種類に応じて調整され得る。
【手続補正３】
【補正対象書類名】明細書
【補正対象項目名】０００３
【補正方法】変更
【補正の内容】
【０００３】
リリース3GPP LTE Rel10/11においては、スペクトルアグリゲーション(Spectrum Aggregation)技術または帯域幅拡張(Bandwidth Extension)技術とも呼ばれるキャリアアグリゲーション(Carrier Aggregation、略してCA)技術が、第4世代通信技術に対する国際電気通信連合のピークデータレートの要件を満たすために導入された。キャリアアグリゲーション中、2つ以上のコンポーネントキャリア(Component Carrier)のスペクトルが、より広い送信帯域を得るためにアグリゲーションされる。コンポーネントキャリアのスペクトルは、隣接する連続したスペクトルである可能性があり、または同じ周波数帯域内の隣接していないスペクトルであるか、もしくは異なる周波数帯域内の不連続なスペクトルである可能性さえある。LTE Rel-8/9のユーザ機器(User Equipment、略してUE)は、データを送信および受信するためにただ1つのコンポーネントキャリアにアクセスすることができ、一方、LTE-Aのユーザ機器は、そのユーザ機器の能力およびサービスの要件に応じて、データを送信および受信するために複数のコンポーネントキャリアに同時にアクセスすることができる。
【手続補正４】
【補正対象書類名】明細書
【補正対象項目名】０００４
【補正方法】変更
【補正の内容】
【０００４】
既存のキャリアアグリゲーションシステムにおいて、アグリゲーションは、同じ進化型NodeB(Evolved NodeB、略してeNB)に対応するキャリア上で実行され、またはアグリゲーションは、理想的なバックホールリンク(Backhaul)が間に存在するマクロセルとマイクロセルとのキャリア上で実行され、たとえば、マクロセルとマイクロセルとは、光ファイバを使用することによって接続される(この場合、マイクロセルは、無線周波数ヘッド(radio-frequency head)である可能性もある)。既存のCAシステムにおいては、ハイブリッド自動再送要求(hybrid automatic repeat request)-肯定応答情報が、プライマリコンポーネントキャリア上でのみ送信される。既存のCAシステムにおいて、アグリゲーションされるキャリアの複信モードは同じであり、たとえば、FDDである可能性があり、またはTDDである可能性がある。既存のCAシステムにおいては、キャリアの複信モードがFDDである場合、キャリアに対応するダウンリンク制御チャネルのDCIフォーマットの内容がFDDモードで決定され、キャリアの複信モードがTDDである場合、キャリアに対応するダウンリンク制御チャネルのDCIフォーマットの内容がTDDモードで決定される。
【手続補正５】
【補正対象書類名】明細書
【補正対象項目名】０００７
【補正方法】変更
【補正の内容】
【０００７】
上述の技術的な問題を解決するために、本発明の実施形態によれば、
第1のサービングセルに対応するダウンリンク制御チャネルのダウンリンク制御情報DCIフォーマットをユーザ機器によって決定するステップであって、第1のサービングセルが、ユーザ機器に対応するサービングセルであり、DCIフォーマットが、第1のサービングセルの複信モードおよび第1のサービングセルに対応するハイブリッド自動再送要求-肯定応答HARQ-ACKのフィードバックの方法を使用することによって決定される、決定するステップと、
決定されたDCIフォーマットに応じてダウンリンク制御チャネルをユーザ機器によって検出するステップとを含む制御情報送信方法が、提供される。
【手続補正６】
【補正対象書類名】明細書
【補正対象項目名】０００８
【補正方法】変更
【補正の内容】
【０００８】
上述の制御情報送信方法に関して、あり得る実装の方法において、第1のサービングセルに対応するダウンリンク制御チャネルのDCIフォーマットをユーザ機器によって決定するステップは、
第1のサービングセルの複信モードおよび第1のサービングセルに対応するHARQ-ACKのフィードバックの方法に応じてユーザ機器によって第1のサービングセルに対応するダウンリンク制御チャネルのDCIフォーマットを決定するステップを含む。
【手続補正７】
【補正対象書類名】明細書
【補正対象項目名】００１７
【補正方法】変更
【補正の内容】
【００１７】
上述の技術的な問題を解決するために、本発明の実施形態によれば、
第1のサービングセルに対応するダウンリンク制御チャネルのダウンリンク制御情報DCIフォーマットを決定するように構成された決定モジュールであって、第1のサービングセルが、ユーザ機器に対応するサービングセルであり、DCIフォーマットが、第1のサービングセルの複信モードおよび第1のサービングセルに対応するハイブリッド自動再送要求-肯定応答HARQ-ACKのフィードバックの方法を使用することによって決定される、決定モジュールと、
決定されたDCIフォーマットに応じてダウンリンク制御チャネルを検出するように構成された検出モジュールとを含むユーザ機器が、提供される。
【手続補正８】
【補正対象書類名】明細書
【補正対象項目名】００２３
【補正方法】変更
【補正の内容】
【００２３】
上述の基地局に関して、あり得る実装の方法において、決定モジュールは、
第1のサービングセルの複信モードがFDDであり、ユーザ機器の第2のサービングセルの複信モードがTDDであり、第1のサービングセルに対応するHARQ-ACKが第2のサービングセルによって運ばれる物理アップリンク制御チャネルPUCCH上で送信される場合、第1のサービングセルに対応するダウンリンク制御チャネルのDCIフォーマットをTDDに対応するDCIフォーマットとして決定するように構成された第1の決定ユニット、または
第1のサービングセルの複信モードがFDDであり、第1のサービングセルに対応するHARQ-ACKが無線フレームの一部のアップリンクのサブフレームにおいてフィードバックされる場合、第1のサービングセルに対応するダウンリンク制御チャネルのDCIフォーマットをTDDに対応するDCIフォーマットとして決定するように構成された第2の決定ユニット、または
第1のサービングセルの複信モードがFDDである場合は、ユーザ機器が1つのサブフレームにおいて複数のアップリンク送信能力を有する場合、第1のサービングセルに対応するダウンリンク制御チャネルのDCIフォーマットをFDDに対応するDCIフォーマットとして決定し、ユーザ機器が1つのサブフレームにおいて単一のアップリンク送信能力を有する場合、第1のサービングセルに対応するダウンリンク制御チャネルのDCIフォーマットをTDDに対応するDCIフォーマットとして決定するように構成された第3の決定ユニット、または
第1のサービングセルの複信モードがTDDであり、ユーザ機器の第2のサービングセルの複信モードがFDDであり、第1のサービングセルに対応するHARQ-ACKが第2のサービングセルによって運ばれるPUCCH上で送信される場合、第1のサービングセルに対応するダウンリンク制御チャネルのDCIフォーマットをFDDに対応するDCIフォーマットとして決定するように構成された第4の決定ユニットを含む。
【手続補正９】
【補正対象書類名】明細書
【補正対象項目名】００７２
【補正方法】変更
【補正の内容】
【００７２】
3GPP LTE Rel-8/9/10/11のTDDシステムにおいては、キャリアのためのアップリンク-ダウンリンクサブフレーム構成が1から6であるとき、キャリアに対応するアップリンクグラント(UL grant、ダウンリンク制御情報DCIフォーマット0またはダウンリンク制御情報DCIフォーマット4に対応する)が、ダウンリンク割り当てインデックス(Downlink Assignment Index、略してDAI)フィールドを含み、DAIフィールドの値が、アップリンクのサブフレームnに対応するダウンリンクの関連するサブフレームの組内にあり、物理ダウンリンク共有チャネル(Physical Downlink Shared Channel、略してPDSCH)がスケジューリングされるか、またはダウンリンクSPSの解放を示す物理ダウンリンク制御チャネル(Physical Downlink Control Channel、略してPDCCH)が送信されるサブフレームの総量を示す。FDDキャリアに対応するアップリンクグラントに関しては、DCIフォーマット0またはDCIフォーマット4にDAIフィールドは存在しない。
【手続補正１０】
【補正対象書類名】明細書
【補正対象項目名】００７４
【補正方法】変更
【補正の内容】
【００７４】
3GPP LTE Rel-8/9/10/11においては、TDDキャリアに対応するダウンリンク制御チャネルに対応するダウンリンク制御情報(DCI)フォーマット1/1A/1B/1D/2/2A/2B/2C/2Dが、4ビットに対応するハイブリッド自動再送要求(Hybrid Automatic Repeat-Request、略してHARQ)プロセス番号(Process number)インジケーションフィールドを含み、FDDキャリアに対応するダウンリンク制御チャネルに対応するダウンリンク制御情報DCIフォーマット1/1A/1B/1D/2/2A/2B/2C/2Dが、3ビットに対応するHARQプロセス番号インジケーションフィールドを含む。
【手続補正１１】
【補正対象書類名】明細書
【補正対象項目名】００７５
【補正方法】変更
【補正の内容】
【００７５】
3GPP LTEシステムにおいては、ハイブリッド自動再送要求をサポートするために、端末が、物理アップリンク制御チャネル(PUCCH)および物理アップリンク共有チャネル(PUSCH)を使用することによって基地局にハイブリッド自動再送要求-肯定応答HARQ-ACKをフィードバックする必要があり、ハイブリッド自動再送要求-肯定応答は、単にACK(Acknowledgment、略して肯定応答)/NACK(Negative Acknowledgement、略して否定応答)とも呼ばれる可能性がある。したがって、それに続くLTEシステムが、次の2つの態様で発展する可能性がある。
【手続補正１２】
【補正対象書類名】明細書
【補正対象項目名】００８０
【補正方法】変更
【補正の内容】
【００８０】
ステップ101:  ユーザ機器が、第1のサービングセルに対応するダウンリンク制御チャネルのダウンリンク制御情報DCIフォーマットを決定し、第1のサービングセルは、ユーザ機器に対応するサービングセルであり、DCIフォーマットは、第1のサービングセルの複信モードおよび第1のサービングセルに対応するハイブリッド自動再送要求-肯定応答HARQ-ACKのフィードバックの方法を使用することによって決定される。
【手続補正１３】
【補正対象書類名】明細書
【補正対象項目名】００８２
【補正方法】変更
【補正の内容】
【００８２】
本発明のこの実施形態のダウンリンク制御チャネルは、物理ダウンリンク制御チャネル(PDCCH)またはエンハンスト物理ダウンリンク制御チャネル(Enhanced Physical Downlink Control Channel、略してEPDCCH)を指す可能性がある。第1のサービングセルに対応するダウンリンク制御チャネルは、第1のサービングセルによって運ばれ、物理ダウンリンク共有チャネル(PDSCH)送信に対応するダウンリンク制御チャネルである可能性があり、PDSCH送信に対応するダウンリンク制御チャネルは、第1のサービングセルまたは別のサービングセルによって運ばれる可能性がある。加えて、第1のサービングセルに対応するダウンリンク制御チャネルは、第1のサービングセルによって運ばれ、ダウンリンク半永続的スケジューリング(Semi-Persistent Scheduling、略してSPS)の解放を示すために使用されるダウンリンク制御チャネルをさらに指す可能性がある。
【手続補正１４】
【補正対象書類名】明細書
【補正対象項目名】００８３
【補正方法】変更
【補正の内容】
【００８３】
本発明のこの実施形態において、第1のサービングセルに対応するダウンリンク制御チャネルのダウンリンク制御情報DCIフォーマットを決定することは、第1のサービングセルに対応するダウンリンク制御チャネルのダウンリンク制御情報DCIフォーマットがFDDに対応するDCIフォーマットであるかまたはTDDに対応するDCIフォーマットであるかを決定することを指す可能性があり、ダウンリンク制御情報DCIフォーマットは、DCIフォーマット1、DCIフォーマット1A、DCIフォーマット1B、DCIフォーマット1D、DCIフォーマット2A、DCIフォーマット2B、DCIフォーマット2C、DCIフォーマット2D、DCIフォーマット0、およびDCIフォーマット4のうちの1つまたは複数を指す可能性がある。異なる複信モードに関して、異なる内容が各DCIフォーマットで運ばれる。FDDに対応するDCIフォーマットは、DCIフォーマットで、DCIフォーマットによって運ばれるコンテンツがFDDの場合に応じて決定されることを指す可能性があり、TDDに対応するDCIフォーマットは、DCIフォーマットで、DCIフォーマットによって運ばれるコンテンツがTDDの場合に応じて決定されることを指す可能性がある。たとえば、TDDキャリアのアップリンク-ダウンリンク構成が1から6であるとき、TDDに対応するDCIフォーマット0およびDCIフォーマット4は、ダウンリンク割り当てインデックス(DAI)フィールドを含み、DAIフィールドの値が、アップリンクのサブフレームnに対応するダウンリンクの関連するサブフレームの組内にあり、PDSCHがスケジューリングされるか、またはダウンリンクSPSの解放を示すPDCCHが送信されるサブフレームの総量を示し、一方、FDDに対応するDCIフォーマット0およびDCIフォーマット4は、ダウンリンク割り当てインデックスDAIフィールドを含まない。TDDに対応するDCIフォーマット1、DCIフォーマット1A、DCIフォーマット1B、DCIフォーマット1D、DCIフォーマット2A、DCIフォーマット2B、DCIフォーマット2C、およびDCIフォーマット2Dは、DAIを含み、フィールドの値が、アップリンクのサブフレームnに対応するダウンリンクの関連するサブフレームの組内にあり、基地局がPDSCHをスケジューリングするか、またはダウンリンクSPSの解放を示すPDCCHを送信するサブフレームの累積的(accumulative)量を示し、一方、FDDに対応するDCIフォーマット1、DCIフォーマット1A、DCIフォーマット1B、DCIフォーマット1D、DCIフォーマット2A、DCIフォーマット2B、DCIフォーマット2C、およびDCIフォーマット2Dは、DAIを含まない。TDDに対応するDCIフォーマット1、DCIフォーマット1A、DCIフォーマット1B、DCIフォーマット1D、DCIフォーマット2A、DCIフォーマット2B、DCIフォーマット2C、およびDCIフォーマット2Dは、4ビットHARQプロセスインジケーションフィールドを含み、一方、FDDに対応するDCIフォーマット1、DCIフォーマット1A、DCIフォーマット1B、DCIフォーマット1D、DCIフォーマット2A、DCIフォーマット2B、DCIフォーマット2C、およびDCIフォーマット2Dは、3ビットHARQプロセスインジケーションフィールドを含む。
【手続補正１５】
【補正対象書類名】明細書
【補正対象項目名】００８４
【補正方法】変更
【補正の内容】
【００８４】
本発明のこの実施形態において、第1のサービングセルに対応するダウンリンク制御チャネルのダウンリンク制御情報DCIフォーマットが決定され、ダウンリンク制御チャネルの巡回冗長検査(Cyclic Redundancy Check、略してCRC)が、セル無線ネットワーク一時識別子(Cell Radio Network Temporary Identifier、略してC-RNTI)または半永続的スケジューリング(SPS)C-RNTIを使用することによってスクランブルされる可能性がある。
【手続補正１６】
【補正対象書類名】明細書
【補正対象項目名】００８６
【補正方法】変更
【補正の内容】
【００８６】
異なるシナリオに応じて、予め定義された規則は、以下のうちのいずれか1つまたは複数を含み得る。
筋書き1:  第1のサービングセルの複信モードが周波数分割複信FDDであり、ユーザ機器の第2のサービングセルの複信モードが時分割復信TDDであり、第1のサービングセルに対応するHARQ-ACKが第2のサービングセルによって運ばれる物理アップリンク制御チャネルPUCCH上で送信される場合、ユーザ機器は、第1のサービングセルに対応するダウンリンク制御チャネルのDCIフォーマットをTDDに対応するDCIフォーマットとして決定し、
筋書き2:  第1のサービングセルの複信モードがFDDであり、第1のサービングセルに対応するHARQ-ACKが無線フレームの一部のアップリンクのサブフレームにおいてフィードバックされる場合、ユーザ機器は、第1のサービングセルに対応するダウンリンク制御チャネルのDCIフォーマットをTDDに対応するDCIフォーマットとして決定し、
筋書き3:  第1のサービングセルの複信モードがFDDであり、第1のサービングセルに対応するHARQ-ACKがFDDのサービングセルによって運ばれるPUCCH上で送信される場合、ユーザ機器は、第1のサービングセルに対応するDCIフォーマットをFDDに対応するDCIフォーマットとして決定し、
筋書き4:  第1のサービングセルの複信モードがFDDである場合は、ユーザ機器が1つのサブフレームにおいて複数のアップリンク送信能力を有する場合、ユーザ機器は、第1のサービングセルに対応するダウンリンク制御チャネルのDCIフォーマットをFDDに対応するDCIフォーマットとして決定し、ユーザ機器が1つのサブフレームにおいて単一のアップリンク送信能力を有する場合、ユーザ機器は、第1のサービングセルに対応するダウンリンク制御チャネルのDCIフォーマットをTDDに対応するDCIフォーマットとして決定し、
筋書き5:  第1のサービングセルの複信モードがTDDであり、ユーザ機器の第2のサービングセルの複信モードがFDDであり、第1のサービングセルに対応するHARQ-ACKが第2のサービングセルによって運ばれるPUCCH上で送信される場合、ユーザ機器は、第1のサービングセルに対応するダウンリンク制御チャネルのDCIフォーマットをFDDに対応するDCIフォーマットとして決定し、および
筋書き6:  第1のサービングセルの複信モードがTDDであり、第1のサービングセルに対応するHARQ-ACKがTDDのサービングセルによって運ばれるPUCCH上で送信される場合、ユーザ機器は、第1のサービングセルに対応するDCIフォーマットをTDDに対応するDCIフォーマットとして決定する。
【手続補正１７】
【補正対象書類名】明細書
【補正対象項目名】００８９
【補正方法】変更
【補正の内容】
【００８９】
特に、ステップ101において、第1のサービングセルの複信モードがFDDであり、決定されたDCIフォーマットがTDDに対応するDCIフォーマットである場合、ステップ102において、ユーザ機器は、TDDに対応するDCIフォーマットに応じてダウンリンク制御チャネルを検出し、ユーザ機器は、第1のサービングセルに対応する共通探索空間(Common Search Space、略してCSS)内で検出されるダウンリンク制御チャネルのDCIフォーマットがDCIフォーマット1AもしくはDCIフォーマット0であること、または検出されたダウンリンク制御チャネルの巡回冗長検査(Cyclic Redundancy Check、略してCRC)がC-RNTIを使用することによってスクランブルされることを期待しない。第1のサービングセルに対応するCSSは、ダウンリンク制御チャネルのためのCSSを指す可能性がある。
【手続補正１８】
【補正対象書類名】明細書
【補正対象項目名】００９１
【補正方法】変更
【補正の内容】
【００９１】
第1のサービングセルに対応するCSSは、複数のユーザ機器のために働く可能性があり、CSSにおいて情報がおそらく送信されるDCIフォーマットは、DCIフォーマット0、DCIフォーマット1A、DCIフォーマット3、DCIフォーマット3A、およびDCIフォーマット1Cを含む。ユーザによって実行されるブラインド検出(blind detection)の時間を減らすために、DCIフォーマット0およびDCIフォーマット1Aのペイロード(payload)が等しくされる、つまり、DCIフォーマット0およびDCIフォーマット1Aのペイロードを同じにするため、または言い換えれば、DCIフォーマット0およびDCIフォーマット1に対応する情報のビットの量を同じにするために、パディングビットが追加される可能性がある。同様に、DCIフォーマット3およびDCIフォーマット3Aのペイロードが、DCIフォーマット0のペイロードと等しくされる、つまり、DCIフォーマット1Aのペイロードと等しくされる。DCIフォーマット3およびDCIフォーマット3Aは、複数のユーザに関連しており、つまり、DCIフォーマット3およびDCIフォーマット3Aによって運ばれる情報は、複数のユーザに通知される必要があり、つまり、複数のユーザは、DCIフォーマット3およびDCIフォーマット3Aの同じペイロードに応じてダウンリンク制御チャネルに対する検出を実行する必要がある。
【手続補正１９】
【補正対象書類名】明細書
【補正対象項目名】００９８
【補正方法】変更
【補正の内容】
【００９８】
さらに、本発明のこの実施形態において、ダウンリンク制御チャネルのDCIフォーマットは、DCIフォーマット1AまたはDCIフォーマット0であることを許されず、CRCがC-RNTIを使用することによってスクランブルされるダウンリンク制御チャネルは、第1のサービングセルに対応するCSSにおいて送信されず、したがって、DCIフォーマット3およびDCIフォーマット3Aのペイロードについての異なるユーザの異なる理解が原因で一部のユーザがDCIフォーマット3およびDCIフォーマット3Aを正しく検出することができない問題が避けられる。確かに、上述の問題を解決するために、DCIフォーマット0もしくはDCIフォーマット1Aのペイロードが、第1のサービングセルの複信モードに応じて決定される可能性があり、DCIフォーマット3およびDCIフォーマット3Aのペイロードが、DCIフォーマット3およびDCIフォーマット3Aで送信を実行するためにさらに決定される可能性があり、またはDCIフォーマット3もしくはDCIフォーマット3Aに対応する複数のユーザが、すべて、FDDに対応するDCIフォーマットを使用するかもしくはTDDに対応するDCIフォーマットを使用し、つまり、FDDに対応するDCIフォーマットを使用するユーザが、グループに入れられ、TDDに対応するDCIフォーマットを使用するユーザが、グループに入れられる。
【手続補正２０】
【補正対象書類名】明細書
【補正対象項目名】０１０５
【補正方法】変更
【補正の内容】
【０１０５】
特に、第1のサービングセルの複信モードがFDDであり、決定されたDCIフォーマットがTDDに対応するDCIフォーマットであるとき、基地局は、TDDに対応するDCIフォーマットに応じてダウンリンク制御チャネルを送信し、ダウンリンク制御チャネルのDCIフォーマットがDCIフォーマット1AまたはDCIフォーマット0であり、ダウンリンク制御チャネルのCRCがC-RNTIを使用することによってスクランブルされるとき、ダウンリンク制御チャネルは、第1のサービングセルに対応するUE固有探索空間(UE-Specific Search Space、略してUSS)においてのみ運ばれる。CSSが第1のサービングセルに対応する場合、CSSは、ダウンリンク制御チャネルのためのCSSを指す可能性がある。代替的に、第1のサービングセルの複信モードがFDDであり、決定されたDCIフォーマットがTDDに対応するDCIフォーマットであるとき、基地局は、第1のサービングセルに対応するUSSにおいて、DCIフォーマットがDCIフォーマット1AまたはDCIフォーマット0であり、CRCがC-RNTIを使用することによってスクランブルされるダウンリンク制御チャネルを送信しない。
【手続補正２１】
【補正対象書類名】明細書
【補正対象項目名】０１１９
【補正方法】変更
【補正の内容】
【０１１９】
実施形態4
図4は、本発明の実施形態によるユーザ機器の構造ブロック図を示す。図4に示されるように、ユーザ機器は、
第1のサービングセルに対応するダウンリンク制御チャネルのダウンリンク制御情報DCIフォーマットを決定するように構成された決定モジュール41であって、第1のサービングセルが、ユーザ機器に対応するサービングセルであり、DCIフォーマットが、第1のサービングセルの複信モードおよび第1のサービングセルに対応するハイブリッド自動再送要求-肯定応答HARQ-ACKのフィードバックの方法を使用することによって決定される、決定モジュール41と、
決定されたDCIフォーマットに応じてダウンリンク制御チャネルを検出するように構成された検出モジュール42とを含み得る。
【手続補正２２】
【補正対象書類名】明細書
【補正対象項目名】０１２７
【補正方法】変更
【補正の内容】
【０１２７】
あり得る実装の方法において、送信モジュール52は、決定モジュール51がユーザ機器の第1のサービングセルに対応するダウンリンク制御チャネルのDCIフォーマットを決定した後、および送信モジュール52が決定されたDCIフォーマットに応じてダウンリンク制御チャネルを送信する前にユーザ機器により上位のレイヤのシグナリングを送信するようにさらに構成され、より上位のレイヤのシグナリングは、決定されたDCIフォーマットを示すインジケーション情報を含む。
【手続補正２３】
【補正対象書類名】明細書
【補正対象項目名】０１２８
【補正方法】変更
【補正の内容】
【０１２８】
あり得る実装の方法において、決定モジュール51は、以下のユニット、すなわち、
第1のサービングセルの複信モードがFDDであり、ユーザ機器の第2のサービングセルの複信モードがTDDであり、第1のサービングセルに対応するHARQ-ACKが第2のサービングセルによって運ばれる物理アップリンク制御チャネルPUCCH上で送信される場合、第1のサービングセルに対応するダウンリンク制御チャネルのDCIフォーマットをTDDに対応するDCIフォーマットとして決定するように構成された第1の決定ユニット511であって、上述の方法の実施形態の筋書き1およびその関連する説明が参照され得る、第1の決定ユニット511と、
第1のサービングセルの複信モードがFDDであり、第1のサービングセルに対応するHARQ-ACKが無線フレームの一部のアップリンクのサブフレームにおいてフィードバックされる場合、第1のサービングセルに対応するダウンリンク制御チャネルのDCIフォーマットをTDDに対応するDCIフォーマットとして決定するように構成された第2の決定ユニット512であって、上述の方法の実施形態の筋書き2およびその関連する説明が参照され得る、第2の決定ユニット512と、
第1のサービングセルの複信モードがFDDである場合は、ユーザ機器が1つのサブフレームにおいて複数のアップリンク送信能力を有する場合、第1のサービングセルに対応するダウンリンク制御チャネルのDCIフォーマットをFDDに対応するDCIフォーマットとして決定し、ユーザ機器が1つのサブフレームにおいて単一のアップリンク送信能力を有する場合、第1のサービングセルに対応するダウンリンク制御チャネルのDCIフォーマットをTDDに対応するDCIフォーマットとして決定するように構成された第3の決定ユニット513であって、上述の方法の実施形態の筋書き4およびその関連する説明が参照され得る、第3の決定ユニット513と、
第1のサービングセルの複信モードがTDDであり、ユーザ機器の第2のサービングセルの複信モードがFDDであり、第1のサービングセルに対応するHARQ-ACKが第2のサービングセルによって運ばれるPUCCH上で送信される場合、第1のサービングセルに対応するダウンリンク制御チャネルのDCIフォーマットをFDDに対応するDCIフォーマットとして決定するように構成された第4の決定ユニット514であって、上述の方法の実施形態の筋書き5およびその関連する説明が参照され得る、第4の決定ユニット514とのうちのいずれか1つまたは複数を含み得る。
【手続補正２４】
【補正対象書類名】明細書
【補正対象項目名】０１４１
【補正方法】変更
【補正の内容】
【０１４１】
あり得る実装の方法において、上述のプログラムは、コンピュータ操作命令を含むプログラムコードである可能性がある。プログラムは、
第1のサービングセルに対応するダウンリンク制御チャネルのダウンリンク制御情報DCIフォーマットを決定することであって、第1のサービングセルが、ユーザ機器に対応するサービングセルであり、DCIフォーマットが、第1のサービングセルの複信モードおよび第1のサービングセルに対応するハイブリッド自動再送要求-肯定応答HARQ-ACKのフィードバックの方法を使用することによって決定される、決定することと、
決定されたDCIフォーマットに応じてダウンリンク制御チャネルを検出することとを行うために特に使用され得る。
【手続補正２５】
【補正対象書類名】明細書
【補正対象項目名】０１８６
【補正方法】変更
【補正の内容】
【０１８６】
あり得る実装の方法において、物理アップリンク制御チャネル構成情報は、第1のサービングセルの組内にあり、第1の物理アップリンク制御チャネルに対応するサービングセルのセルインデックスおよび第2のサービングセルの組内にあり、第2の物理アップリンク制御チャネルに対応するサービングセルのセルインデックスを含み、決定モジュール82は、
物理アップリンク制御チャネル構成情報内の、第1のサービングセルの組内にあり、第1の物理アップリンク制御チャネルに対応するサービングセルのセルインデックスに従って第1のサービングセルの組に含まれるサービングセルを決定するように構成された第3の決定ユニット823と、
物理アップリンク制御チャネル構成情報内の、第2のサービングセルの組内にあり、第2の物理アップリンク制御チャネルに対応するサービングセルのセルインデックスに従って第2のサービングセルの組に含まれるサービングセルを決定するように構成された第4の決定ユニット824とをさらに含む。
【国際調査報告】
2016532350.tif 000014
2016532350.tif 000015
2016532350.tif 000016
2016532350.tif 000017
2016532350.tif 000018
2016532350.tif 000019